(57)【要約】【課題】コストの低減及び小型化が可能な蓄電装置、画像形成装置及び加熱装置を提供すること。【解決手段】電力を消費して動作する外部装置２０に供給するため商用電源から定電圧を生成する定電圧生成手段１２と、定電圧生成手段１２により生成された定電圧の電圧を昇圧する昇圧回路３と、昇圧回路３から供給される電荷を蓄電するキャパシタ９と、キャパシタ９への充電を制御する回路制御部７と、キャパシタ９に充電された、定電圧と異なる電圧の電力を外部に出力する出力手段１５２ａ、ｂとを有することを特徴とする蓄電装置を提供することで状課題を解決する。【選択図】図３
2007104891.tif 000002
【特許請求の範囲】
【請求項１】
商用電源から定電圧を生成し、電力を消費して動作する外部装置に接続された定電圧生成手段と、
前記定電圧生成手段により生成された定電圧の電圧を昇圧する昇圧回路と、
前記昇圧回路から供給される電荷を蓄電するキャパシタと、
前記キャパシタへの充電を制御する回路制御部と、
前記キャパシタに充電された、前記定電圧と異なる電圧の電力を前記外部装置に出力する出力手段と、
を有することを特徴とする蓄電装置。
【請求項２】
前記定電圧生成手段と前記外部装置との接続を開閉する第１の開閉回路を有し、
前記外部装置からの信号により前記第１の開閉回路が開閉する、
ことを特徴とする請求項１記載の蓄電装置。
【請求項３】
前記定電圧生成手段と前記昇圧回路との接続を開閉する第２の開閉回路を有し、
前記外部装置からの信号により前記第２の開閉回路が開閉する、
ことを特徴とする請求項１記載の蓄電装置。
【請求項４】
前記定電圧生成手段と前記外部装置の接続を、前記昇圧回路への接続に切り替える切替回路を有し、
前記外部装置からの信号により前記切替回路が前記昇圧回路に切り替わる、
ことを特徴とする請求項１記載の蓄電装置。
【請求項５】
商用電源から供給された電流を整流する整流回路と、
前記整流回路により整流された電圧を降圧する降圧回路と、
前記降圧回路から供給される電荷を蓄電するキャパシタと、
前記キャパシタへの充電を制御する回路制御部と、
前記キャパシタの電力を外部装置に出力する出力手段と、
前記外部装置に供給するため前記商用電源から前記キャパシタの電圧と異なる定電圧を生成する定電圧生成手段と、
を有することを特徴とする蓄電装置。
【請求項６】
前記商用電源と前記整流回路が絶縁トランスにより分離されている、ことを特徴とする請求項５記載の蓄電装置。
【請求項７】
前記外部装置と通信する通信手段を有し、
前記回路制御部は、前記外部装置から前記キャパシタの充電が可能であることを示す充電可能信号を受信した場合、前記キャパシタを充電する、
ことを特徴とする請求項１ないし６いずれか記載の蓄電装置。
【請求項８】
前記キャパシタの充電電圧を検出する充電電圧検出回路と、前記キャパシタの充電電流を検出する充電電流検出回路と、を有し、
前記回路制御部は、
前記充電電圧発生回路により検出された充電電圧、又は、前記充電電流検出回路により検出された充電電流に基づき、前記キャパシタを定電流充電又は定電力充電するよう前記昇圧回路又は前記降圧回路を制御する、
を有することを特徴とする請求項１ないし６いずれか記載の蓄電装置。
【請求項９】
前記キャパシタを構成する各キャパシタセルの満充電を検出するセル満充電検出回路と、
前記キャパシタの満充電を検出する全セル満充電検出回路と、を備え、
前記回路制御部は、前記セル満充電検出回路により一以上のキャパシタセルの満充電が検出された場合、定電流充電を行い、
前記全セル満充電検出回路により前記キャパシタの満充電が検出された場合、充電を停止する、
ことを特徴とする請求項８記載の蓄電装置。
【請求項１０】
前記外部装置は、前記充電電圧に基づき、前記第１の開閉回路の開閉、若しくは、前記第２の開閉回路の開閉、又は、前記切替回路を切り替える、
ことを特徴とする請求項８記載の蓄電装置。
【請求項１１】
請求項１ないし１０記載の蓄電装置を搭載したことを特徴とする画像形成装置。
【請求項１２】
トナー画像が形成された媒体を加圧及び加熱して前記トナー画像を前記媒体に定着する定着装置を備えた画像形成装置において、
画像形成を制御する画像形成制御部と、
当該画像形成装置に供給するため商用電源から定電圧を生成する定電圧生成手段と、
前記定電圧生成手段により生成された定電圧の電圧を昇圧する昇圧回路と、
前記昇圧回路から供給される電荷を蓄電するキャパシタと、
前記キャパシタへの充電を制御する回路制御部と、を有し、
前記画像形成制御部は、前記キャパシタに充電された電力を前記定着装置の過熱部に供給する、
ことを特徴とする画像形成装置。
【請求項１３】
前記定電圧生成手段と当該画像形成装置との接続を開閉する第１の開閉回路、前記定電圧生成手段と前記昇圧回路との接続を開閉する第２の開閉回路、又は、前記定電圧生成手段と当該画像形成装置との接続を前記昇圧回路への接続に切り替える切替回路、のいずれかと、
画像形成が終了してから所定時間が経過した場合、動作モードを切り替える動作モード切替手段を有し、
前記動作モード切替手段により動作モードが消費電力を低減する省エネモードに切り替えられた場合、
前記画像形成制御部は、前記第１の開閉回路若しくは前記第２の開閉回路を開き、又は、前記切替回路を前記昇圧回路側に切り替える、
ことを特徴とする請求項１２記載の画像形成装置。
【請求項１４】
画像形成を開始する画像形成動作開始信号が入力された場合、
前記画像形制御部は、前記第１の開閉回路若しくは前記第２の開閉回路を閉じ、又は、前記切替回路を当該画像形成装置側に切り替え、
画像形成が終了した場合、
前記画像形成制御部は、前記第１の開閉回路若しくは前記第２の開閉回路を開き、又は、前記切替回路を前記昇圧回路に切り替える、
ことを特徴とする請求項１２又は１３記載の画像形成装置。
【請求項１５】
前記定着装置の温度を検出する定着温度検出手段を有し、
前記定着温度検出手段により検出された温度が所定よりも低い場合、前記画像形成制御部は、前記キャパシタに蓄電された電力を放電して前記加熱手段に供給し、
前記キャパシタの満充電が検出された場合、前記キャパシタに蓄電された電力を放電して前記加熱手段に供給する、
ことを特徴とする１２又は１３記載の画像形成装置。
【請求項１６】
商用電源から定電流、定電力又は定電圧の電源を生成し、電力を消費して動作する外部装置に接続された電源生成回路と、
前記電源生成回路から供給される電荷を蓄電するキャパシタと、
前記キャパシタへの充電を制御する回路制御部と、
前記キャパシタから供給される電圧を昇圧する昇圧部と、
前記昇圧部により昇圧された電力を前記外部装置に出力する出力手段と、
を有することを特徴とする蓄電装置。
【請求項１７】
前記電源生成回路と前記キャパシタとの接続を開閉する開閉回路を有し、
前記開閉回路が開いた場合に前記外部装置に接続され、前記開閉回路が閉じている場合に前記キャパシタバンクに接続される、
ことを特徴とする請求項１６記載の蓄電装置。
【請求項１８】
前記電源生成回路と前記外部装置との接続を、前記キャパシタバンクとの接続に切り替える切替回路を有する、
ことを特徴とする請求項１６記載の蓄電装置。
【請求項１９】
前記外部装置と通信する通信手段を有し、
前記回路制御部は、前記外部装置から前記キャパシタの充電が可能であることを示す充電可能信号を受信した場合、前記キャパシタを充電する、
ことを特徴とする請求項１６ないし１８いずれか記載の蓄電装置。
【請求項２０】
前記昇圧部は、前記キャパシタバンクと接続された昇圧チョッパ回路又は絶縁トランスを有し、
前記回路制御部は、前記昇圧チョッパ回路又は前記絶縁トランスをスイッチングするパルス信号を所定のデュ−ティ比で出力する、
ことを特徴とする請求項１９記載の蓄電装置。
【請求項２１】
前記昇圧部は、前記キャパシタバンクと接続された昇圧チョッパ回路又は絶縁トランスを有し、
前記外部装置から送信される信号により、前記昇圧チョッパ回路又は前記絶縁トランスが所定のデュ−ティ比のパルス信号でスイッチングされる、
ことを特徴とする請求項１９記載の蓄電装置。
【請求項２２】
前記昇圧部は、前記キャパシタバンクと接続された昇圧チョッパ回路又は絶縁トランスを有し、
前記回路制御部は、前記昇圧チョッパ回路又は前記絶縁トランスをスイッチングするパルス信号をアンド回路を介して前記昇圧部に出力し、
前記外部装置からの信号により前記アンド回路がオン／オフ制御される、
ことを特徴とする請求項１９記載の蓄電装置。
【請求項２３】
前記昇圧部は、昇圧された昇圧電圧を検出する昇圧電圧検出回路を有し、
前記昇圧電圧検出回路により検出された昇圧電圧に基づき、前記パルス信号はデュ−ティ比が徐々に大きくなるよう制御される、
ことを特徴とする請求項２０ないし２２いずれか記載の蓄電装置。
【請求項２４】
前記回路制御部は、前記外部装置から送信された前記パルス信号のデュ−ティ比を制御するデュ−ティ制御情報を記憶する記憶手段を有し、
前記デュ−ティ制御情報に基づき、前記パルス信号のデュ−ティ比を制御する、
ことを特徴とする請求項２０記載の蓄電装置。
【請求項２５】
前記回路制御部は、前記昇圧電圧検出回路により検出される昇圧電圧が予め設定された所定の制限電圧を超えない範囲で、前記パルス信号のデュ−ティ比を制御する、
ことを特徴とする請求項２０記載の蓄電装置。
【請求項２６】
前記キャパシタの充電電圧を検出する充電電圧検出回路を有し、
前記回路制御部は、前記充電電圧検出回路により検出された前記キャパシタの充電電圧が所定以上の場合、前期キャパシタから供給される電圧を昇圧する、
ことを特徴とする請求項１６記載の蓄電装置。
【請求項２７】
前記回路制御部は、前記外部装置から昇圧動作の開始を指示する信号を受信した場合に昇圧を開始し、昇圧動作の終了を指示する信号を受信した場合に昇圧を終了する、
ことを特徴とする請求項１６記載の蓄電装置。
【請求項２８】
前記開閉回路が開放された場合、又は、前記切替回路が前記外部装置に切り替えられた場合、
前記回路制御部は、前記電源生成回路が所定の定電圧を出力するよう制御する、
ことを特徴とする請求項１６記載の蓄電装置。
【請求項２９】
請求項１６ないし２８いずれか記載の蓄電装置を搭載したことを特徴とする画像形成装置。
【請求項３０】
トナー画像が形成された媒体を加圧及び加熱して前記トナー画像を前記媒体に定着する定着装置を備えた画像形成装置において、
該画像形成装置に供給する電力を商用電源から生成する電源生成回路と、
前記電源生成回路から供給される電荷を蓄電するキャパシタと、
前記キャパシタから供給される電圧を昇圧する昇圧部と、
前記キャパシタへの充電を制御する回路制御部と、
前期キャパシタから供給される電圧を昇圧する昇圧部、を制御する画像形成装置制御部と、を有し、
前記画像形成装置制御部は、前記キャパシタから供給される電力を前期昇圧部により昇圧して前記定着装置の加熱部に供給する、
ことを特徴とする画像形成装置。
【請求項３１】
前記電源生成回路と前記キャパシタとの接続を開閉する開閉回路、又は、前記電源生成回路と当該画像形成装置の接続を前記キャパシタとの接続に切り替える切替回路を有し、
前記画像形成装置制御部は、前記画像形成装置の動作状態に応じて、前記開閉回路の開閉、又は、前記切替回路の切り替えを制御する、
ことを特徴とする請求項３０記載の画像形成装置。
【請求項３２】
前記キャパシタの充電電圧を検出する充電電圧検出回路を有し、
前記画像形成装置制御部は、前記充電電圧に応じて、前記開閉回路の開閉、又は、前記切替回路の切り替えを制御する、
ことを特徴とする請求項３１記載の画像形成装置。
【請求項３３】
前記昇圧部は、前記キャパシタバンクと接続された昇圧チョッパ回路又は絶縁トランスと、前記定着装置の加熱部温度を検出する加熱部温度検出手段と、を有し、
前記画像形成装置制御部は、前記加熱部温度検出手段により検出された前記加熱部温度に基づき、前記昇圧チョッパ回路又は前記絶縁トランスをスイッチングするパルス信号のデュ−ティ比を制御する、
ことを特徴とする請求項３０記載の画像形成装置。
【請求項３４】
前記画像形成装置制御部は、前記昇圧電圧又は前記加熱部温度が所定以下の場合、前記パルス信号のデュ−ティ比が徐々に大きくなるように制御する、
ことを特徴とする請求項３０記載の画像形成装置。
【請求項３５】
前記昇圧部は、前記キャパシタバンクと接続された昇圧チョッパ回路又は絶縁トランスと、前記定着装置の加熱部温度を検出する加熱部温度検出手段と、を有し、
前記画像形成制御部は、前記加熱部温度検出手段により検出された前記加熱部温度に基づき、
前記昇圧チョッパ回路又は前記絶縁トランスをスイッチングするパルス信号が入力されるアンド回路をオン／オフ制御する、
ことを特徴とする請求項３０記載の画像形成装置。
【請求項３６】
前記キャパシタは、直列に接続された複数のキャパシタセルと、各キャパシタセルの充電電圧を均等化する充電電流バイパス回路と、有し、
前記画像形成装置制御部は、前記充電電流バイパス回路の全てが動作した場合に、前記開閉回路を開放し、又は、前記切替回路を前記外部装置に切り替える、
ことを特徴とする請求項３１記載の画像形成装置。
【請求項３７】
画像形成が終了してから所定時間が経過した場合、動作モードを切り替える動作モード切替手段を有し、
前記動作モード切替手段により動作モードが消費電力を低減する省エネモードに切り替えられた場合、
前記画像形成装置制御部は、前記開閉回路を閉じ、又は、前記切替回路を前記キャパシタバンクに切り替える、
ことを特徴とする請求項３１記載の画像形成装置
【請求項３８】
前記画像形成装置制御部は、画像形成動作が行われる場合、前記開閉回路を開き、又は、前記切替回路を当該画像形成装置側に切り替え、
画像形成装置動作が終了した場合、前記開閉回路を閉じ、又は、前記切替回路を前記キャパシタ側に切り替え、
画像形成装置のドア部の開放を検知した場合、前記開閉回路を閉じ、又は、前記切替回路を前記キャパシタ側に切り替える、
ことを特徴とする請求項３１記載の画像形成装置。
【請求項３９】
前記画像形成装置制御部は、前記開閉回路を閉じた場合又は前記切替回路を前記キャパシタバンク側に切り替えた場合、前記電源生成回路により前記キャパシタを定電流充電または定電力充電を行い、
前記開閉回路を開放した場合又は前記切替回路を前記外部装置側に切り替えた場合、前記電源生成回路の出力を定電圧出力にする、
ことを特徴とする請求項３１記載の画像形成装置。
【請求項４０】
電力を消費して動作する外部装置に供給するため商用電源から定電圧を生成する定電圧生成手段と、
前記定電圧生成手段により生成された定電圧の電圧を昇圧する昇圧回路と、
前記昇圧回路から供給される電荷を蓄電するキャパシタと、
前記キャパシタへの充電を制御する回路制御部と、
前記キャパシタに充電された、前記定電圧と異なる電圧の電力を前記外部装置に出力する出力手段と、
前記外部装置が温度制御する加熱手段が所定以下の温度の場合、前記外部装置からの信号により、前記キャパシタの電力を前記加熱手段に供給する、
を有することを特徴とする加熱装置。
【発明の詳細な説明】
【技術分野】
【０００１】
本発明は、加熱手段に蓄電した電力を供給する蓄電装置、前記蓄電装置を有する画像形成装置、及び、前記蓄電装置から供給された電力により発熱する加熱装置に関する。
【背景技術】
【０００２】
複写機、プリンタ、ファクシミリ、ＭＦＰ（Multi Function Peripherals）等の画像形成装置は、加熱したトナーを普通紙等に定着させる工程を有する。定着方式としては、高速性、安全性の要請からヒートローラ方式が採用されることが多い。ヒートローラ方式では、ハロゲンヒータなどの発熱部材により加熱される加熱ローラと、この加熱ローラに対向して配置される加圧ローラとが圧接されて、加熱ローラと加圧ローラとの間に普通紙等を通過させて未定着トナー像を熱と圧力で固定する。
【０００３】
加熱ローラは、芯金が鉄やアルミニウムなどの金属からなるローラを主に使用しており、熱容量が大きい。このため、使用時に使用可能温度である約１８０℃前後まで昇温するには数分から十数分の長い立ち上がり時間が必要となってしまい、ユーザにとって待ち時間が長い。
【０００４】
ハロゲンヒータなどの発熱部材の電力容量を大きくできれば大電流を印可できるので待ち時間を短縮できるが、商用電源が１００Ｖ程度であると大電流を印可する装置や配線に過大のコストが必要となり好ましくない。
【０００５】
加熱ローラの昇温時間を短くするために、加熱ローラの熱容量を小さくすることも可能であるが、加熱ローラの熱容量を小さくすると連続して画像形成する場合に加熱ローラの温度落ち込みが発生し、所定数印刷するたびに待ち時間が生じてしまう。
【０００６】
このため、画像形成装置では、ユーザが画像形成を行わない待機時にも、加熱ローラに電力を供給して加熱ローラの温度を使用可能温度よりやや低い予熱温度に保っており、使用時に短時間に使用可能温度まで立ち上がるようにしている。したがって、画像形成装置を使用していない待機時にも画像形成には不必要な、余分なエネルギーが消費されていた。
【０００７】
ところが近年、環境保全活動が高まり、画像形成装置も省エネ化が求められている。画像形成装置全体の消費エネルギーのうち、割合の大きい待機時消費エネルギーを削減すると省電力化の効果が大きいとされている。
【０００８】
そこで、補助電源を備え、定着装置の待機時に補助電源（二次電池）を充電し、定着装置を立ち上げたときに主電源装置と補助電源から電力を供給して立ち上がり時間を短縮する技術が提案されている（例えば特許文献１参照）。
【０００９】
しかし、特許文献１に示された技術は、二次電源として一般に鉛蓄電池、ニカド電池、ニッケル水素電池を使用しているため、充放電を繰り返すと容量が劣化して低下していき、また、大電流で放電するほど寿命が短いという性質を持つ。またメモリ効果による容量低下という現象もあるため、画像形成装置として用いるには充分でない。
【００１０】
この点を鑑み、補助電源として充放電可能なキャパシタ を使用し、補助電源を用いて発熱体に供給する電力量を調整する技術が提案されている（例えば特許文献２参照）。かかる技術は、商用電源から供給する電力により加熱ローラを加熱すると共に、キャパシタ を用いた補助電源から供給する電力により加熱ローラを加熱する構成を有し、加熱ローラの温度に応じてキャパシタからの電源供給をオン、オフさせて供給電力量を調整している。
【特許文献１】特開平１０−２８２８２１号公報
【特許文献２】特開平２００３−２９７５２６号公報
【発明の開示】
【発明が解決しようとする課題】
【００１１】
しかしながら、特許文献２に記載されたキャパシタを用いた画像形成装置は、キャパシタとは別に専用の充電器を用いる必要があり、コスト高となると共に実装スペースが大きくなってしまう。
【００１２】
本発明は、上記問題に鑑み、コストの低減及び小型化が可能な蓄電装置、画像形成装置及び加熱装置を提供することを目的とする。
【課題を解決するための手段】
【００１３】
上記問題に鑑み、本発明は、電力を消費して動作する外部装置に供給するため商用電源から定電圧を生成する定電圧生成手段（例えば、ＤＣ／ＤＣコンバータ１２）と、定電圧生成手段により生成された定電圧の電圧を昇圧する昇圧回路（例えば、高周波トランスやチョークコイル）と、昇圧回路により昇圧された電力を蓄電するキャパシタ９と、外部装置と通信して前記外部装置の動作に応じて、キャパシタへの充電を制御する回路制御部（定電流／定電力充電電圧発生回路７）と、キャパシタに充電された、前記定電圧の電圧と異なる電圧を外部に出力する出力手段１５２と、を有することを特徴とする蓄電装置を提供する。
【００１４】
本発明によれば、コストの低減及び小型化が可能な蓄電装置を提供することができる。外部装置は例えば画像形成装置であるので、商用電源により画像形成を行い画像形成動作中でない場合、蓄電装置に充電できるので、蓄電装置を単体で設ける必要がないためコストの低減及び小型化が可能となる。キャパシタの充電はリチウム電池等と比べて非常に高速なので、画像形成動作が遅延することもない。また、キャパシタに充電された電圧と異なる定電圧生成手段の電圧を外部に出力する出力手段を有するため、作動電圧の異なる負荷に電力を供給できる。
【００１５】
また、本発明の一形態において、前記定電圧生成手段と前記外部装置との接続を開閉する第１の開閉回路（例えば、開閉回路２６）を有し、外部からの信号に基づき前記第１の開閉回路が開閉する、ことを特徴とする。
【００１６】
本発明によれば、定電圧生成手段と外部装置の接続を外部装置の動作状態に応じて制御できる。外部装置の動作状態とは、例えば、画像形成動作をして電力を消費している状態をいう。
【００１７】
また、本発明の一形態において、定電圧生成手段と昇圧回路との接続を開閉する第２の開閉回路（例えば、開閉回路４）を有し、外部からの信号に基づき前記第２の開閉回路が開閉する、ことを特徴とする。
【００１８】
本発明によれば、定電圧生成手段と昇圧回路の接続を外部装置の動作状態に応じて制御できる。
【００１９】
また、本発明の一形態において、定電圧生成手段と外部装置の接続を、昇圧回路への接続に切り替える切替回路（例えば、切替回路７７）を有し、外部からの信号に基づき切替回路が前記出力手段に切り替わることを特徴とする。
【００２０】
本発明によれば、定電圧生成手段と、昇圧回路又は外部装置との接続を外部装置の動作状態に応じて切り替え制御できる。
【００２１】
また、本発明は、商用電源から供給された電流を整流する整流回路と、整流回路により整流された電圧を降圧する降圧回路（例えば、チョークコイル５）と、降圧回路により降圧された電力を蓄電するキャパシタと、キャパシタへの充電を制御する回路制御部と、キャパシタの電力を外部に出力する出力手段と、有することを特徴とする。
【００２２】
本発明によれば、定電圧生成手段を用いないので、更に蓄電装置の構成を簡易にして、コストの低減及び小型化が可能な蓄電装置を提供することができる。
【００２３】
また、本発明の一形態において、商用電源と整流回路が絶縁トランスにより分離されている、ことを特徴とする。
【００２４】
商用電源と整流回路が絶縁されているので、キャパシタの充電電圧を高くすることが容易になる。
【００２５】
また、本発明の一形態において、キャパシタの充電電圧を検出する充電電圧検出回路と、キャパシタの充電電流を検出する充電電流検出回路と、充電電圧発生回路により検出された充電電圧、又は、充電電流検出回路により検出された充電電流に基づき、キャパシタを定電流充電又は定電力充電するよう昇圧回路又は前記降圧回路を制御する昇圧回路制御部と、を有することを特徴とする。
【００２６】
本発明によれば、キャパシタの充電電圧又は充電電流に応じて、定電流充電又は定電力充電することができる。充電電流を制限するとともに、充電時間が短縮されるよう最適化された時間で充電できる。また、定電力充電を併用することで効率よく充電できる。
【００２７】
また、本発明の一形態において、キャパシタの各キャパシタセルの満充電を検出するセル満充電検出回路と、キャパシタの満充電を検出する全セル満充電検出回路と、を備え、昇圧回路制御部は、セル満充電検出回路により一以上のキャパシタセルの満充電が検出された場合、定電流充電を行い、全セル満充電検出回路によりキャパシタの満充電が検出された場合、充電を停止する、ことを特徴とする。
【００２８】
本発明によれば、一つのキャパシタセルが充電されたら定電流充電を行い、全セルが満充電となったら充電を停止することができる。
【００２９】
また、本発明の一形態において、回路制御部は、外部の装置から充電が可能であることを示す充電可能信号を受信した場合、キャパシタを充電する、ことを特徴とする。
【００３０】
本発明によれば、外部の装置の制御部が発行する充電可能信号により昇圧回路制御部が充電するので、外部装置が動作中などの場合に、昇圧回路制御部が充電することを防止できる。
【００３１】
また、本発明の一形態において、充電電圧検出回路により検出された充電電圧は外部の装置に送信され、第１の開閉回路の開閉、若しくは、第２の開閉回路の開閉、又は、切替回路の切り替えが、外部の装置が前記充電電圧に基づき送信する信号により制御される、  ことを特徴とする。
【００３２】
本発明によれば、充電電圧が低下した場合には開閉回路や切替回路を昇圧回路に切り替えて充電することができ、また、充電電圧が所定以上であれば開閉回路や切替回路を外部装置に切り替えて画像形成などの動作を行うことができる。
【００３３】
また、本発明は、請求項１ないし１４記載の蓄電装置を搭載したことを特徴とする画像形成装置を提供する。
【００３４】
本発明の一形態において  トナー画像が形成された媒体を加圧及び加熱して前記トナー画像を前記媒体に定着する定着装置を備えた画像形成装置において、
当該画像形成装置に供給するため商用電源から定電圧を生成する定電圧生成手段と、
前記定電圧生成手段により生成された定電圧の電圧を昇圧する昇圧回路と、
前記昇圧回路から供給される電荷を蓄電するキャパシタと、
前記定電圧生成手段と当該画像形成装置との接続を開閉する第１の開閉回路、前記定電圧生成手段と前記昇圧回路との接続を開閉する第２の開閉回路、又は、前記定電圧生成手段と当該画像形成装置との接続を前記昇圧回路への接続に切り替える切替回路、のいずれか、  前記第１の開閉回路の開閉、若しくは、前記第２の開閉回路の開閉、又は、前記切替回路の切り替えを制御する画像形成制御部（例えば、エンジン制御部１０）と、を有し、画像形成制御部は、回路制御部と通信する通信手段を有し、キャパシタに充電された電力を前記加熱手段等の前記外部に供給する、ことを特徴とする。
【００３５】
本発明によれば、キャパシタの電力を定着装置の加熱手段に供給できるので、定着装置が所定の温度に到達する時間を短縮できる。
【００３６】
また、本発明の一形態において、画像形成が終了してから所定時間が経過した場合、動作モードを切り替える動作モード切替手段を有し、動作モード切替手段により動作モードが消費電力を低減する省エネモードに切り替えられた場合、充電制御手段は、第１の開閉回路若しくは前記第２の開閉回路を開き、又は、前記切替回路を前記昇圧回路に切り替える、ことを特徴とする。
【００３７】
本発明によれば、省エネモードの場合に、第１の開閉回路若しくは第２の開閉回路を開き、又は、切替回路を昇圧回路に切り替えるので、省エネモードの場合に蓄電装置に充電することができ、省エネモードから通常モードに復帰した場合にキャパシタの電力を使用して定着装置の温度を短時間で上昇させることができる。
【００３８】
また、本発明の一形態において、画像形成を開始する画像形成動作開始信号が入力された場合、充電制御手段は、第１の開閉回路若しくは第２の開閉回路を閉じ、又は、切替回路を外部装置に切り替える、ことを特徴とする。
【００３９】
本発明によれば、例えばユーザが画像形成装置を操作して画像形成動作開信号が入力された場合や、省エネ解除スイッチ（圧版開放ＳＷ，ＡＤＦの原稿検知ＳＷ等）が入力された場合、第１の開閉回路若しくは第２の開閉回路を閉じ、又は、切替回路を外部装置に切り替えるので、画像形成を行うことができる。
【００４０】
また、本発明の一形態において、画像形成が終了した場合、充電制御手段は第１の開閉回路若しくは第２の開閉回路を開き、又は、切替回路を昇圧回路に切り替える、ことを特徴とする。
【００４１】
本発明によれば、画像形成が終了した場合、第１の開閉回路若しくは第２の開閉回路を開き、又は、切替回路を昇圧回路に切り替えるので、蓄電装置に蓄電できる。
【００４２】
また、本発明の一形態において、定着装置の温度を検出する定着温度検出手段を有し、充電制御手段は、定着温度検出手段により検出された温度が所定よりも低い場合、キャパシタに蓄電された電力を放電して加熱手段に供給する、ことを特徴とする。
【００４３】
本発明によれば、定着装置の温度を検出して、定着装置の温度が所定よりも下がったらキャパシタに蓄電された電力を放電して加熱手段に供給するので、定着装置を加熱できる。
【００４４】
上記問題を解決するため、本発明は、電力を消費して動作する外部装置に供給するため商用電源から定電流、定電力又は定電圧の電源を生成する電源生成回路１２と、前記外部装置と通信して前記外部装置の動作に応じて電源生成回路により生成された電力を蓄電するキャパシタ９と、キャパシタへの充電を制御する回路制御部（例えば、定電流／定電力充電電圧発生回路７）と、キャパシタから供給される電力を昇圧する昇圧部８０と、昇圧部により昇圧された電力を外部に出力する出力手段１５２ａ、ｂと、を有することを特徴とする蓄電装置を提供する。
【００４５】
本発明によれば、外部装置が必要な場合は電源生成手段の出力を外部装置の電源として使用し、キャパシタへの充電動作時には電源生成手段を充電器として使用することができるので、専用の充電器を必要とせずにキャパシタを充電でき、コストの低減及び装置値の小型化が可能になる。
【００４６】
また、本発明は、トナー画像が形成された媒体を加圧及び加熱してトナー画像を媒体に定着する定着装置を備えた画像形成装置において、該画像形成装置に供給する電力を商用電源から生成する電源生成手段と、電源生成手段により生成された電力を蓄電するキャパシタと、キャパシタへの充電若しくはキャパシタの放電、又は、キャパシタから供給される電力を昇圧する昇圧部、を制御する画像形成制御部と、を有し、画像形成制御部は、キャパシタから供給される電力を昇圧部により昇圧して定着装置の加熱部に供給する、ことを特徴とする。
【００４７】
本発明によれば、画像形成する場合は電源生成手段の出力を画像形成装置の電源として使用し、キャパシタバンクへの充電動作時には電源生成手段を充電器として使用することができるので、専用の充電器を必要とせずにキャパシタバンクを充電でき、コストの低減及び装置値の画像形成装置の小型化が可能になる。
【発明の効果】
【００４８】
コストの低減及び小型化が可能な蓄電装置、画像形成装置を提供することができる。
【発明を実施するための最良の形態】
【００４９】
以下、本発明の実施するための最良の形態について、図面を参照しながら実施例を挙げて説明する。本実施の形態の蓄電装置を適用した画像形成装置は、大きく２つの実施形態に区別される。第１の実施形態では、商用電源を定電圧化し昇圧した後にキャパシタに蓄電する蓄電装置を、第２の実施形態では、商用電源を定電圧化しキャパシタに蓄電しておき、キャパシタから取り出した後に昇圧する蓄電装置をそれぞれ説明する。
〔第１の実施形態〕
本実施の形態の蓄電装置は、専用の充電器を使用せずに商用電源をＤＣ化し、出力電圧を安定化する電源生成回路（ＤＣ／ＤＣコンバータ）からの出力を必要な時に画像形成動作のために供給し、それ以外の場合はキャパシタバンクの充電に使用する。専用の充電器を用いず本体負荷に用いるＤＣ／ＤＣコンバータと兼用することで電源回路構成を簡略化し、画像形成装置の製造コストや実装スペースの低減が可能となる。
【００５０】
はじめに、蓄電装置が適用された画像形成装置について説明する。図１は、画像形成装置が有する定着装置の概略断面図を示す。回転体からなる画像担持体として、例えばドラム形状の感光体１０１が用いられ、図示しない駆動部により例えば矢印の方向へ回転駆動される。感光体１０１の周りには、回転方向に順次、帯電手段としての帯電装置１０２、露光手段の一部を構成するミラー１０３、現像手段として現像装置１０４、転写紙Ｐ（ＯＨＰ紙などでもよい）に感光体１上の未定着トナー像を転写する転写手段としての転写装置１０５、クリーニング手段としてのクリーニング装置１０６などが配置されている。
【００５１】
帯電装置１０２は帯電ローラからなり、現像装置１０４は現像ローラ１０４ａを有する現像装置からなる。クリーニング装置１０６は感光体１０１の外周面に摺接するブレード１０６ａを有する。感光体１０１は帯電装置１０２と現像ローラ１０４ａとの間で露光手段によりミラー１０３を介して露光光Ｌbで走査されるようになっており、感光体１０１上の露光光Ｌbが照射される位置を露光部１０７という。転写装置１０５は感光体１０１の下面と対向しており、感光体１０１上の転写装置１０５と対向する位置を転写部１０８という。
【００５２】
転写紙Ｐは、不図示の給紙トレイから給紙コロ１１０により送り出され、搬送ガイドにより案内されてレジストローラ１０９で一旦停止する。転写部８より転写紙搬送方向下流側の位置には加熱ローラ１１１を有する加熱装置としての定着装置１１２が配置されている。
【００５３】
本実施の形態の画像形成装置においては、次のように画像形成が行われる。使用時には感光体１０１が回転を始め、この感光体１０１の回転中に感光体１０１が暗中において帯電装置１０２により均一に帯電され、露光手段によりミラー１０３を介して露光光Ｌbが感光体１０１の露光部１０７に照射されて感光体１０１が走査されることにより、形成すべき画像に対応した静電潜像が形成される。感光体１０１上の静電潜像は、感光体１０１の回転により現像装置１０４のところに移動してきて、ここで現像装置１０４によりトナーで可視像化されてトナー像が形成される。
【００５４】
一方、給紙コロ１１０により給紙トレイから転写紙Ｐの給送が開始され、この転写紙Ｐは破線で示す搬送経路を経て一対のレジストローラ１０９の位置で一旦停止して感光体１０１上のトナー像と転写部１０８で合致するような送り出しのタイミングを待つ。この送り出しのタイミングが到来すると、レジストローラ１０９の位置で停止していた転写紙Ｐはレジストローラ１０９により送り出されて転写部１０８に向けて搬送される。
【００５５】
感光体１０１上のトナー像と転写紙Ｐとは転写部１０８で合致し、転写装置１０５による電界により感光体１０１上のトナー像が転写紙Ｐに転写される。従って、感光体１０１、帯電装置１０２、露光手段、現像手段１０４、転写装置１０５は、転写紙Ｐ上に未定着のトナー像からなる未定着画像を形成する像形成手段を構成する。転写紙Ｐは、転写されたトナー像を担持し、定着装置１１２に向けて搬送される。この転写紙Ｐは、定着装置１１２を通過する間に加熱、圧力によりトナー像が定着され、図示しない排紙部に排紙される。また、転写部１０８で転写されずに感光体１０１上に残った残留トナーは、感光体１０１の回転と共にクリーニング装置１０６に至り、クリーニング装置１０６を通過する間にブレード１０６ａで清掃されて次の画像形成に備える。
【００５６】
図２（ａ）は定着装置を拡大した図を示す。定着装置は、加熱部としての定着ローラ１１１と、この定着ローラ１１１に圧接される加圧部材としての加圧ローラ１１３とを有する。定着ローラ１１１及び加圧ローラ１１３は図示しない駆動部により回転駆動され、定着ローラ１１１はＡＣ定着ヒータ６１、６２、及びＤＣ定着ヒータ２２の発熱により加熱されて温度が上がる。このＡＣ定着ヒータ６１、６２及びＤＣ定着ヒータ２２は、ハロゲンヒータが用いられているが、ハロゲンヒータに限られず、その他抵抗発熱体などの発熱部材を用いてもよい。
【００５７】
定着ローラ１１１の表面にはサーミスタ２８ａ、６１０ａ、６２０ａが当接され、定着ローラ１１１の表面温度（定着温度）を検出する。サーミスタ６１０ａは一方のＡＣ定着ヒータ、サーミスタ６２０ａは他方のＡＣ定着ヒータに対応する測定領域に配置され、サーミスタ２８ａはＤＣ定着ヒータ２２に対応する測定領域に配置されている。
【００５８】
ＡＣ定着ヒータ６１、６２は、定着ローラ１１１の温度が目標温度に達していないときにＯＮされて定着ローラ１１１を加熱する主たるヒータである。また、ＤＣ定着ヒータ２２は、画像形成装置の主電源投入の時や省エネのためのオフモード時からコピー可能となるまでの立ち上げ時等、すなわち、定着装置１１２のウォームアップ時にＯＮされたり、又は、画像形成時に定着ローラ１１１の温度が目標温度に達してないときにＯＮされる定着ローラ１１１を加熱する補助的なヒータ（補助ヒータ）である。
【００５９】
このような定着装置１１２では、トナー画像を担持した転写紙Ｐが定着ローラ１１１と加圧ローラ１１３とのニップ部を通過する際に定着ローラ１１１及び加圧ローラ１１３によって加熱及び加圧される。これにより、転写紙Ｐにはトナー画像が定着される。
【００６０】
また、定着装置１１２の形態は図２（ａ）の形態に限られるものではなく、ＤＣ定着ヒータ２２により補助的にローラを加熱するものであればどのような形態であってもよい。図２（ｂ）は、定着装置の別の一形態であるベルト定着装置の一例を示す。
【００６１】
ベルト定着装置は、ベルトローラ１１５とヒートローラ１１７とに定着ベルト１２０がループ状に張架されている。また、ベルトローラ１１５とヒートローラ１１７との間で定着ベルト１２０を狭圧する加圧ロータ１１６を備える。ヒートローラ１１７にはＡＣ定着ヒータ６１，６２と昇温されたヒートローラ１１７の温度を検出するサーミスタ６１０a、６２０ａが備えられている。また、加圧ローラ１１６には、ハロゲンヒータ２２と、ハロゲンヒーター２２により昇温された加圧ローラ１１６の温度を検出するサーミスタ２８ａが備えられている。
【００６２】
ベルトローラ１１５が回転駆動すると、定着ベルト１２０を介してヒートローラ１１７が回転すると共に、定着ベルト１２０を加圧する加圧ローラ１１６が摺動抵抗により回転する。トナー画像が形成された転写紙Ｐを定着ベルト１２０と加圧ローラ１１６との間を搬送することにより、トナー画像を融着して転写紙Ｐに定着させる。以下、ＤＣ定着ヒータに電力を供給する蓄電装置について実施例を挙げて説明する。
【実施例１】
【００６３】
図３は本実施の蓄電装置の概略回路図を示す。図３の蓄電装置は、交流の商用電源が整流された後にＤＣ／ＤＣコンバータ１２に接続され、ＤＣ／ＤＣコンバータ１２の出力が画像形成装置の本体負荷２０と充電部３１に接続されている。充電部３１は高周波トランスを有し、ＤＣ／ＤＣコンバータ１２の電圧Ｖ１を電圧Ｖ２に昇圧し、キャパシタバンク９に充電する。充電された電力は、ＤＣ定着ヒータ２２の温度に応じて昇温ＦＥＴ制御バッファ回路１９ｂにより定着ヒータ２２に供給される。また、ＤＣ／ＤＣコンバータ１２と本体負荷２０は、開閉回路２６を介して接続されており、画像形成動作を行う場合には開閉回路２６が閉じてＤＣ／ＤＣコンバータ１２から供給される電力を使用して本体負荷２０が画像形成を行う。その際、定着ヒータの温度が所定よりも低い場合、キャパシタバンク９から放電され定着ヒータ９に電力が供給される。また、画像形成動作が行われていない場合、開閉回路２６が開いてもキャパシタバンク９の充電を行うことができる。以下、詳細に説明する。
【００６４】
図４は蓄電装置及び画像形成装置の回路図を示す。なお、図４において図３と同一構成部分には同一の符号を付した。交流電源は、主電源スイッチ１１、フィルタ１及び全波整流回路２を介してＤＣ／ＤＣコンバータ１２と接続されている。ＤＣ／ＤＣコンバータ１２は充電部３１に接続されると共に、開閉回路２６を介して本体負荷２０に接続されている。充電部３１は充電電圧検出回路１６及び均等化回路１７を介してキャパシタバンク９に接続されている。キャパシタバンク９は、放電回路１９を介してＤＣ定着ヒータ２２に接続される。また、交流電源とＡＣ定着ヒータ６１、６２が接続されている。ＤＣ定着ヒータ２２、ＡＣ定着ヒータ６１及び６２の温度は、それぞれに対応して配置されたＤＣヒータ用サーミスタ２８ａ、ＡＣヒータ用サーミスタ６１０ａ及び６２０ａにより検出される。交流電源はまた、全波整流回路３２を介してＤＣ／ＤＣコンバータ３３と接続されており、不図示の本体負荷と接続される。ＤＣ／ＤＣコンバータ３３は省エネ解除ＳＷ２４に接続されており、省エネモードの場合省エネ解除ＳＷ２４が開き、省エネモードが解除される場合閉じた状態となる。
【００６５】
蓄電装置は、定着ヒータの温度制御や開閉回路２６の開閉を制御するエンジン制御部１０を有し、エンジン制御部１０は充電部３１が有する定電流／定電力充電電圧発生回路７、及び、リレードライブ回路２５を介して開閉回路２６と接続されている。また、エンジン制御部１０は充電電圧検出回路１６、放電回路１９、ＤＣヒータ２２、ＡＣヒータ６１、６２、コントロール回路８、サーミスタ２８ａ、ＡＣヒータ用サーミスタ６１０ａ及び６２０ａ、本体負荷２０、コントロール回路８と接続されている。なお、蓄電装置単体の構成については後述する。
【００６６】
はじめに、画像形成装置の全体を制御するコントロール回路８について簡単に説明する。  コントロール回路８は、画像形成装置の全体を制御するＣＰＵ８ａとＣＰＵ８ａに接続された、シリアルコントローラ（ＳＣＩ）８ｂ、ＲＯＭ，ＲＡＭ、プリンタで使用する画像展開用のワークメモリ、書き込み画像のイメージデータを、一時蓄えるフレームメモリ、ＣＰＵ周辺を制御する機能を搭載したＡＳＩＣ及びそのインターフェース回路等で構成される。  ＲＯＭには画像形成のための各種のプログラムが格納されており、例えば、エンジン制御部１０との通信を行ったり、開閉回路の開閉や切替回路の切り替えをエンジン制御部１０に指示する。
【００６７】
ＣＰＵ８ａには、ユーザのパネルの操作を検出してシステム設定の入力を行い、また、ユーザにシステムの設定内容状態を表示する操作部制御回路７３、定着ヒータの温度制御を行うエンジン制御部１０が、シリアルコントローラ（ＳＣＩ）８ｂを介して接続されている。ユーザが画像形成を行うためにパネル等を操作すると、操作制御回路７３が操作の内容を検出して、エンジン制御部１０に画像形成を指示する画像形成動作開始信号をエンジン制御部１０に送出する。
【００６８】
次に、ＡＣ電源からの充電部３１を介しキャパシタバンク９に充電される動作を説明する。主電源スイッチ１１を介して交流電源（商用電源）と全波整流回路２とが接続されており、交流電源からの交流は全波整流回路２で全波整流される。全波整流回路２は平滑コンデンサＣ４及びＤＣ／ＤＣコンバータ１２と接続されており、全波整流回路２からの出力は平滑コンデンサＣ４によりリップル成分等が除去されると共に、ＤＣ／ＤＣコンバータ１２に入力される。
【００６９】
ＤＣ／ＤＣコンバータ１２により所定の電圧に安定化された出力は画像形成装置の負荷２０に供給され、画像形成装置の表示部や制御装置に供給される。画像形成装置の負荷２０については後述する。
【００７０】
また、ＤＣ／ＤＣコンバータ１２は充電部３１に接続されている。充電部３１は、高周波トランス３、整流回路４、チョークコイル５及びコンデンサＣ２、スイッチングレギュレータＩＣ（以下、単にスイッチングＩＣという）１３、ＦＥＴ６、及び、定電流／定電力充電電圧発生回路７を有する。
【００７１】
ＤＣ／ＤＣコンバータ１２により所定の電圧に安定化された出力は、開閉回路２６を介して画像形成装置の負荷２０に供給される。開閉回路２６はリレー２６ａを有し、リレー２６ａに通電されると開閉回路２６が閉じ、ＤＣ／ＤＣコンバータ１２から画像形成装置の負荷２０に電力が供給される。
【００７２】
ＤＣ／ＤＣコンバータ１２からの出力は、高周波トランス３の一次コイル３ａに接続され、一次コイル３ａにスイッチング手段としてＦＥＴ６が直列に接続されている。スイッチングＩＣ１３から出力されるＰＷＭ信号によりＦＥＴ６は、ＯＮ，ＯＦＦ動作し、一次コイル３ａにはスイッチング電流が流れる。
【００７３】
この一次コイル３ａに流れるスイッチング電流により、高周波トランス３の二次コイル３ｂにスイッチ電圧が誘起される。したがって、スイッチング電流の導通期間を制御することで、二次コイル３ｂの出力電圧の制御を行うことができる。
【００７４】
高周波トランス３の二次コイル３ｂには整流回路４としてダイオードが接続され、スイッチング電圧は整流回路４で整流され、チュークコイル５及びコンデンサＣ２により平滑され、直流出力に変換される。直流出力はダイオードＤ３を介してキャパシタバンク９に供給され、キャパシタバンク９の個々のキャパシタセルが充電される。
【００７５】
スイッチングＩＣ１３はＰＷＭ信号を発生させ、ＦＥＴ６のゲートにＰＷＭ信号を入力して一次コイル３ａの導通期間を制御し、高周波トランス３の出力電圧を制御する。ＰＷＭ信号の周波数は、スイッチングＩＣ１３の出力側に接続される抵抗値とコンダンサ容量（いずれも不図示）により決定される。
【００７６】
スイッチングＩＣ１３は、定電流／定電力充電電圧発生回路７から供給される出力電圧に応じ、パルス幅を変調させる電圧―パルス幅変換回路を備えている。したがって、スイッチングＩＣ１３は、定電流／定電力充電電圧発生回路７の出力電圧に応じ、変調されたパルス幅のＰＷＭ信号をＦＥＴ６のゲートに出力する。ＰＷＭ信号のパルス幅に基づき高周波トランス３の一次コイル３ａがスイッチングされるので、高周波トランス３の二次コイル３ｂの出力電圧を制御して発生させることができる。
【００７７】
本実施例のキャパシタバンク９には、満杯充電時にＡ〔Ｖ〕になるキャパシタセル（電気二重層コンデンサセ）がｎ個、直列に接続されている。従って、ｎ個のキャパシタセルが満充電になると、Ａ×ｎ〔Ｖ〕（以下、単にＢボルトという）の電圧が蓄電される。
キャパシタバンク９の両端には、充電電圧検出回路１６が接続され、充電電圧検出回路１６の出力は定電流／定電力充電電圧発生回路７及びエンジン制御部１０のＡ／Ｄコンバータ１０ｂにそれぞれ接続される。充電電圧検出回路１６は抵抗Ｒ２と抵抗Ｒ３により分割回路を構成され、抵抗Ｒ２と抵抗Ｒ３の分圧によりキャパシタバンク９の電圧を検出する。
【００７８】
また、平滑用コンデンサＣ２とキャパシタバンク９の間には抵抗Ｒ１が直列に接続されており、抵抗Ｒ１の両端の電圧を監視することで、キャパシタバンク９の充電電流を検出できる。抵抗Ｒ１の両端電圧は定電流充電／定電力充電圧発生回路７に入力される。
【００７９】
キャパシタバンク９は、キャパシタセル個々の満充電を検出しバイパス回路を動作させ、各キャパシタセルの充電電圧を均等化する均等化回路１７に接続されている。充電部３１によりキャパシタセル９ａが充電され満充電の２．５Ｖに充電されると、均等化回路１７ａは充電電流を他のキャパシタセルにバイパスする。他のキャパシタセルに並列に接続されたバイパス回路も同様な動作を行ない、各キャパシタセルの充電電圧が均等化される。
【００８０】
均等化回路１７は、何れかのキャパシタセルの満充電を検知し、バイパス回路を動作させると、定電流／定電力充電電圧発生回路７に単セル満充電信号４４を出力する。また、均等化回路１７は、全てのキャパシタセルの満充電を検知し、全てのバイパス回路を動作させると、定電流／定電力充電電圧発生回路７に全てのキャパシタセルの満充電信号４５を出力する。なお、均等化回路１７については後に詳述する。
【００８１】
定電流／定電力充電電圧発生回路７について説明する。定電流／定電力充電電圧発生回路７は、特許請求の範囲におけるキャパシタへの充電を制御する回路制御部に相当する。定電流／定電力充電電圧発生回路７は、キャパシタバンク９の充電電圧や充電電流に基づき、キャパシタバンク９を定電流充電又は定電力充電するよう昇圧回路である高周波トランス３を制御する。
【００８２】
定電流／定電力充電電圧発生回路７は、キャパシタバンク９の充電電圧検出、充電電流の検出、均等化回路１７の動作を検出し、キャパシタバンク９を定電流充電／定電力充電するための電圧を発生させ、スイッチングＩＣ１３に出力する回路である。
【００８３】
定電流／定電力充電電圧発生回路７は、キャパシタバンク９と直列に接続された抵抗Ｒ１の端子間電圧を逐次検出し、この端子間電圧に応じて予め設定された電圧を、スイッチング１３に出力する。低電流／定電力充電電圧発生回路７は、ＣＰＵ７ａ、ＳＣＩ７ｂ、Ａ／Ｄコンバータ７ｃ及び充電電流検出回路７ｄを有する。
【００８４】
定電流／定電力充電電圧発生回路７はキャパシタバンク９の端子間電圧を充電電圧検出回路１６の出力により検出し、キャパシタバンク９の端子間電圧が、予め設定された値より低い場合には、予め設定された定電流充電にする電圧をスイッチングＩＣ１３に出力する。なお、スイッチングＩＣ１３に出力する電圧は、端子間電圧と、出力する電圧の関係を予め作成したテーブルを使用してもよいし、演算により算出してもよい。
【００８５】
キャパシタバンク９の端子間電圧が予め設定された値以上になると、定電流／定電力充電電圧発生回路７は、定電力充電を行うために、前述したようにキャパシタバンク９の充電電流と、キャパシタバンク９の端子間電圧の検出を行い、検出した充電電流と充電電圧に応じて予め設定された定電力充電を行うための電圧をスイッチングＩＣ１３に出力する。
【００８６】
スイッチングＩＣ１３に出力する電圧は、キャパシタバンク９の充電電流とキャパシタバンク９の端子間電圧に基づき、定電力充電を行うための電圧として予め演算により決定されている。スイッチングＩＣ１３は、この電圧に対応したＰＷＭ信号をＦＥＴ６のゲートに出力する。
【００８７】
また、定電流／定電力充電電圧発生回路７は、単セル満充電信号４４を検出すると、予め設定された定電流充電にする電圧を、スイッチングＩＣ１３に出力する。次に、定電流／定電力充電電圧発生回路７は、全てのキャパシタセルの満充電信号４５を検出すると、充電動作を停止する信号を、スイッチングＩＣ１３に出力する。
【００８８】
キャパシタバンク９は放電回路１９に接続されており、後述するようにキャパシタバンク９に蓄電された電力はエンジン制御部１０の制御によりＤＣ定着ヒータ２２に供給される。
【００８９】
続いて、エンジン制御部１０について説明する。エンジン制御部１０は、キャパシタバンク９への充電又はキャパシタバンク９の放電を制御する充電制御部を有する。
【００９０】
エンジ制御部１０は、ＣＰＵ１０ａに接続されたシリアルコントローラ（ＳＣＩ）１０ｄ、入出力ポート１０ｃ、Ａ／Ｄコンバータ１０ｂ及びＲＯＭ、ＲＡＭ、タイマ（割り込み制御回路（ＩＮＴ））を有する。ＲＯＭには、エンジン制御部１０を充電制御部として機能させるプログラムが格納されており、主電源スイッチ１１がオンにされるとプログラムがＲＡＭに読み出されＣＰＵが実行する。
【００９１】
Ａ／Ｄポート１０ｂには、定着装置の定着ローラ１２１の表面温度（定着温度）を検出する温度検出回路２８、６１０、６２０が接続されている。
【００９２】
温度検出回路２８は、ＤＣヒータ用サーミスタ２８ａと直列に接続された抵抗Ｒ１０とで構成され、ＤＣ定着ヒータ２２に対応する測定領域の温度を検出する回路である。温度検出回路６１０は、ＡＣヒータ用サーミスタ６１０ａと直列に接続された抵抗Ｒ１１とで構成され、ＡＣ定着ヒータ６１に対応する測定領域の温度を検出する回路である。温度検出回路６２０は、ＡＣヒータ用サーミスタ６２０ａと直列に接続された抵抗Ｒ１２とで構成され、ＡＣ定着ヒータ６２に対応する測定領域の温度を検出する回路である。
【００９３】
ＡＣ定着ヒータ６１及びＡＣ定着ヒータ６２は、ＡＣヒータ制御回路４３により供給される電力が制御される。ＤＣ定着ヒータ２２は、放電回路１９により供給される電力が制御される。
入出力ポート１０ｃには、ＡＣ定着ヒータ６１、６２に電力を供給するＡＣヒータ制御回路４３及びＤＣ定着ヒータ２２に電力を供給する放電回路１９が接続されている。また、入出力ポート１０ｃには、画像形成動作を行うために必要な、モータ、ソレノイド、クラッチ等の負荷２０が接続されている。また、入出力ポート１０ｃはリレー２６ａを駆動する制御するリレードライブ回路２５が接続されている。
【００９４】
エンジン制御部１０は、定電流／定電力充電電圧発生回路７とシリアルコントローラ（ＳＣＩ）１０ｄを介して通信を行う。エンジン制御部１０は、キャパシタバンク９の端子間電圧を充電電圧検出回路１６により検出し、キャパシタバンク９の電力放電が可能か判断する。また、エンジン制御部１０は放電中ではない場合、待機中、又は、省エネモード時等に、定電流／定電力充電電圧発生回路７に充電指示信号または充電可能信号を出力する。
【００９５】
まず、ＡＣヒータ制御回路４３の説明を行う。主電源ＯＮ時及び通常のコピー動作時には、エンジン制御部１０はトナー定着のためにＡＣ定着ヒータ６１及びＡＣ定着ヒータ６２に電力を供給する。
【００９６】
エンジン制御部１０は、温度検出回路６１０又は温度検出回路６２０により予め設定された温度以下の温度が検出されると、フォトトライアックドライブ回路３５又は３６にフォトトライアック３５、３６をＯＮする信号を出力する。これにより、ＡＣ定着ヒータ６１又は６２に電力が供給される。
【００９７】
温度検出回路６１０又は温度検出回路６２０が予め設定された温度以上の温度を検出すると、エンジン制御部１０はフォトトライアックドライブ回路３５、３６にフォトトライアック３５、３６をＯＦＦする信号を出力する。これにより、ＡＣ定着ヒータ６１又は６２への電力供給が停止される。
【００９８】
次に、ＤＣ定着ヒータ２２への電力供給について説明する。エンジン制御部１０は、主電源がＯＮされた場合、又は、連続コピー時に温度検出回路２８が、未定着画像が発生する温度を検知すると、キャパシタバンク９の電力放電を行うための信号を入出力ポート１０ｃよりＦＥＴ制御バッファ回路１９ｂとリレー駆動回路１９ａに出力する。ＦＥＴ制御バッファ回路１９ｂはＦＥＴをＯＮし、また、リレー駆動回路１９ａによりリレーが閉じられ、ＤＣ定着ヒータ２２へキャパシタバンク９から電力が供給される。
【００９９】
また、エンジン制御部１０は温度検出回路２８が予め設定された温度以上の温度検出を行うと、キャパシタバンク９の電力放電の停止を行うための信号を入出力ポート１０ｃよりＦＥＴ制御バッファー回路１９ｂとリレー駆動回路１９ａに出力する。ＦＥＴ制御バッファ回路１９ｂはＦＥＴをＯＦＦし、また、リレー駆動回路１９ａによりリレーが開放され、ＤＣ定着ヒータ２２への電力供給が中止される。
【０１００】
まお、画像形成装置は画像形成動作が終了後、一定時間が経過すると省エネモードに入るため、エンジン制御部１０はＤＣ／ＤＣコンバータ３３に一部の電源出力停止信号を入出力ポート１０ｃより出力する。省エネ解除ＳＷ２４（圧版開放ＳＷ，ＡＤＦの原稿検知ＳＷ等）が閉じられることで、ＤＣ／ＤＣコンバータ３３が通常の動作に復帰し省エネモードが解除される。また、画像形成動作が終了後、更に時間が経過した場合、開閉回路２６を開いて消費電力を低減することができる。
【０１０１】
続いて、均等化回路１７について詳細に説明する。図５は、均等化回路１７の回路図を示す。各キャパシタセル（図５ではキャパシタセルＣ１）には均等化回路１７が並列に接続されたている。したがって、キャパシタセル１８個と並列に、バランス回路が１８個、直列に接続されている。なお、図５では３つ目以降のキャパシタセルを省略した。
【０１０２】
Ｃ１〜Ｃ１８は、電力を貯蓄するために直列に接続された電気二重層キャパシタである。
バランス回路１７１は、キャパシタＣ１の端子間に並列に接続される。バランス回路１７１は、シャントレギュレータＸ１と、抵抗Ｒ２１〜Ｒ２９、トランジスタＱ１、ダイオードＤ１とを有する。
【０１０３】
抵抗Ｒ２１とＲ２２からなる分圧回路と、シャントレギュレータＸ１によりキャパシタセルＣ１の端子電圧が検出される。シャントレギュレータＸ１の制御端子に抵抗Ｒ２１とＲ２２からなる分圧回路の分圧電圧が入力され、キャパシタセルＣ１の端子電圧が所定の電圧に充電されると、シャントレギュレータＸ１がＯＮとなる。
【０１０４】
シャントレギュレータＸ１がＯＮになると、抵抗Ｒ２３を通してトランジスタＱ１にベース電流が流れＯＮとなる。トランジスタＱ１がＯＮになると、抵抗Ｒ２５の抵抗値により定まる電流で、キャパシタセルＣ１の充電電流が経路Ｉ２をとおりキャパシタセルＣ２にバイパスされる。
【０１０５】
また、トランジスタＱ１がＯＮすると、トランジスタＱ２もＯＮし、フォトカプラＴＬＰ１，ＴＰＬ２の発光ダイオードに抵抗Ｒ２７，Ｒ２８を通して電流が流れる。フォトカプラＴＬＰ２はＣｅｌｌＦｕｌｌ端子と接続されており、キャパシタセルが充電されると単セル満充電信号４４を出力する。フォトカプラＴＬＰ１はＢａｎｋ  Ｆｕｌｌ端子と接続されると共に、他のバランス回路と直列に接続されているので、全てのキャパシタセルが所定の電圧に充電され、全てのバランス回路が動作することにより、全セル満充電信号４５を出力する。
【０１０６】
全セル満充電信号４５により、定電流／定電力充電電圧発生回路７は充電を停止し、満充電信号をエンジン制御部１０のＣＰＵ１０ａに送信する。エンジン制御部１０はこの信号により、放電回路１９のリレー駆動回路１９ａを閉じる。
【０１０７】
また、全セル満充電信号４５により、エンジン制御部１０は、開閉回路２６のリレー２６ａを閉じる。
【０１０８】
なお、エンジン制御部１０は、充電部が充電を開始するとセットされる充電中フラグを有しており、全セル満充電信号４５を受信した場合に充電中フラグをリセットし、全セル満充電信号４５を受信しない場合には充電中フラグをセットする。
【０１０９】
以上の構成を用いて、エンジン制御部１０のＣＰＵ１０ａが開閉回路２６の開閉制御及び充電制御を行う動作について図６のフローチャート図に基づき説明する。
【０１１０】
エンジン制御部１０は、定期的又は所定のタイミングで定電流／定電力充電電圧発生回路７から、全セル満充電信号４５が送信されているか否か判定する（Ｓ１１）。
【０１１１】
また、例えば、画像形成装置が省エネモードに入った場合、画像形成装置のコントロール回路８が動作モードを示す動作モード信号をエンジン制御部１０に送信するので、エンジン制御部１０は動作モード信号を受信したタイミングで全セル満充電信号４５が送信されているか否か判定する。これにより動作モードに応じて開閉回路２６の開閉制御ができる。
【０１１２】
全セル満充電信号４５が送信されている場合（ステップＳ１１のＹｅｓ）は、キャパシタバンク９を充電する必要が無いので、開閉回路２６を閉じる信号を入出力ポート１０ｃからリレードライブ回路２５に出力する（Ｓ１２）。これにより、ＤＣ／ＤＣコンバータ１２の出力は本体負荷２０側に供給される。エンジン制御部１０は、キャパシタバンク９が充電中でないので充電中フラグをリセットする（Ｓ１３）。
【０１１３】
満充電でない場合（ステップＳ１１のＮｏ）、充電部３１が受電中か否か判定する（Ｓ１４）。充電中か否かは、充電中フラグを参照してもよいし、定電流／定電力充電電圧発生回路７と通信して判定してもよい。充電中の場合（ステップＳ１４のＹｅｓ）、充電中のフラグをセットし（Ｓ１５）、処理を終了する。なお、フローチャート図に図示してないが、エンジン制御部１０は充電中フラグがセットされている場合、画像形成動作を禁止し、また、省エネモードへの移行を禁止する。
【０１１４】
次いで、エンジン制御部１０は画像形成装置から画像形成動作開始信号が受信されたか否かを判定する（Ｓ１６）。受信された場合（ステップＳ１６のＹｅｓ）、エンジン制御部１０は画像形成動作を行い（Ｓ２２）、画像形成動作が終了するまで待機する（Ｓ２２、Ｓ２３）。画像形成中に、ＤＣ定着ヒータ２２の温度が未定着画像が発生する程度に低下するとエンジン制御部１０はＦＥＴ制御バッファ回路１９ｂのＦＥＴをオンしてキャパシタバンク９から電力を供給する。
【０１１５】
画像形成動作が終了した場合（ステップＳ２３のＹｅｓ）、画像形成により充電電圧が低下したか否か判定する（Ｓ１７）。
【０１１６】
画像形成動作開始信号が受信されない場合（ステップＳ１６のＮｏ）、又は、画像形成動作が終了すると、エンジン制御部１０はキヤシタバンク９の充電電圧が所定以下（例えばＣ〔Ｖ〕）か否か判定する（Ｓ１７）。ただし、Ｃ＜Ｂ。
【０１１７】
充電電圧がＣ〔Ｖ〕以下の場合（ステップＳ１７のＹｅｓ）、入出力ポート１０ｃより、開閉回路２６を開放する信号をリレードライブ回路２５に出力する（Ｓ１８）。これにより、ＤＣ／ＤＣコンバータ１２の出力を充電部３１側に全て使用することができる。
【０１１８】
また、エンジン制御部１０は、定電流／定電力充電電圧発生回路７に充電可能信号を送信する（Ｓ１９）。これにより定電流／定電力充電電圧発生回路７は、充電が可能になる。
【０１１９】
次いで、エンジン制御部１０は、充電部３１が定電流充電する為の電流値を定電流／定電力充電電圧発生回路に送信する（Ｓ２０）。そして、充電部３１が定電力充電するための電力値を充電部に送信する（Ｓ２１）。充電部３１は、エンジン制御部１０より定電流充電するための電流値、定電力充電するための電力値が送信された場合は、この電流値又は電力値により定電流充電または定電力充電を行うが、送信されない場合は予め設定された値により定電流充電または定電力充電を行う。充電中フラグがセットされ処理が終了する。
【０１２０】
充電部３１は、充電が可能な状態であれば充電を行う。フローチャート図では示さないが、充電部３１は充電を開始するとエンジン制御部１０に充電中であることを示す充電中信号を送信する。エンジン制御部１０は充電中信号が充電部３１より送信されると、画像形成動作を禁止とする。そして、全セル満充電信号４５が検出されると、画像形成動作の開始を許可とする。
【０１２１】
キャパシタバンク９の蓄電を必要としない動作モードの場合、例えば数枚のコピーの場合、充電電圧がＣ〔Ｖ〕以下であっても、エンジン制御部１０は画像形成動作を許可する。
【０１２２】
充電電圧がＣ〔Ｖ〕以下でない場合（ステップＳ１７のＮｏ）、充電する必要がないので処理は終了する。
【０１２３】
ところで、ステップＳ２３で画像形成が終了して所定時間が経過すると、画像形成装置は段階的に定着ヒータの温度を下げて管理したりＣＰＵや液晶など表示パネルへの供給電力を削減する省エネモードに移行する。本実施例の蓄電装置は、省エネモード時に開閉回路２６を開いて本体負荷２０に供給する電力をゼロにしても、充電電圧がＣ〔Ｖ〕以下である場合にはキャパシタバンク９に充電できる。
【０１２４】
画像形成装置は、画像形成を行う場合や終了した場合に、開閉回路２６の開閉を指示する開閉指示信号をエンジン制御部１０に送信する。エンジン制御部１０が開閉指示信号に基づき開閉回路２６を制御する処理を図７のフローチャート図に基づき説明する。
【０１２５】
画像形成装置のコントロール回路８が開閉指示信号をエンジン制御部１０に送信すると、エンジン制御部１０は開閉回路２６を開放する信号か否か判定する（Ｓ６１）。
【０１２６】
開閉回路２６を開放する信号であった場合（ステップＳ６１のＹｅｓ）、エンジン制御部１０は開閉回路２６を開放する（Ｓ６２）。これによりＤＣ／ＤＣコンバータ１２の出力を全て使用して充電が可能となる。
【０１２７】
開閉回路２６を開放する信号でない場合（ステップＳ６１のＮｏ）、エンジン制御部１０は開閉回路２６を閉じ、処理を終了する（Ｓ６３）。
【０１２８】
画像形成装置が画像形成動作中でなく、かつ、充電電圧が所定より低い場合、定電流／定電力充電電圧発生回路７は、キャパシタバンクに定電流又は定電力の充電を行う。図８は、定電流／定電力充電電圧発生回路７のＣＰＵ７ａが充電動作を制御する処理の流れを示すフローチャート図である。本実施例では、エンジン制御部１０の充電指示信号を受けて定電流／定電力充電電圧発生回路７が充電する場合を説明する。
【０１２９】
定電流／定電力充電電圧発生回路７は、エンジン制御部１０から定電力充電する電力値が送信されているか否か判定する（Ｓ２６）。送信されている場合（ステップＳ２６のＹｅｓ）は、その電力値を蓄電装置のＲＡＭ（メモリー）に記憶する（Ｓ２７）。
【０１３０】
定電力充電する電力値が送信されてない場合（ステップＳ２６のＮｏ）、定電流充電する充電電流値が送信されているか否か判定する（Ｓ２８）。送信されている場合（ステップＳ２８のＹｅｓ）、その電流値を蓄電装置のＲＡＭに記憶する（Ｓ２９）。
【０１３１】
次いで、エンジン制御部１０から充電可能信号が入力されたか否かを判定する（Ｓ３１）。充電可能信号が入力されるまでステップＳ３１の判定を繰り返す。
【０１３２】
充電可能信号が入力されている場合（ステップＳ３１のＹｅｓ）、次に充電電圧がＢ〔Ｖ〕（フル充電状態か）以下か否か判定する（Ｓ３２）。充電電圧がＢ〔Ｖ〕以下でない場合（ステップＳ３２のＮｏ）、充電する必要がないので、満充電信号４５をエンジン制御部１０に送信し処理が終了する（Ｓ３３）。この場合、充電しないので開閉回路２６を閉じる（Ｓ４４）。エンジン制御部１０は、満充電信号を画像形成装置のコントロール回路８に送信する。
【０１３３】
充電電圧がＢ〔Ｖ〕以下の場合（ステップＳ３２のＹｅｓ）、すなわち、フル充電でない場合、充電動作中信号をエンジン制御部１０に送信する（Ｓ３４）。
【０１３４】
次いで、定電流／定電力充電電圧発生回路７は、充電電圧が所定の電圧（例えばＤ〔Ｖ〕）以下か否か判定する（Ｓ３５）。但し、Ｄ＜Ｃ＜Ｂ。
【０１３５】
充電電圧がＤ〔Ｖ〕以下の場合（ステップＳ３５のＹｅｓ）、定電流／定電力充電電圧発生回路７は定電流充電動作を実施する充電動作を行なう（Ｓ３６）。定電流／定電力充電電圧発生回路７は充電電圧がＤボルトになるまで定電流充電を行う。
【０１３６】
充電電圧がＤ〔Ｖ〕以下でない場合（ステップＳ３５のＮｏ）、電流／低電力充電電圧発生回路７は、定電力充電を行う（Ｓ３７）。電流／低電力充電電圧発生回路７は、定電力充電を行いながらセル満充電信号４４が検出されるか否か判定し（Ｓ３８）、セル満充電信号４４が検出されるまで定電力充電を行う。
【０１３７】
何れかのセル満充電信号４４が検出されると（ステップＳ３８のＹｅｓ）、電流／低電力充電電圧発生回路７は、定電流充電を行う（Ｓ３９）。電流／低電力充電電圧発生回路７は、定電流充電を行いながら全セル満充電信号４５が検出されるか否か判定し（Ｓ４０）、全セル満充電信号４５が検出されるまで定電流充電を行う。
【０１３８】
全セル満充電信号が検出されると（ステップＳ４０のＹｅｓ）、電流／低電力充電電圧発生回路７は、充電を停止させるためスイッチングＩＣ６をオフする（Ｓ４１）。ついで、開閉回路２６を閉じ（Ｓ４２）、充電動作完了信号をエンジン制御部１０に送信し（Ｓ４３）、処理を終了する。なお、エンジン制御部１０は、満充電信号を画像形成装置のコントロール回路８に送信する。
【０１３９】
以上説明したように本実施例によれば、画像形成動作に必要な場合、ＤＣ／ＤＣコンバータ１２の出力を画像形成装置の電源として使用し、充電動作の場合にのみ（数秒から数十秒程度）、ＤＣ／ＤＣコンバータ１２を充電器として使用することにより、専用の充電器を必要とせず補助電源に充電できる。したがって、製造コストや実装スペースを低減して蓄電装置又は画像形成装置を提供できる。
【０１４０】
本実施例の蓄電装置は、高周波トランス３が絶縁型であるので、キャパシタバンク９側とＤＣ／ＤＣコンバータ１２側とで絶縁されている。画像形成装置の本体負荷２０はＤＣ／ＤＣコンバータ１２が生成するＶ１ボルトで動作するが、仮にキャパシタバンク９がＶ１ボルトより低い電圧まで放電されてもキャパシタバンク９にＤＣ／ＤＣコンバータ１２から電流が流れ込み本体負荷の電圧が低下することがない。
【０１４１】
また、省エネモード時に開閉回路２６を開いておいても、ＤＣ／ＤＣコンバータ１２から充電部３１に電流を流すことができるので、省エネモード時であってもキャパシタバンク９に充電することができる。
【実施例２】
【０１４２】
図９は、本実施例の蓄電装置の概略回路図を示す。なお、図９において図３と同一構成部分には同一の符号を付しその説明は省略する。本実施例の蓄電装置は、開閉回路２６を介さずにＤＣ／ＤＣコンバータ１２から本体負荷２０に電力が供給される点で実施例１と異なる。画像形成動作を行う場合には、ＤＣ／ＤＣコンバータ１２から供給される電力を使用して本体負荷２０が画像形成を行う。その際、定着ヒータの温度が所定よりも低い場合、キャパシタバンク９から放電され定着ヒータ９に電力が供給される。また、画像形成動作が行われていない場合、キャパシタバンク９の充電を行うことができる。以下、詳細に説明するが、実施例１と同一部分の説明は省略する。
【０１４３】
図１０は、本実施例の蓄電装置及び画像形成装置の回路図を示す。図９に示したように、図１０の回路図は開閉回路２６を有さない点で図４と異なる。なお、その他の構成部分は図４と同様であるので説明は省略する。
【０１４４】
図１０のようにＤＣ／ＤＣコンバータ１２と本体負荷２０とが常時接続されている場合、主電源スイッチ１１がオンにされると本体負荷２０にも電力が供給される。本体負荷２０により画像形成が行われない場合、充電部３１はＤＣ／ＤＣコンバータ１２からの出力を昇圧してキャパシタバンク９に充電できる。
【０１４５】
以上の構成を用いて、エンジン制御部１０が充電制御を行う動作について図１１のフローチャート図に基づき説明する。なお、図１１のフローチャート図は開閉回路２６の開閉制御がない以外は実施例１と同様である。図６と同じステップには同じステップ番号を付与した。
【０１４６】
エンジン制御部１０は、定期的又は所定のタイミングで定電流／定電力充電電圧発生回路７から、全セル満充電信号４５が送信されているか否か判定する（Ｓ１１）。
【０１４７】
また、例えば、画像形成装置が省エネモードに入った場合、画像形成装置のコントロール回路８が動作モードを示す動作モード信号をエンジン制御部１０に送信するので、エンジン制御部１０は動作モード信号を受信したタイミングで全セル満充電信号４５が送信されているか否か判定する。
【０１４８】
全セル満充電信号４５が送信されている場合（ステップＳ１１のＹｅｓ）は、キャパシタバンク９が充電中でないので充電中フラグをリセットする（Ｓ１３）。
【０１４９】
満充電でない場合（ステップＳ１１のＮｏ）、充電部３１が受電中か否か判定する（Ｓ１４）。充電中か否かは、充電中フラグを参照してもよいし、定電流／定電力充電電圧発生回路７と通信して判定してもよい。
【０１５０】
充電中の場合（ステップＳ１４のＹｅｓ）、充電中のフラグをセットし（Ｓ１５）、処理を終了する。なお、フローチャート図に図示してないが、エンジン制御部１０のＣＰＵ１０ａは充電中フラグがセットされている場合、画像形成動作を禁止し、また、省エネモードへの移行を禁止する。
【０１５１】
次いで、エンジン制御部１０は画像形成装置が画像形成動作を実行中か否かを判定する（Ｓ１６）。画像形成動作中の場合（ステップＳ１６のＹｅｓ）、エンジン制御部１０は画像形成動作を行い（Ｓ２２）、画像形成動作が終了するまで待機する（Ｓ２２、Ｓ２３）。画像形成中に、ＤＣ定着ヒータ２２の温度が未定着画像が発生する程度に低下するとエンジン制御部１０はＦＥＴ制御バッファ回路１９ｂのＦＥＴをオンしてキャパシタバンク９から電力を供給する。
【０１５２】
画像形成動作が終了した場合（ステップＳ２３のＹｅｓ）、画像形成により充電電圧が低下したか否か判定する（Ｓ１７）。
【０１５３】
画像形成装置が画像形成動作を実施中でない場合（ステップＳ１６のＮｏ）、又は、画像形成動作が終了すると、エンジン制御部１０はキヤシタバンク９の充電電圧が所定以下（例えばＣ〔Ｖ〕）か否か判定する（Ｓ１７）。ただし、Ｃ＜Ｂ。
【０１５４】
充電電圧がＣ〔Ｖ〕以下の場合（ステップＳ１７のＹｅｓ）、エンジン制御部１０は、定電流／定電力充電電圧発生回路７に充電可能信号を送信する（Ｓ１９）。これにより定電流／定電力充電電圧発生回路７は、充電が可能になる。
【０１５５】
次いで、エンジン制御部１０は、充電部３１が定電流充電する為の電流値を定電流／定電力充電電圧発生回路に送信する（Ｓ２０）。そして、充電部３１が定電力充電するための電力値を充電部に送信する（Ｓ２１）。充電部３１は、エンジン制御部１０より定電流充電するための電流値、定電力充電するための電力値が送信された場合は、この電流値又は電力値により定電流充電または定電力充電を行うが、送信されない場合は予め設定された値により定電流充電または定電力充電を行う。充電中フラグがセットされ処理が終了する。
【０１５６】
充電部３１は、充電が可能な状態であれば充電を行う。フローチャート図では示さないが、充電部３１は充電を開始するとエンジン制御部１０に充電中の信号を送信する。エンジン制御部１０はこの信号が充電部３１より送信されると、画像形成動作を禁止とする。そして、全セル満充電信号４５が検出されると、画像形成動作の開始を許可とする。
【０１５７】
キャパシタバンク９の蓄電を必要としない動作モードの場合、例えば数枚のコピーの場合、充電電圧がＣ〔Ｖ〕以下であっても、エンジン制御部１０は画像形成動作を許可する。
【０１５８】
なお、充電電圧がＣ〔Ｖ〕以下でない場合（ステップＳ１７のＮｏ）、充電する必要がないので処理は終了する。
【０１５９】
ところで、ステップＳ２３で画像形成が終了して所定時間が経過すると、画像形成装置は段階的に定着ヒータの温度を下げて管理したりＣＰＵや液晶など表示パネルへの供給電力を削減する省エネモードに移行する。
【０１６０】
続いて、  定電流／定電力充電電圧発生回路７のＣＰＵ７ａが充電動作を制御する処理の流れを図１２のフローチャート図に基づき説明する。なお、図１２の処理は図８の処理と開閉回路２６の開閉処理がない以外では同一である。
【０１６１】
定電流／定電力充電電圧発生回路７は、エンジン制御部１０から定電力充電する電力値が送信されているか否か判定する（Ｓ２６）。送信されている場合（ステップＳ２６のＹｅｓ）は、その電力値を蓄電装置のＲＡＭ（メモリー）に記憶する（Ｓ２７）。
【０１６２】
定電力充電する電力値が送信されてない場合（ステップＳ２６のＮｏ）、定電流充電する充電電流値が送信されているか否か判定する（Ｓ２８）。送信されている場合（ステップＳ２８のＹｅｓ）、その電流値を蓄電装置のＲＡＭに記憶する（Ｓ２９）。
【０１６３】
次いで、エンジン制御部１０から充電可能信号が入力されたか否かを判定する（Ｓ３１）。充電可能信号が入力されるまでステップＳ３１の判定を繰り返す。
【０１６４】
充電可能信号が入力されている場合（ステップＳ３１のＹｅｓ）、次に充電電圧がＢ〔Ｖ〕（フル充電状態か）以下か否か判定する（Ｓ３２）。充電電圧がＢ〔Ｖ〕以下でない場合（ステップＳ３２のＮｏ）、充電する必要がないので、満充電信号４５をエンジン制御部１０に送信し処理が終了する（Ｓ３３）。
【０１６５】
充電電圧がＢ〔Ｖ〕以下の場合（ステップＳ３２のＹｅｓ）、すなわち、フル充電でない場合、充電動作中信号をエンジン制御部１０に送信する（Ｓ３４）。
【０１６６】
次いで、定電流／定電力充電電圧発生回路７は、充電電圧が所定の電圧（例えばＤ〔Ｖ〕）以下か否か判定する（Ｓ３５）。但し、Ｄ＜Ｃ＜Ｂ。
【０１６７】
充電電圧がＤ〔Ｖ〕以下の場合（ステップＳ３５のＹｅｓ）、定電流／定電力充電電圧発生回路７は定電流充電動作を実施する充電動作を行なう（Ｓ３６）。定電流／定電力充電電圧発生回路７は充電電圧がＤボルトになるまで低電流充電を行う。
【０１６８】
充電電圧がＤ〔Ｖ〕以下でない場合（ステップＳ３５のＮｏ）、電流／低電力充電電圧発生回路７は、定電力充電を行う（Ｓ３７）。電流／低電力充電電圧発生回路７は、定電力充電を行いながらセル満充電信号４４が検出されるか否か判定し（Ｓ３８）、セル満充電信号４４が検出されるまで定電力充電を行う。
【０１６９】
いずれかのセル満充電信号４４が検出されると（ステップＳ３８のＹｅｓ）、電流／低電力充電電圧発生回路７は、定電流充電を行う（Ｓ３９）。電流／低電力充電電圧発生回路７は、定電流充電を行いながら全セル満充電信号４５が検出されるか否か判定し（Ｓ４０）、全セル満充電信号４５が検出されるまで定電流充電を行う。
【０１７０】
全セル満充電信号が検出されると（ステップＳ４０のＹｅｓ）、電流／低電力充電電圧発生回路７は、充電を停止させるためスイッチングＩＣ６をオフする（Ｓ４１）。ついで、全セル満充電信号４５をエンジン制御部１０に送信し（Ｓ４３）、処理を終了する。
【０１７１】
以上説明したように本実施例によれば、画像形成動作に必要な場合、ＤＣ／ＤＣコンバータ１２の出力を画像形成装置の電源として使用し、充電動作の場合には（数秒から数十秒程度）、ＤＣ／ＤＣコンバータ１２を充電器として使用することにより、専用の充電器を必要とせず補助電源に充電できる。したがって、製造コストや実装スペースを低減して蓄電装置又は画像形成装置を提供できる。
【０１７２】
本実施例の蓄電装置は、高周波トランス３が絶縁型であるので、キャパシタバンク９側とＤＣ／ＤＣコンバータ１２側とで絶縁されている。画像形成装置の本体負荷２０はＤＣ／ＤＣコンバータ１２が生成するＶ１ボルトで動作するが、仮にキャパシタバンク９がＶ１ボルトより低い電圧まで放電されてもキャパシタバンク９にＤＣ／ＤＣコンバータ１２から電流が流れ込み本体負荷の電圧が低下することがない。
【実施例３】
【０１７３】
図１３は、本実施例の蓄電装置の概略回路図を示す。なお、図１３において図３と同一構成部分には同一の符号を付す。
【０１７４】
図１３の蓄電装置は、交流の商用電源が整流された後にＤＣ／ＤＣコンバータ１２に接続され、ＤＣ／ＤＣコンバータ１２の出力が画像形成装置の本体負荷２０接続されている。また、開閉回路４を介してＤＣ／ＤＣコンバータ１２と充電部３１とが接続されている。
充電部３１は昇圧チョッパ回路を有し、ＤＣ／ＤＣコンバータ１２の電圧Ｖ１を電圧Ｖ２に昇圧し、キャパシタバンク９に充電する。充電された電力は、ＤＣ定着ヒータ２２の温度に応じて昇温ＦＥＴ制御バッファ回路１９ｂにより定着ヒータ２２に供給される。
【０１７５】
画像形成動作を行う場合、開閉回路４が開いて、ＤＣ／ＤＣコンバータ１２から供給される電力を全て使用して画像形成が行われる。その際、定着ヒータの温度が所定よりも低い場合、キャパシタバンク９から放電され定着ヒータ９に電力が供給される。
【０１７６】
画像形成動作が行われていない場合、開閉回路４が閉じるように制御され充電部３１に電力が供給されキャパシタバンク９を充電できる。以下、詳細に説明する。
【０１７７】
図１４は蓄電装置及び画像形成装置の回路図を示す。なお、図１４において図４と同一構成部分には同一の符号を付した。交流電源は、主電源スイッチ１１、フィルタ１及び全波整流回路２を介してＤＣ／ＤＣコンバータ１２と接続されている。ＤＣ／ＤＣコンバータ１２は本体負荷２０に接続されている。
【０１７８】
また、ＤＣ／ＤＣコンバータ１２は開閉回路４を介して充電部３１に接続される。充電部３１は充電電圧検出回路１６及び均等化回路１７を介してキャパシタバンク９に接続されている。キャパシタバンク９は、放電回路１９を介してＤＣ定着ヒータ２２に接続される。また、交流電源とＡＣ定着ヒータ６１、６２が接続されている。ＤＣ定着ヒータ２２、ＡＣ定着ヒータ６１及び６２の温度は、それぞれに対応して配置されたＤＣヒータ用サーミスタ２８ａ、ＡＣヒータ用サーミスタ６１０ａ及び６２０ａにより検出される。交流電源はまた、全波整流回路３２を介してＤＣ／ＤＣコンバータ１４と接続されており、不図示の本体負荷と接続される。ＤＣ／ＤＣコンバータ１４は省エネ解除ＳＷ２４に接続されており、省エネモードの場合省エネ解除ＳＷ２４が開き、省エネモードが解除される場合閉じた状態となる。
【０１７９】
また、画像形成動作が終了後、更に時間が経過した場合、開閉回路４を開いて消費電力を低減することができる。
【０１８０】
蓄電装置は、定着ヒータの温度制御や開閉回路４の開閉を制御するエンジン制御部１０を有し、エンジン制御部１０は充電部３１が有する定電流／定電力充電電圧発生回路７、及び、リレードライブ回路２５を介して開閉回路４と接続されている。また、エンジン制御部１０は充電電圧検出回路１６、放電回路１９、ＤＣヒータ２２、ＡＣヒータ６１、６２、コントロール回路８、サーミスタ２８ａ、ＡＣヒータ用サーミスタ６１０ａ及び６２０ａ、本体負荷２０、と接続されている。
【０１８１】
はじめに、画像形成装置の全体を制御するコントロール回路８について簡単に説明する。  コントロール回路８は、画像形成装置の全体を制御するＣＰＵ８ａとＣＰＵ８ａに接続された、シリアルコントローラ（ＳＣＩ）８ｂ、ＲＯＭ，ＲＡＭ、プリンタで使用する画像展開用のワークメモリ、書き込み画像のイメージデータを、一時蓄えるフレームメモリ、ＣＰＵ周辺を制御する機能を搭載したＡＳＩＣ及びそのインターフェース回路等で構成される。  ＲＯＭには画像形成のための各種のプログラムが格納されており、例えば、エンジン制御部１０との通信を行ったり、開閉回路の開閉や切替回路の切り替えをエンジン制御部１０に指示する。
【０１８２】
ＣＰＵ８ａには、ユーザのパネルの操作を検出してシステム設定の入力を行い、また、ユーザにシステムの設定内容状態を表示する操作部制御回路７３、定着ヒータの温度制御を行うエンジン制御部１０が、シリアルコントローラ（ＳＣＩ）８ｂを介して接続されている。ユーザが画像形成を行うためにパネル等を操作すると、操作制御回路７３が操作の内容を検出して、エンジン制御部１０に画像形成を指示する画像形成動作開始信号をエンジン制御部１０に送出する。
【０１８３】
次に、ＡＣ電源からの充電部３１を介しキャパシタバンク９に充電される動作を説明する。主電源スイッチ１１を介して交流電源（商用電源）と全波整流回路２とが接続されており、交流電源からの交流は全波整流回路２で全波整流される。全波整流回路２は平滑コンデンサＣ４及びＤＣ／ＤＣコンバータ１２と接続されており、全波整流回路２からの出力は平滑コンデンサＣ４によりリップル成分等が除去されると共に、ＤＣ／ＤＣコンバータ１２に入力される。
【０１８４】
ＤＣ／ＤＣコンバータ１２により所定の電圧に安定化された出力は画像形成装置の負荷２０に供給され、画像形成装置の表示部や制御装置に供給される。画像形成装置の負荷２０については後述する。
【０１８５】
また、ＤＣ／ＤＣコンバータ１２は開閉回路４を介して充電部３１に接続されている。充電部３１は、昇圧チョッパ回路３、スイッチング回路６及び定電流／定電力充電用ＰＷＭ発生回路７を有するように構成される。昇圧チョッパ回路３は、昇圧チョークコイル５、平滑コンデンサＣ２を有し、また、スイッチング回路６はＦＥＴ６ａを有する。
【０１８６】
ＤＣ／ＤＣコンバータ１２は開閉回路４がオンの場合に昇圧チョークコイル５及び昇圧整流ダイオードＤ３に直列に接続される。また昇圧チョークコイル５と並列に、ＦＥＴ６ａを設けたスイッチング回路６及び平滑用コンデンサーＣ２が接続されている。
【０１８７】
ＤＣ／ＤＣコンバータ１２により所定の電圧に安定化された出力は、後述する定電流／定電力充電用ＰＷＭ発生回路７から出力されるＰＷＭ信号により、ＦＥＴ６ａがＯＮされると、ＤＣ／ＤＣコンバータ１２の出力により、昇圧チョークコイル５に電流が流れエネルギが蓄積され続いてＦＥＴ６ａがオフされることで、オン期間に昇圧チョークコイル５に蓄積したエネルギーを入力電圧に重畳して出力し、この電流が昇圧整流ダイオードＤ３を通して、平滑用コンデンサＣ２に貯えられる。この動作が繰り返され昇圧が行われる。この昇圧平滑された電圧が、キャパシタバンク９に供給され、このキャパシタバンク９の個々のキャパシタセルが充電される。
【０１８８】
昇圧チョークコイル５で昇圧される電圧の大きさ、ＤＣ／ＤＣコンバータ１２の出力電圧（入力電圧）と、ＰＷＭ信号のオン期間とオフ期間のデューティ比で決定される。
【０１８９】
キャパシタバンク９の充電電圧は、抵抗Ｒ２と抵抗Ｒ３により分圧された充電電圧検出回路１６により検出され、定電流／定電力充電用ＰＷＭ発生回路７にフィードバックされる。定電流／定電力充電用ＰＷＭ発生回路７は充電電圧を監視し、ＰＷＭ信号のＯＮデューティを変え、昇圧電圧を制御する。
【０１９０】
本実施例のキャパシタバンク９には、満杯充電時にＡ〔Ｖ〕になるキャパシタセル（電気二重層コンデンサセ）がｎ個、直列に接続されている。従って、ｎ個のキャパシタセルが満充電になると、Ａ×ｎ〔Ｖ〕（以下、単にＢボルトという）の電圧が蓄電される。
【０１９１】
キャパシタバンク９の両端には、充電電圧検出回路１６が接続され、充電電圧検出回路１６の出力は定電流／定電力充電用ＰＷＭ発生回路７及びエンジン制御部１０のＡ／Ｄコンバータ１０ｂにそれぞれ接続される。充電電圧検出回路１６は抵抗Ｒ２と抵抗Ｒ３により分割回路を構成され、抵抗Ｒ２と抵抗Ｒ３の分圧によりキャパシタバンク９の電圧を検出する。
【０１９２】
充電電圧検出回路１６により検出され充電電圧は、定電流／定電力充電用ＰＷＭ発生回路７のＡ／Ｄコンバータ７ｃ及びエンジン制御部１０のＡ／Ｄコンバーター１０ｂに入力される。
【０１９３】
また、平滑用コンデンサＣ２とキャパシタバンク９の間には抵抗Ｒ１が直列に接続されており、抵抗Ｒ１の両端の電圧を監視することで、キャパシタバンク９の充電電流を検出できる。充電電流は、定電流／定電力充電用ＰＷＭ発生回路７の充電電流検出回路７ｄに入力される。
【０１９４】
キャパシタバンク９は、キャパシタセル個々の満充電を検出しバイパス回路を動作させ、各キャパシタセルの充電電圧を均等化する均等化回路１７に接続されている。充電部３１によりキャパシタセル９ａが充電され満充電の２．５Ｖに充電されると、均等化回路１７ａは充電電流を他のキャパシタセルにバイパスする。他のキャパシタセルに並列に接続されたバイパス回路も同様な動作を行ない、各キャパシタセルの充電電圧が均等化される。
【０１９５】
均等化回路１７は、何れかのキャパシタセルの満充電を検知し、バイパス回路を動作させると、定電流／定電力充電用ＰＷＭ発生回路７に単セル満充電信号４４を出力する。また、均等化回路１７は、全てのキャパシタセルの満充電を検知し、全てのバイパス回路を動作させると、定電流／定電力充電用ＰＷＭ発生回路７に全てのキャパシタセルの満充電信号４５を出力する。なお、均等化回路１７については実施例１で詳述したのでその詳細な説明は省略する。
【０１９６】
定電流／定電力充電電圧発生回路７について説明する。定電流／定電力充電電圧発生回路７は、キャパシタバンク９の充電電圧や充電電流に基づき、キャパシタバンク９を定電流充電又は定電力充電するよう昇圧回路である昇圧チョッパ回路を制御する。
【０１９７】
定電流／定電力充電用ＰＷＭ発生回路７は、キャパシタバンク９の充電電圧検出、充電電流の検出、均等化回路１７の動作を検出し、キャパシタバンク９を定電流充電又は定電力充電するための電圧を発生させ、スイッチングＩＣ１３に出力する回路である。
【０１９８】
定電流／定電力充電電圧発生回路７は、キャパシタバンク９の充電電圧、充電電流の検出及びバイパス回路の動作を検出し、キャパシタバンク９に定電流充電及び定電力充電を行うためのＰＷＭ信号を発生させる回路である。
【０１９９】
定電流／定電力充電電圧発生回路７は、ＣＰＵ７ａ、シリアルコントローラ（ＵＡＲＴ）７ｂ、Ａ／Ｄコンバータ７ｃ、充電電流検出回路７ｄ、ＲＯＭ、ＲＡＭ、ターマー、割り込み制御回路及び入出力ポートを有する。
【０２００】
定電流／定電力充電用ＰＷＭ発生回路７はキャパシタバンク９の端子間電圧を充電電圧検出回路１６の出力により検出し、キャパシタバンク９の端子間電圧が、予め設定された値より低い場合には、予め設定された定電流充電にするＰＷＭ信号を、スイチング回路６のＦＥＴ６ａのゲートに出力する。
【０２０１】
なお、この予め設定された定電流充電にするためのＰＷＭ信号は、抵抗Ｒ１の端子間電圧と、ＰＷＭ信号のＯＮデューティーとの関係に基づき予め作成したテーブルを使用してもよいし、演算により算出してもよい。
【０２０２】
キャパシタバンク９の端子間電圧が予め設定された値以上になると、定電流／定電力充電用ＰＷＭ発生回路７は、定電力充電を行うために、前述したようにキャパシタバンク９の充電電流と、キャパシタバンク９の端子間電圧の検出を行い、検出した充電電流と充電電圧に応じて予め設定された定電力充電を行うための電圧をＰＷＭ信号を、スイチング回路６のＦＥＴ６ａのゲートに出力する。
【０２０３】
ＦＥＴ６ａのゲートに出力するＰＷＭ信号は、キャパシタバンク９への充電電流と、キャパシタバンク９の端子間電圧の検出を行い、この検出した充電電流と充電電圧から、予め設定された定電力充電を行うためＰＷＭ信号を演算して決定される。
【０２０４】
また、定電流／定電力充電用ＰＷＭ発生回路７は、単セル満充電信号４４を検出すると、予め設定された定電流充電にするＰＷＭ信号を、スイチング回路６のＦＥＴ６ａのゲートに出力する。次に、定電流／定電力充電用ＰＷＭ発生回路７は、全てのキャパシタセルの満充電信号４５を検出すると、充電動作を停止する信号をスイチング回路６のＦＥＴ６ａのゲートに出力する。
【０２０５】
キャパシタバンク９は放電回路１９に接続されており、後述するようにキャパシタバンク９に蓄電された電力はエンジン制御部１０の制御によりＤＣ定着ヒータ２２に供給される。
【０２０６】
続いて、エンジン制御部１０について説明する。エンジン制御部１０は、キャパシタバンク９への充電又はキャパシタバンク９の放電を制御する充電制御部を有する。
【０２０７】
エンジン制御部１０は、ＣＰＵ１０ａに接続されたシリアルコントローラ（ＳＣＩ）１０ｄ、入出力ポート１０ｃ、Ａ／Ｄコンバータ１０ｂ及びＲＯＭ、ＲＡＭ、タイマ（割り込み制御回路（ＩＮＴ））を有する。ＲＯＭには、エンジン制御部１０を充電制御部として機能させるプログラムが格納されており、主電源スイッチ１１がオンにされるとプログラムがＲＡＭに読み出されＣＰＵが実行する。
【０２０８】
Ａ／Ｄポート１０ｂには、定着装置の定着ローラ１２１の表面温度（定着温度）を検出する温度検出回路２８、６１０、６２０が接続されている。
【０２０９】
温度検出回路２８は、ＤＣヒータ用サーミスタ２８ａと直列に接続された抵抗Ｒ１０とで構成され、ＤＣ定着ヒータ２２に対応する測定領域の温度を検出する回路である。温度検出回路６１０は、ＡＣヒータ用サーミスタ６１０ａと直列に接続された抵抗Ｒ１１とで構成され、ＡＣ定着ヒータ６１に対応する測定領域の温度を検出する回路である。温度検出回路６２０は、ＡＣヒータ用サーミスタ６２０ａと直列に接続された抵抗Ｒ１２とで構成され、ＡＣ定着ヒータ６２に対応する測定領域の温度を検出する回路である。
【０２１０】
ＡＣ定着ヒータ６１及びＡＣ定着ヒータ６２は、ＡＣヒータ制御回路４３により供給される電力が制御される。ＤＣ定着ヒータ２２は、放電回路１９により供給される電力が制御される。
【０２１１】
入出力ポート１０ｃには、ＡＣ定着ヒータ６１、６２に電力を供給するＡＣヒータ制御回路４３及びＤＣ定着ヒータ２２に電力を供給する放電回路１９が接続されている。また、入出力ポート１０ｃには、画像形成動作を行うために必要な、モータ、ソレノイド、クラッチ等の負荷２０が接続されている。また、入出力ポート１０ｃは、開閉回路４のリレー４ａを駆動する制御回路２５が接続されている。
【０２１２】
エンジン制御部１０は、定電流／定電力充電用ＰＷＭ発生回路７とシリアルコントローラ（ＳＣＩ）１０ｄを介して通信を行う。エンジン制御部１０は、キャパシタバンク９の端子間電圧を充電電圧検出回路１６により検出し、キャパシタバンク９の電力放電が可能か判断する。また、エンジン制御部１０は放電中ではない場合、待機中、又は、省エネモード時等に、定電流／定電力充電用ＰＷＭ発生回路７に充電指示信号若しくは充電許可信号、又は充電動作信号を出力する。
また、エンジン制御部１０は、キャパシタバンク９の端子間電圧を充電電圧検出回路１６により検出し、キャパシタバンク９の電力放電が可能か否か判断する。
続いて、まず、ＡＣヒータ制御回路４３の説明を行う。主電源ＯＮ時及び通常のコピー動作時には、エンジン制御部１０はトナー定着のためにＡＣ定着ヒータ６１及びＡＣ定着ヒータ６２に電力を供給する。
エンジン制御部１０は、温度検出回路６１０又は温度検出回路６２０により予め設定された温度以下の温度が検出されると、フォトトライアックドライブ回路３５又は３６にフォトトライアック３５、３６をＯＮする信号を出力する。これにより、定着ヒータ６１又は６２に電力が供給される。
【０２１３】
温度検出回路６１０又は温度検出回路６２０が予め設定された温度以上の温度を検出すると、エンジン制御部１０はフォトトライアックドライブ回路３５、３６にフォトトライアック３５、３６をＯＦＦする信号を出力する。これにより、ＡＣ定着ヒータ６１又は６２への電力供給が停止される。
【０２１４】
次に、ＤＣ定着ヒータ２２への電力供給について説明する。エンジン制御部１０は、主電源がＯＮされた場合、又は、連続コピー時に温度検出回路２８が、未定着画像が発生する温度を検知すると、開閉回路４を開放し本体負荷２０のみがＤＣ／ＤＣコンバータ１２と接続された状態にする。
【０２１５】
また、エンジン制御部１０は、キャパシタバンク９の電力放電を行うための信号を入出力ポート１０ｃよりＦＥＴ制御バッファ回路１９ｂとリレー駆動回路１９ａに出力する。ＦＥＴ制御バッファ回路１９ｂはＦＥＴをＯＮし、また、リレー駆動回路１９ａによりリレーが閉じられ、ＤＣ定着ヒータ２２へキャパシタバンク９から電力が供給される。
【０２１６】
また、エンジン制御部１０は温度検出回路２８が予め設定された温度以上の温度検出を行うと、キャパシタバンク９の電力放電の停止を行うための信号を入出力ポート１０ｃよりＦＥＴ制御バッファー回路１９ｂとリレー駆動回路１９ａに出力する。ＦＥＴ制御バッファ回路１９ｂはＦＥＴをＯＦＦし、また、リレー駆動回路１９ａによりリレーが開放され、ＤＣ定着ヒータ２２への電力供給が中止される。
【０２１７】
まお、画像形成装置は画像形成動作が終了後、一定時間が経過すると省エネモードに入るため、エンジン制御部１０はＤＣ／ＤＣコンバータ３３に一部の電源出力停止信号を入出力ポート１０ｃより出力する。省エネ解除ＳＷ２４（圧版開放ＳＷ，ＡＤＦの原稿検知ＳＷ等）が閉じられることで、ＤＣ／ＤＣコンバータ３３が通常の動作に復帰し省エネモードが解除される。
【０２１８】
なお、エンジン制御部１０は、充電部が充電を開始するとセットされる充電中フラグを有しており、均等化回路１７から出力される全セル満充電信号４５を受信した場合に充電中フラグをリセットし、全セル満充電信号４５を受信しない場合には充電中フラグをセットする。
【０２１９】
以上の構成を用いて、エンジン制御部１０のＣＰＵ１０ａが開閉回路４の開閉制御及び充電制御を行う動作について図１５のフローチャート図に基づき説明する。なお、図１５において、図６と同一ステップには同一の符号を付した。
【０２２０】
エンジン制御部１０は、定期的又は所定のタイミングで定電流／定電力充電用ＰＷＭ発生回路７から、全セル満充電信号４５が送信されているか否か判定する（Ｓ１１）。
【０２２１】
また、例えば、画像形成装置が省エネモードに入った場合、画像形成装置のコントロール回路８が動作モードを示す動作モード信号をエンジン制御部１０に送信するので、エンジン制御部１０は動作モード信号を受信したタイミングで全セル満充電信号４５が送信されているか否か判定する。これにより動作モードに応じて開閉回路４の切替制御ができる。
【０２２２】
全セル満充電信号４５が送信されている場合（ステップＳ１１のＹｅｓ）は、キャパシタバンク９を充電する必要が無いので、開閉回路４を閉じる信号を入出力ポート１０ｃからリレードライブ回路２５に出力する（Ｓ１０１）。これにより、ＤＣ／ＤＣコンバータ１２の出力は全て本体負荷２０側に供給される。エンジン制御部１０は、キャパシタバンク９が充電中でないので充電中フラグをリセットする（Ｓ１３）。
【０２２３】
満充電でない場合（ステップＳ１１のＮｏ）、充電部３１が受電中か否か判定する（Ｓ１４）。充電中か否かは、充電中フラグを参照してもよいし、低電流／低電力充電用ＰＷＭ発生回路７と通信して判定してもよい。充電中の場合（ステップＳ１４のＹｅｓ）、充電中のフラグをセットし（Ｓ１５）、処理を終了する。なお、フローチャート図に図示してないが、エンジン制御部１０のＣＰＵ１０ａは充電中フラグがセットされている場合、画像形成動作を禁止し、また、省エネモードへの移行を禁止する。
【０２２４】
次いで、エンジン制御部１０は操作部制御回路７３より画像形成動作開始指示信号が出力されているか否か判定する（Ｓ１６）。画像形成動作開始指示信号が出力されている場合（ステップＳ１６のＹｅｓ）、エンジン制御部１０は、入出力ポート１０ｃから開閉回路４を開放する信号をリレードライブ回路２５に出力する（Ｓ１０２）。これにより、ＤＣ／ＤＣコンバータ１２の出力を本体負荷２０に全て供給することができる。
【０２２５】
エンジン制御部１０は画像形成動作を行い（Ｓ２２）、画像形成動作が終了するまで待機する（Ｓ２２、Ｓ２３）。画像形成中に、ＤＣ定着ヒータ２２の温度が未定着画像が発生する程度に低下するとエンジン制御部１０はＦＥＴ制御バッファ回路１９ｂのＦＥＴをオンしてキャパシタバンク９から電力を供給する。
【０２２６】
画像形成動作が終了した場合（ステップＳ２３のＹｅｓ）、画像形成により充電電圧が低下したか否か判定する（Ｓ１７）。
画像形成装置が画像形成動作を実施中でない場合（ステップＳ１６のＮｏ）、又は、画像形成動作が終了すると、エンジン制御部１０はキヤシタバンク９の充電電圧が所定以下（例えばＣ〔Ｖ〕）か否か判定する（Ｓ１７）。但し、Ｃ＜Ｂ。
【０２２７】
充電電圧がＣ〔Ｖ〕以下の場合（ステップＳ１７のＹｅｓ）、入出力ポート１０ｃより、開閉回路４を閉じる信号をリレードライブ回路２５に出力する（Ｓ１０３）。これにより、ＤＣ／ＤＣコンバータ１２の出力を充電部３１側に供給することができる。
【０２２８】
また、エンジン制御部１０は、定電流／定電力充電用ＰＷＭ発生回路７に充電可能信号を送信する（Ｓ１９）。これにより定電流／定電力充電用ＰＷＭ発生生回路７は、充電が可能になる。
【０２２９】
次いで、エンジン制御部１０は、充電部３１が定電流充電する為の電流値を定電流／定電力充電用ＰＷＭ発生回路７に送信する（Ｓ２０）。そして、充電部３１が定電力充電するための電力値を充電部に送信する（Ｓ２１）。充電部３１は、エンジン制御部１０より定電流充電するための電流値、定電力充電するための電力値が送信された場合は、この電流値又は電力値により定電流充電または定電力充電を行うが、送信されない場合は予め設定された値により定電流充電または定電力充電を行う。充電中フラグがセットされ処理が終了する。
【０２３０】
充電部３１は、充電が可能な状態であれば充電を行う。フローチャート図では示さないが、充電部３１は充電を開始するとエンジン制御部１０に充電中の信号を送信する。エンジン制御部１０はこの信号が充電部３１より送信されると、画像形成動作を禁止とする。そして、全セル満充電信号４５が検出されると、画像形成動作の開始を許可とする。
【０２３１】
キャパシタバンク９の蓄電を必要としない動作モードの場合、例えば数枚のコピーの場合、充電電圧がＣ〔Ｖ〕以下であっても、エンジン制御部１０は画像形成動作を許可する。
【０２３２】
なお、充電電圧がＣ〔Ｖ〕以下でない場合（ステップＳ１７のＮｏ）、充電する必要がないので処理は終了する。
【０２３３】
ところで、ステップＳ２３で画像形成が終了して所定時間が経過すると、画像形成装置は段階的に定着ヒータの温度を下げて管理したりＣＰＵや液晶など表示パネルへの供給電力を削減する省エネモードに移行する。
【０２３４】
画像形成装置は、画像形成を行う場合や終了した場合に、開閉回路４の切替を指示する切替指示信号をエンジン制御部１０に送信する。エンジン制御部１０は、切替指示信号に基づき開閉回路４を制御する。なお、フローチャート図は、図７において開閉回路２６を開閉回路４に置き換えたものであるので省略する。
【０２３５】
画像形成装置のコントロール回路８が開閉指示信号をエンジン制御部１０に送信すると、エンジン制御部１０は開閉回路４を開放する信号か否か判定する（Ｓ６１）。
【０２３６】
開閉回路４を開放する信号であった場合（ステップＳ６１のＹｅｓ）、エンジン制御部１０は開閉回路４を開放する（Ｓ６２）。これによりＤＣ／ＤＣコンバータ１２の出力を全て使用して充電が可能となる。
【０２３７】
開閉回路４を開放する信号でない場合（ステップＳ６１のＮｏ）、エンジン制御部１０は開閉回路４を閉じ、処理を終了する（Ｓ６３）。
【０２３８】
画像形成装置が画像形成動作中でなく、かつ、充電電圧が所定より低い場合、定電流／定電力充電用ＰＷＭ発生回路７は、キャパシタバンクに定電流又は定電力の充電を行う。図１６は、定電流／定電力充電用ＰＷＭ発生回路７のＣＰＵ７ａが充電動作を制御する処理の流れを示すフローチャート図である。
【０２３９】
定電流／定電力充電用ＰＷＭ発生回路７は、エンジン制御部１０から充電可能信号が入力されたか否かを判定する（Ｓ３１）。充電可能信号が入力されるまでステップＳ３１の判定を繰り返す。
【０２４０】
充電可能信号が入力されている場合（ステップＳ３１のＹｅｓ）、次に充電電圧がＢ〔Ｖ〕（フル充電状態か）以下か否か判定する（Ｓ３２）。充電電圧がＢ〔Ｖ〕以下でない場合（ステップＳ３２のＮｏ）、充電する必要がないので、満充電信号４５をエンジン制御部１０に送信し処理が終了する（Ｓ３３）。この場合、充電しないので開閉回路４を閉じる（Ｓ４４）。
【０２４１】
充電電圧がＢ〔Ｖ〕以下の場合（ステップＳ３２のＹｅｓ）、すなわち、フル充電でない場合、充電動作中信号をエンジン制御部１０に送信する（Ｓ３４）。
【０２４２】
次いで、定電流／定電力充電用ＰＷＭ発生回路７は、充電電圧が所定の電圧（例えばＤ〔Ｖ〕）以下か否か判定する（Ｓ３５）。但し、Ｄ＜Ｃ＜Ｂ。
充電電圧がＤ〔Ｖ〕以下の場合（ステップＳ３５のＹｅｓ）、定電流／定電力充電用ＰＷＭ発生回路７は、定電流充電動作を行うため、充電部３１の充電電流を検出する（Ｓ２０１）。
【０２４３】
次いで、検出した充電電流に対応したＰＷＭ信号をスイッチング回路６のＦＥＴゲートに出力する（Ｓ２０２）。これにより、キャパシタバンク９は定電流充電される。
【０２４４】
定電流／定電力充電用ＰＷＭ発生回路７は、充電電圧がＤ〔Ｖ〕より大きくなるまで、定電流充電を継続する（Ｓ３５、Ｓ２０１）。
【０２４５】
充電電圧がＤ〔Ｖ〕以下でない場合（ステップＳ３５のＮｏ）、定電流／定電力充電用ＰＷＭ発生回路７は、定電力充電動作を実施するためにキャパシタバンク９の充電電流と充電電圧を検出する（Ｓ２０３）。
【０２４６】
次いで、定電流／定電力充電用ＰＷＭ発生回路７は、検出した充電電流と充電電圧に基づき定電力充電を行うためのＰＷＭ信号をスイッチング回路６のＦＥＴゲートに出力する。
【０２４７】
電流／低電力充電電圧発生回路７は、定電力充電を行いながらセル満充電信号４４が検出されるか否か判定し（Ｓ３８）、セル満充電信号４４が検出されるまで定電力充電を行う。
【０２４８】
何れかのセル満充電信号４４が検出されると（ステップＳ３８のＹｅｓ）、電流／低電力充電電圧発生回路７は、定電流充電を行う（Ｓ３９）。定電流／定電力充電用ＰＷＭ発生回路７は、定電流充電を行いながら全セル満充電信号４５が検出されるか否か判定し（Ｓ４０）、全セル満充電信号４５が検出されるまで定電流充電を行う。
【０２４９】
全セル満充電信号が検出されると（ステップＳ４０のＹｅｓ）、定電流／定電力充電用ＰＷＭ発生回路７は、充電を停止させるためＰＷＭ信号の出力を停止する（Ｓ２０５）。ついで、全セル満充電信号４５をエンジン制御部１０に送信し（Ｓ４３）、処理を終了する。
【０２５０】
以上説明したように本実施例の形態によれば、画像形成動作に必要な場合、ＤＣ／ＤＣコンバータ１２の出力を画像形成装置の電源として使用し、充電動作の場合にのみ（数秒から数十秒程度）、ＤＣ／ＤＣコンバータ１２を充電器として使用することにより、専用の充電器を必要とせず補助電源を充電できる。したがって、製造コストや実装スペースを低減して蓄電装置又は画像形成装置を提供できる。
【０２５１】
画像形成装置の本体負荷２０はＤＣ／ＤＣコンバータ１２が生成するＶ１ボルトで動作するが、仮にキャパシタバンク９がＶ１ボルトより低い電圧まで放電されても、放電時には開閉回路４が開いているので、キャパシタバンク９にＤＣ／ＤＣコンバータ１２から電流が流れ込み、本体負荷の電圧が低下することがない。
【実施例４】
【０２５２】
図１７は、本実施例の蓄電装置の概略回路図を示す。なお、図１７において図１３と同一構成部分には同一の符号を付す。
【０２５３】
図１７の蓄電装置は、交流の商用電源が整流された後にＤＣ／ＤＣコンバータ１２に接続され、ＤＣ／ＤＣコンバータ１２の出力が、切替回路７７を介して画像形成装置の本体負荷２０及び充電部３１と接続されている。
【０２５４】
充電部３１は昇圧チョッパ回路を有し、ＤＣ／ＤＣコンバータ１２の電圧Ｖ１を電圧Ｖ２に昇圧し、キャパシタバンク９に充電する。充電された電力は、ＤＣ定着ヒータ２２の温度に応じて昇温ＦＥＴ制御バッファ回路１９ｂにより定着ヒータ２２に供給される。
【０２５５】
また、切替回路７７は、ＤＣ／ＤＣコンバータ１２からの出力を本体負荷２０と充電部３１とで切り替える。画像形成動作を行う場合には切替回路７７が本体負荷２０に切り替わり、ＤＣ／ＤＣコンバータ１２から供給される電力を全て使用して本体負荷２０が画像形成を行う。その際、定着ヒータの温度が所定よりも低い場合、キャパシタバンク９から放電され定着ヒータ９に電力が供給される。
【０２５６】
また、画像形成動作が行われていない場合、切替回路７７が充電部３１に切り替わりキャパシタバンク９の充電を行うことができる。以下、詳細に説明するが、実施例３と同一部分の説明は省略する。
【０２５７】
図１８は蓄電装置及び画像形成装置の回路図を示す。なお、図１８において図１４と同一構成部分には同一の符号を付した。本実施例の充電部は、上述したとおり、図１４の切替回路７７が開閉回路２６に置き換えられている点で異なる。
【０２５８】
切替回路７７は、切替回路７７のリレー７７ａを有し、エンジン制御部１０によりリレードライブ回路２５を介して充電部３１又は本体負荷２０とに接続先が切り替えられる。
【０２５９】
したがって、実施例３の図１４によれば開閉回路４が閉じた状態では、ＤＣ／ＤＣコンバータ１２と本体負荷２０及び充電部３１とがいずれも接続された形態となるが、本実施例では、ＤＣ／ＤＣコンバータ１２の接続を、本体負荷２０又は充電部３１のいずれか一方に切り替えることができる。
【０２６０】
かかる構成では、エンジン制御部１０は、画像形成動作開始信号があった場合、切替回路７７を本体負荷２０に切り替え、キャパシタバンク９に充電する場合、充電部３１に切り替える。
【０２６１】
以上の構成を用いて、エンジン制御部１０のＣＰＵ１０ａが切替回路７７の開閉制御及び充電制御を行う動作について図１９のフローチャート図に基づき説明する。なお、図１９において図１５と同一ステップには同一の符号を付した。
【０２６２】
エンジン制御部１０は、定期的又は所定のタイミングで定電流／定電力充電用ＰＷＭ発生回路７から、全セル満充電信号４５が送信されているか否か判定する（Ｓ１１）。
【０２６３】
全セル満充電信号４５が送信されている場合（ステップＳ１１のＹｅｓ）は、エンジン制御部１０はキャパシタバンク９を充電する必要が無いので、切替回路７７を本体負荷２０に切り替える信号を入出力ポート１０ｃからリレードライブ回路２５に出力する（Ｓ１１１）。これにより、ＤＣ／ＤＣコンバータ１２の出力は全て本体負荷２０側に供給される。エンジン制御部１０は、キャパシタバンク９が充電中でないので充電中フラグをリセットする（Ｓ１３）。
【０２６４】
満充電でない場合（ステップＳ１１のＮｏ）、充電部３１が受電中か否か判定する（Ｓ１４）。充電中の場合（ステップＳ１４のＹｅｓ）、充電中のフラグをセットし（Ｓ１５）、処理を終了する。エンジン制御部１０のＣＰＵ１０ａは充電中フラグがセットされている場合、画像形成動作を禁止し、また、省エネモードへの移行を禁止する。
【０２６５】
次いで、エンジン制御部１０は操作部制御回路７３より画像形成動作開始指示信号が出力されているか否か判定する（Ｓ１６）。画像形成動作開始指示信号が出力されている場合（ステップＳ１６のＹｅｓ）、エンジン制御部１０は、入出力ポート１０ｃから切替回路７７を開放する信号をリレードライブ回路２５に出力する（Ｓ１０２）。これにより、ＤＣ／ＤＣコンバータ１２の出力を本体負荷２０に全て供給することができる。
【０２６６】
エンジン制御部１０は画像形成動作を行い（Ｓ２２）、画像形成動作が終了するまで待機する（Ｓ２２、Ｓ２３）。画像形成中に、ＤＣ定着ヒータ２２の温度が未定着画像が発生する程度に低下するとエンジン制御部１０はＦＥＴ制御バッファ回路１９ｂのＦＥＴをオンしてキャパシタバンク９から電力を供給する。
【０２６７】
画像形成動作が終了した場合（ステップＳ２３のＹｅｓ）、画像形成により充電電圧が低下したか否か判定する（Ｓ１７）。
【０２６８】
画像形成装置が画像形成動作を実施中でない場合（ステップＳ１６のＮｏ）、又は、画像形成動作が終了すると、エンジン制御部１０はキヤシタバンク９の充電電圧が所定以下（例えばＣ〔Ｖ〕）か否か判定する（Ｓ１７）。但し、Ｃ＜Ｂ。
【０２６９】
充電電圧がＣ〔Ｖ〕以下の場合（ステップＳ１７のＹｅｓ）、入出力ポート１０ｃより、切替回路７７を充電部３１に切り替える信号をリレードライブ回路２５に出力する（Ｓ１１３）。これにより、ＤＣ／ＤＣコンバータ１２の出力を充電部３１に供給することができる。
【０２７０】
また、エンジン制御部１０は、定電流／定電力充電用ＰＷＭ発生回路７に充電可能信号を送信する（Ｓ１９）。これにより定電流／定電力充電用ＰＷＭ発生生回路７は、充電が可能になる。
【０２７１】
次いで、エンジン制御部１０は、充電部３１が定電流充電する為の電流値を定電流／定電力充電用ＰＷＭ発生回路７に送信する（Ｓ２０）。そして、充電部３１が定電力充電するための電力値を充電部に送信する（Ｓ２１）。充電部３１は、エンジン制御部１０より定電流充電するための電流値、定電力充電するための電力値が送信された場合は、この電流値又は電力値により定電流充電または定電力充電を行うが、送信されない場合は予め設定された値により定電流充電または定電力充電を行う。充電中フラグがセットされ処理が終了する。
【０２７２】
充電部３１は、充電が可能な状態であれば充電を行う。フローチャート図では示さないが、充電部３１は充電を開始するとエンジン制御部１０に充電中の信号を送信する。エンジン制御部１０はこの信号が充電部３１より送信されると、画像形成動作を禁止とする。そして、全セル満充電信号４５が検出されると、画像形成動作の開始を許可とする。
【０２７３】
キャパシタバンク９の蓄電を必要としない動作モードの場合、例えば数枚のコピーの場合、充電電圧がＣ〔Ｖ〕以下であっても、エンジン制御部１０は画像形成動作を許可する。
【０２７４】
なお、充電電圧がＣ〔Ｖ〕以下でない場合（ステップＳ１７のＮｏ）、充電する必要がないので処理は終了する。
【０２７５】
ところで、ステップＳ２３で画像形成が終了して所定時間が経過すると、画像形成装置は段階的に定着ヒータの温度を下げて管理したりＣＰＵや液晶など表示パネルへの供給電力を削減する省エネモードに移行する。本実施例の蓄電装置は、省エネモード時に切替回路７７を充電部３１に切り替えて本体負荷２０に供給する電力をゼロにしても、充電電圧がＣ〔Ｖ〕以下である場合、キャパシタバンク９に充電できる。
【０２７６】
画像形成装置は、画像形成を行う場合や終了した場合に、切替回路７７の開閉を指示する開閉指示信号をエンジン制御部１０に送信する。エンジン制御部１０は、開閉指示信号に基づき切替回路７７を制御する。なお、当該処理の説明は実施例３と同一であるので省略する。
【０２７７】
続いて、  定電流／定電力充電用ＰＷＭ発生回路７のＣＰＵ７ａが充電動作を制御する処理の流れを図２０のフローチャート図に基づき説明する。なお、図２０の処理は図１６と同一である。
【０２７８】
定電流／定電力充電用ＰＷＭ発生回路７は、エンジン制御部１０から充電可能信号が入力されたか否かを判定する（Ｓ３１）。充電可能信号が入力されるまでステップＳ３１の判定を繰り返す。
【０２７９】
充電可能信号が入力されている場合（ステップＳ３１のＹｅｓ）、次に充電電圧がＢ〔Ｖ〕（フル充電状態か）以下か否か判定する（Ｓ３２）。充電電圧がＢ〔Ｖ〕以下でない場合（ステップＳ３２のＮｏ）、充電する必要がないので、満充電信号４５をエンジン制御部１０に送信し処理が終了する（Ｓ３３）。
【０２８０】
充電電圧がＢ〔Ｖ〕以下の場合（ステップＳ３２のＹｅｓ）、すなわち、フル充電でない場合、充電動作中信号をエンジン制御部１０に送信する（Ｓ３４）。
【０２８１】
次いで、定電流／定電力充電用ＰＷＭ発生回路７は、充電電圧が所定の電圧（例えばＤ〔Ｖ〕）以下か否か判定する（Ｓ３５）。但し、Ｄ＜Ｃ＜Ｂ。
【０２８２】
充電電圧がＤ〔Ｖ〕以下の場合（ステップＳ３５のＹｅｓ）、定電流／定電力充電用ＰＷＭ発生回路７は、定電流充電動作を行うため、充電部３１の充電電流を検出する（Ｓ２０１）。
【０２８３】
次いで、検出した充電電流に対応したＰＷＭ信号をスイッチング回路６のＦＥＴゲートに出力する（Ｓ２０２）。これにより、キャパシタバンク９は定電流充電される。
【０２８４】
定電流／定電力充電用ＰＷＭ発生回路７は、充電電圧がＤ〔Ｖ〕より大きくなるまで、定電流充電を継続する（Ｓ３５、Ｓ２０１）。
【０２８５】
充電電圧がＤ〔Ｖ〕以下でない場合（ステップＳ３５のＮｏ）、定電流／定電力充電用ＰＷＭ発生回路７は、定電力充電動作を実施するためにキャパシタバンク９の充電電流と充電電圧を検出する（Ｓ２０３）。
【０２８６】
次いで、定電流／定電力充電用ＰＷＭ発生回路７は、検出した充電電流と充電電圧に基づき定電力充電を行うためのＰＷＭ信号をスイッチング回路６のＦＥＴゲートに出力する。
【０２８７】
電流／低電力充電電圧発生回路７は、定電力充電を行いながらセル満充電信号４４が検出されるか否か判定し（Ｓ３８）、セル満充電信号４４が検出されるまで定電力充電を行う。
【０２８８】
何れかのセル満充電信号４４が検出されると（ステップＳ３８のＹｅｓ）、電流／低電力充電電圧発生回路７は、定電流充電を行う（Ｓ３９）。定電流／定電力充電用ＰＷＭ発生回路７は、定電流充電を行いながら全セル満充電信号４５が検出されるか否か判定し（Ｓ４０）、全セル満充電信号４５が検出されるまで定電流充電を行う。
【０２８９】
全セル満充電信号が検出されると（ステップＳ４０のＹｅｓ）、定電流／定電力充電用ＰＷＭ発生回路７は、充電を停止させるためＰＷＭ信号の出力を停止する（Ｓ２０５）。ついで、全セル満充電信号４５をエンジン制御部１０に送信し（Ｓ４３）、処理を終了する。
【０２９０】
以上説明したように本実施例の形態によれば、画像形成動作に必要な場合、ＤＣ／ＤＣコンバータ１２の出力を画像形成装置の電源として使用し、充電動作の場合にのみ（数秒から数十秒程度）、ＤＣ／ＤＣコンバータ１２を充電器として使用することにより、専用の充電器を必要とせず補助電源を充電できる。したがって、製造コストや実装スペースを低減して蓄電装置又は画像形成装置を提供できる。
【０２９１】
画像形成装置の本体負荷２０はＤＣ／ＤＣコンバータ１２が生成するＶ１ボルトで動作するが、仮にキャパシタバンク９がＶ１ボルトより低い電圧まで放電されても、放電時には切替回路７７が本体負荷２０に切り替わっているので、キャパシタバンク９にＤＣ／ＤＣコンバータ１２から電流が流れ込み、本体負荷の電圧が低下することがない。
【０２９２】
また、省エネモード時には開閉回路２６を充電部３１に切り替えることができるので、省エネモード時にキャパシタバンク９に充電することができる。
【実施例５】
【０２９３】
図２１は、本実施例の蓄電装置の概略回路図を示す。なお、図２１において図１３と同一構成部分には同一の符号を付す。
【０２９４】
図２１の蓄電装置は、交流の商用電源が整流された後にＤＣ／ＤＣコンバータ１２に接続され、ＤＣ／ＤＣコンバータ１２の出力が、開閉回路２６を介さずに画像形成装置の本体負荷２０及び充電部３１と接続されている点で図１３と異なる。
【０２９５】
充電部３１は昇圧チョッパ回路を有し、ＤＣ／ＤＣコンバータ１２の電圧Ｖ１を電圧Ｖ２に昇圧し、キャパシタバンク９に充電する。充電された電力は、ＤＣ定着ヒータ２２の温度に応じて昇温ＦＥＴ制御バッファ回路１９ｂにより定着ヒータ２２に供給される。
【０２９６】
画像形成動作を行う場合にはＤＣ／ＤＣコンバータ１２から供給される電力を使用して本体負荷２０が画像形成を行う。その際、定着ヒータの温度が所定よりも低い場合、キャパシタバンク９から放電され定着ヒータ９に電力が供給される。
【０２９７】
また、画像形成動作が行われていない場合、キャパシタバンク９の充電を行うことができる。本実施例では、開閉回路がないのでキャパシタバンク９に充電されている間も本体負荷２０に電力が供給される。以下、詳細に説明するが、実施例３と同一部分の説明は省略する。
【０２９８】
図２２は蓄電装置及び画像形成装置の回路図を示す。なお、図２２において図１４と同一構成部分には同一の符号を付した。本実施例の充電部は、上述したとおり、図１４の開閉回路４が省略され、ＤＣ／ＤＣコンバータ１２と充電部３１及び本体負荷２０とが常時接続されている点で異なる。
【０２９９】
したがって、本実施例では、開閉回路を制御することなく、ＤＣ／ＤＣコンバータ１２から供給される電力を使用して画像形成動作を行えると共に、画像形成動作を行わない場合にはＤＣ／ＤＣコンバータ１２の出力をキャパシタバンク９に充電できる。
【０３００】
以上の構成を用いて、エンジン制御部１０のＣＰＵ１０ａが充電制御を行う動作について図２３のフローチャート図に基づき説明する。
【０３０１】
エンジン制御部１０は、定期的又は所定のタイミングで定電流／定電力充電用ＰＷＭ発生回路７から、全セル満充電信号４５が送信されているか否か判定する（Ｓ１１）。
【０３０２】
全セル満充電信号４５が送信されている場合（ステップＳ１１のＹｅｓ）は、キャパシタバンク９が充電中でないので充電中フラグをリセットする（Ｓ１３）。
【０３０３】
満充電でない場合（ステップＳ１１のＮｏ）、充電部３１が受電中か否か判定する（Ｓ１４）。充電中か否かは、充電中フラグを参照してもよいし、低電流／低電力充電用ＰＷＭ発生回路７と通信して判定してもよい。充電中の場合（ステップＳ１４のＹｅｓ）、充電中のフラグをセットし（Ｓ１５）、処理を終了する。なお、フローチャート図に図示してないが、エンジン制御部１０のＣＰＵ１０ａは充電中フラグがセットされている場合、画像形成動作を禁止し、また、省エネモードへの移行を禁止する。
次いで、エンジン制御部１０は操作部制御回路７３より画像形成動作開始指示信号が出力されているか否か判定する（Ｓ１０１）。画像形成動作開始指示信号が出力されている場合（ステップＳ１０１のＹｅｓ）、エンジン制御部１０は、入出力ポート１０ｃから開閉回路４を開放する信号をリレードライブ回路２５に出力する（Ｓ１０２）。これにより、ＤＣ／ＤＣコンバータ１２の出力を本体負荷２０に全て供給することができる。
【０３０４】
エンジン制御部１０は画像形成動作を行い（Ｓ２２）、画像形成動作が終了するまで待機する（Ｓ２２、Ｓ２３）。画像形成中に、ＤＣ定着ヒータ２２の温度が未定着画像が発生する程度に低下するとエンジン制御部１０はＦＥＴ制御バッファ回路１９ｂのＦＥＴをオンしてキャパシタバンク９から電力を供給する。
【０３０５】
なお、充電されＶ２＞Ｖ１の充電電圧となったキャパシタバンク９から定着ヒータ２２に電力を供給してキャパシタバンク９の充電電圧が低下しＶ２＜Ｖ１となると、ＤＣ／ＤＣコンバータ１２からキャパシタバンク９に電流が流れ込むため好ましくない。このため、本実施例の充電部３１は、Ｖ１以下になったら放電を停止するよう、エンジン制御部１０に信号を送出する。
【０３０６】
画像形成動作が終了した場合（ステップＳ２３のＹｅｓ）、画像形成により充電電圧が低下したか否か判定する（Ｓ１７）。
【０３０７】
画像形成装置が画像形成動作を実施中でない場合（ステップＳ１６のＮｏ）、又は、画像形成動作が終了すると、エンジン制御部１０はキヤシタバンク９の充電電圧が所定以下（例えばＣ〔Ｖ〕）か否か判定する（Ｓ１７）。但し、Ｃ＜Ｂ。
【０３０８】
充電電圧がＣ〔Ｖ〕以下の場合（ステップＳ１７のＹｅｓ）、エンジン制御部１０は、定電流／定電力充電用ＰＷＭ発生回路７に充電可能信号を送信する（Ｓ１９）。これにより定電流／定電力充電用ＰＷＭ発生生回路７は、充電が可能になる。
【０３０９】
次いで、エンジン制御部１０は、充電部３１が定電流充電する為の電流値を定電流／定電力充電用ＰＷＭ発生回路７に送信する（Ｓ２０）。そして、充電部３１が定電力充電するための電力値を充電部に送信する（Ｓ２１）。充電部３１は、エンジン制御部１０より定電流充電するための電流値、定電力充電するための電力値が送信された場合は、この電流値又は電力値により定電流充電または定電力充電を行うが、送信されない場合は予め設定された値により定電流充電または定電力充電を行う。充電中フラグがセットされ処理が終了する。
【０３１０】
充電部３１は充電が可能な状態であれば充電を行う。フローチャート図では示さないが、充電部３１は充電を開始するとエンジン制御部１０に充電中の信号を送信する。エンジン制御部１０はこの信号が充電部３１より送信されると、画像形成動作を禁止とする。そして、全セル満充電信号４５が検出されると、画像形成動作の開始を許可とする。
【０３１１】
キャパシタバンク９の蓄電を必要としない動作モードの場合、例えば数枚のコピーの場合、充電電圧がＣ〔Ｖ〕以下であっても、エンジン制御部１０は画像形成動作を許可する。
【０３１２】
なお、充電電圧がＣ〔Ｖ〕以下でない場合（ステップＳ１７のＮｏ）、充電する必要がないので処理は終了する。
【０３１３】
続いて、  定電流／定電力充電用ＰＷＭ発生回路７のＣＰＵ７ａが充電動作を制御する処理の流れを図２４のフローチャート図に基づき説明する。なお、図２４の処理は図１６の処理、すなわち開閉回路２６がある場合と同様である。
【０３１４】
定電流／定電力充電用ＰＷＭ発生回路７は、エンジン制御部１０から充電可能信号が入力されたか否かを判定する（Ｓ３１）。充電可能信号が入力されるまでステップＳ３１の判定を繰り返す。
【０３１５】
充電可能信号が入力されている場合（ステップＳ３１のＹｅｓ）、次に充電電圧がＢ〔Ｖ〕（フル充電状態か）以下か否か判定する（Ｓ３２）。充電電圧がＢ〔Ｖ〕以下でない場合（ステップＳ３２のＮｏ）、充電する必要がないので、満充電信号４５をエンジン制御部１０に送信し処理が終了する（Ｓ３３）。
【０３１６】
充電電圧がＢ〔Ｖ〕以下の場合（ステップＳ３２のＹｅｓ）、すなわち、フル充電でない場合、充電動作中信号をエンジン制御部１０に送信する（Ｓ３４）。
【０３１７】
次いで、定電流／定電力充電用ＰＷＭ発生回路７は、充電電圧が所定の電圧（例えばＤ〔Ｖ〕）以下か否か判定する（Ｓ３５）。但し、Ｄ＜Ｃ＜Ｂ。
【０３１８】
充電電圧がＤ〔Ｖ〕以下の場合（ステップＳ３５のＹｅｓ）、定電流／定電力充電用ＰＷＭ発生回路７は、定電流充電動作を行うため、充電部３１の充電電流を検出する（Ｓ２０１）。
【０３１９】
次いで、検出した充電電流に対応したＰＷＭ信号をスイッチング回路６のＦＥＴゲートに出力する（Ｓ２０２）。これにより、キャパシタバンク９は定電流充電される。
【０３２０】
定電流／定電力充電用ＰＷＭ発生回路７は、充電電圧がＤ〔Ｖ〕より大きくなるまで、定電流充電を継続する（Ｓ３５、Ｓ２０１）。
【０３２１】
充電電圧がＤ〔Ｖ〕以下でない場合（ステップＳ３５のＮｏ）、定電流／定電力充電用ＰＷＭ発生回路７は、定電力充電動作を実施するためにキャパシタバンク９の充電電流と充電電圧を検出する（Ｓ２０３）。
【０３２２】
次いで、定電流／定電力充電用ＰＷＭ発生回路７は、検出した充電電流と充電電圧に基づき定電力充電を行うためのＰＷＭ信号をスイッチング回路６のＦＥＴゲートに出力する。
電流／低電力充電電圧発生回路７は、定電力充電を行いながらセル満充電信号４４が検出されるか否か判定し（Ｓ３８）、セル満充電信号４４が検出されるまで定電力充電を行う。
【０３２３】
何れかのセル満充電信号４４が検出されると（ステップＳ３８のＹｅｓ）、電流／低電力充電電圧発生回路７は、定電流充電を行う（Ｓ３９）。定電流／定電力充電用ＰＷＭ発生回路７は、定電流充電を行いながら全セル満充電信号４５が検出されるか否か判定し（Ｓ４０）、全セル満充電信号４５が検出されるまで定電流充電を行う。
【０３２４】
全セル満充電信号が検出されると（ステップＳ４０のＹｅｓ）、定電流／定電力充電用ＰＷＭ発生回路７は、充電を停止させるためＰＷＭ信号の出力を停止する（Ｓ２０５）。ついで、全セル満充電信号４５をエンジン制御部１０に送信し（Ｓ４２）、処理を終了する。
【０３２５】
以上説明したように本実施例の形態によれば、画像形成動作に必要な場合、ＤＣ／ＤＣコンバータ１２の出力を画像形成装置の電源として使用し、充電動作の場合にのみ（数秒から数十秒程度）、ＤＣ／ＤＣコンバータ１２を充電器として使用することにより、専用の充電器を必要とせず補助電源を充電できる。したがって、製造コストや実装スペースを低減して蓄電装置又は画像形成装置を提供できる。  
【実施例６】
【０３２６】
実施例１〜５では交流電源を全波整流し昇圧して安定化した電力を充電部で昇圧したが、本実施例では交流電源を全波整流し安定化する前の電圧を降圧し、この降圧電圧を制御することにより、充電部３１に定電流充電または定電力充電を行う。これにより、充電回路構成が簡略化されるので画像形成装置の製造コストの低減が可能となる。
図２５は、蓄電装置の概略回路図を示す。なお、図２５において図３と同一構成部分には同一の符号を付した。図２５に示すように、交流電源から供給された電力は全波整流回路２を介して充電部３１と接続されている。充電部３１は降圧のためのチョークコイルを有し、全波整流回路２の出力を降圧し電圧Ｖ２のキャパシタバンク９に充電する。充電された電力は、ＤＣ定着ヒータ２２の温度に応じて昇温ＦＥＴ制御バッファ回路１９ｂにより定着ヒータ２２に供給される。
【０３２７】
図２６は蓄電装置及び画像形成装置の回路図を示す。なお、図２６において図４と同一構成部分には同一の符号を付し、その説明を一部省略する。
【０３２８】
はじめに、画像形成装置の全体を制御するコントロール回路８について簡単に説明する。  コントロール回路８は、画像形成装置の全体を制御するＣＰＵ８ａとＣＰＵ８ａに接続された、シリアルコントローラ（ＳＣＩ）８ｂ、ＲＯＭ，ＲＡＭ、プリンタで使用する画像展開用のワークメモリ、書き込み画像のイメージデータを、一時蓄えるフレームメモリ、ＣＰＵ周辺を制御する機能を搭載したＡＳＩＣ及びそのインターフェース回路等で構成される。  ＲＯＭには画像形成のための各種のプログラムが格納されており、例えば、エンジン制御部１０との通信を行ったり、開閉回路の開閉や切替回路の切り替えをエンジン制御部１０に指示する。
【０３２９】
ＣＰＵ８ａには、ユーザのパネルの操作を検出してシステム設定の入力を行い、また、ユーザにシステムの設定内容状態を表示する操作部制御回路７３、定着ヒータの温度制御を行うエンジン制御部１０が、シリアルコントローラ（ＳＣＩ）８ｂを介して接続されている。ユーザが画像形成を行うためにパネル等を操作すると、操作制御回路７３が操作の内容を検出して、エンジン制御部１０に画像形成を指示する画像形成動作開始信号をエンジン制御部１０に送出する。
【０３３０】
交流電源は、主電源スイッチ１１、フィルタ１及び全波整流回路２を介して充電部３１と接続されている。充電部３１は充電電圧検出回路１６及び均等化回路１７を介してキャパシタバンク９に接続されている。キャパシタバンク９は、放電回路１９を介してＤＣ定着ヒータ２２に接続される。また、交流電源とＡＣ定着ヒータ６１、６２が接続されている。ＤＣ定着ヒータ２２、ＡＣ定着ヒータ６１及び６２の温度は、それぞれに対応して配置されたＤＣヒータ用サーミスタ２８ａ、ＡＣヒータ用サーミスタ６１０ａ及び６２０ａにより検出される。交流電源はまた、全波整流回路３２を介してＤＣ／ＤＣコンバータ３３と接続されており、不図示の本体負荷と接続される。ＤＣ／ＤＣコンバータ３３は省エネ解除ＳＷ２４に接続されており、省エネモードの場合省エネ解除ＳＷ２４が開き、省エネモードが解除される場合閉じた状態となる。
【０３３１】
したがって、本実施例の蓄電装置は、ＤＣ／ＤＣコンバータ１２を有さず、また、ＤＣ／ＤＣコンバータ１２から本体負荷２０に電力が供給されていない点で実施例１〜５と異なる。本体負荷２０へは、不図示の電源（ＤＣ／ＤＣコンバータ）から電力が供給される。
【０３３２】
また、蓄電装置は、定着ヒータの温度制御やキャパシタバンク９の充電を制御するエンジン制御部１０を有し、エンジン制御部１０は充電部３１が有する定電流／定電用ＰＷＭ発生回路７、と接続されている。また、エンジン制御部１０は充電電圧検出回路１６、放電回路１９、ＤＣヒータ２２、ＡＣヒータ６１、６２、コントロール回路８、サーミスタ２８ａ、ＡＣヒータ用サーミスタ６１０ａ及び６２０ａ、本体負荷２０、と接続されている。
【０３３３】
主電源スイッチ１１及びフィルタ１を介して交流電源（商用電源）と全波整流回路２とが接続されており、交流電源からの交流は全波整流回路２で全波整流される。全波整流回路２は平滑コンデンサＣ２と接続されており、全波整流回路２からの出力は平滑コンデンサＣ２によりリップル成分等が除去される。
【０３３４】
全波整流回路２からの直流出力は充電部３１に接続される。充電部３１は、ＦＥＴ６、電流帰還用ダイオード１２と、チョークコイル５及びコンデンサＣ１、及び、定電流／定電力充電用ＰＷＭ発生回路７を有する。
【０３３５】
全波整流回路２の直流出力は、チョークコイル５の入力側に設けたＦＥＴ６のドレインに接続され、ＦＥＴ６の出力（ソース側）側に接続されたチョークコイル５と、ＦＥＴ６の出力とチョークココイル５との間に電流帰還用ダイオード１２が接続される。チョークコイル５の出力側には平滑コンデンサＣ１が、キャパシタバンク９の端子間に並列に接続されている。
【０３３６】
後述する定電流充電／定電力充電用ＰＷＭ発生回路７から出力されるＰＷＭ信号によりＦＥＴ６がＯＮすると、チョークコイル５に電流が流れ、この入力電力の一部がチョークコイル５に蓄えられる。続いてＦＥＴ６がオフされると、オン期間にチョークコイル５に蓄積した電力が電流帰還用ダイオード１２を経由して放出される。
【０３３７】
この動作が繰り返され降圧が行われ、この降圧された電圧は平滑用コンデンサＣ１により平滑され、キャパシタバンク９に供給され、このキャパシタバンク９の個々のキャパシタセルが充電される。
【０３３８】
チョークコイル５の出力は、ＦＥＴ６のオン期間とオフ期間の比（デューティ比Ｄ／Ｔ）とチョークコイル５への入力電圧で決まる。デューティ比Ｄ／Ｔが１００％のときは、出力電圧は入力電圧と等しくなり、デューティ比Ｄ／Ｔが５０％のときは、出力電圧は入力電圧の５０％になる。ＦＥＴ６のデューティ比（ＰＷＭ）を制御することにより、充電部３１から出力される電圧を制御することができる。
【０３３９】
本実施例のキャパシタバンク９には、満杯充電時にＡ〔Ｖ〕になるキャパシタセル（電気二重層コンデンサセ）がｎ個、直列に接続されている。従って、ｎ個のキャパシタセルが満充電になると、Ａ×ｎ〔Ｖ〕（以下、単にＢボルトという）の電圧が蓄電される。
【０３４０】
キャパシタバンク９の両端には、充電電圧検出回路１６が接続され、充電電圧検出回路１６の出力は定電流／定電力充電電圧発生回路７及びエンジン制御部１０のＡ／Ｄコンバータ１０ｂにそれぞれ接続される。充電電圧検出回路１６は抵抗Ｒ２と抵抗Ｒ３により分割回路を構成され、抵抗Ｒ２と抵抗Ｒ３の分圧によりキャパシタバンク９の電圧を検出し、定電流充電／定電力充電用ＰＷＭ発生回路７にフィードバックされる。
【０３４１】
降圧平滑された降圧電圧は、定電流充電／定電力充電用ＰＷＭ発生回路７により監視され、ＰＷＭ信号のＯＮデューティを変えることにより制御される。
【０３４２】
また、平滑用コンデンサＣ１とキャパシタバンク９の間には抵抗Ｒ１が直列に接続されており、抵抗Ｒ１の両端の電圧を監視することで、キャパシタバンク９の充電電流を検出できる。抵抗Ｒ１の両端電圧は定電流充電／定電力充電用ＰＷＭ発生回路７に入力される。
【０３４３】
キャパシタバンク９は、キャパシタセル個々の満充電を検出しバイパス回路を動作させ、各キャパシタセルの充電電圧を均等化する均等化回路１７に接続されている。充電部３１によりキャパシタセル９ａが充電され満充電の２．５Ｖに充電されると、均等化回路１７ａは充電電流を他のキャパシタセルにバイパスする。他のキャパシタセルに並列に接続されたバイパス回路も同様な動作を行ない、各キャパシタセルの充電電圧が均等化される。
【０３４４】
均等化回路１７は、何れかのキャパシタセルの満充電を検知し、バイパス回路を動作させると、定電流／定電力充電電圧発生回路７に単セル満充電信号４４を出力する。また、均等化回路１７は、全てのキャパシタセルの満充電を検知し、全てのバイパス回路を動作させると、定電流／定電力充電電圧発生回路７に全てのキャパシタセルの満充電信号４５を出力する。なお、均等化回路１７については実施例１と同様であるので詳細は省略する。
【０３４５】
定電流充電／定電力充電用ＰＷＭ発生回路７について説明する。定電流充電／定電力充電用ＰＷＭ発生回路７は、キャパシタバンク９の充電電圧や充電電流に基づき、キャパシタバンク９を定電流充電又は定電力充電するよう降圧回路であるチョークコイル５を制御する。
【０３４６】
定電流及び定電力充電電圧発生回路７は、キャパシタバンク９の充電電圧検出、充電電流の検出、均等化回路１７の動作を検出し、キャパシタバンク９を定電流充電／定電力充電するための電圧を発生させ、ＦＥＴ６のゲートにＰＷＭ信号を出力する回路である。
【０３４７】
定電流／定電力充電電圧発生回路７は、キャパシタバンク９の充電電圧、充電電流、及び、均等化回路１７の動作を検出し、キャパシタバンク９に定電流充電及び定電力充電を行うためのＰＷＭ信号を発生させる回路である。
【０３４８】
定電流充電及び定電力充電用ＰＷＭ発生回路７は、ＣＰＵ７ａ、シリアルコントローラ（  ＳＩＣ）７ｂ、Ａ／Ｄコンバーター７ｃ、充電電流検出回路７ｄ、ＲＯＭ、ＲＡＭ、タイマ、割り込み制御回路及び入出力ポートを有する。
【０３４９】
定電流／定電力充電用ＰＷＭ発生回路７はキャパシタバンク９の端子間電圧を充電電圧検出回路１６の出力により検出し、キャパシタバンク９の端子間電圧が、予め設定された値より低い場合には、予め設定された定電流充電にするＰＷＭ信号を、スイチング回路６のＦＥＴ６ａのゲートに出力する。
【０３５０】
なお、この予め設定された定電流充電にするためのＰＷＭ信号は、抵抗Ｒ１の端子間電圧と、ＰＷＭ信号のＯＮデューティ比との関係に基づき予め作成したテーブルを使用してもよいし、演算により算出してもよい。
【０３５１】
キャパシタバンク９の端子間電圧が予め設定された値以上になると、定電流／定電力充電用ＰＷＭ発生回路７は、定電力充電を行うために、前述したようにキャパシタバンク９の充電電流と、キャパシタバンク９の端子間電圧の検出を行い、検出した充電電流と充電電圧に応じて予め設定された定電力充電を行うための電圧をＰＷＭ信号を、スイチング回路６のＦＥＴ６ａのゲートに出力する。
【０３５２】
また、充電電流のみ参照し、予め設定された充電電流になるようＰＷＭ信号を制御してもよいし、キャパシタバンク９が充電されてない状態の場合、大きな突入電流がキャパシタバンク９に流れるのを防止するため降圧電圧を低くし、徐々に降圧電圧を高くするようにＰＷＭ信号を出力してもよい。
【０３５３】
ＦＥＴ６ａのゲートに出力するＰＷＭ信号は、キャパシタバンク９への充電電流と、キャパシタバンク９の端子間電圧の検出を行い、この検出した充電電流と充電電圧から、予め設定された定電力充電を行うためＰＷＭ信号を演算して決定される。
【０３５４】
また、定電流／定電力充電用ＰＷＭ発生回路７は、単セル満充電信号４４を検出すると、予め設定された定電流充電にするＰＷＭ信号を、スイチング回路６のＦＥＴ６ａのゲートに出力する。次に、定電流／定電力充電用ＰＷＭ発生回路７は、全てのキャパシタセルの満充電信号４５を検出すると、充電動作を停止する信号をスイチング回路６のＦＥＴ６ａのゲートに出力する。
【０３５５】
続いて、エンジン制御部１０について説明する。エンジン制御部１０は、キャパシタバンク９への充電又はキャパシタバンク９の放電を制御する充電制御部を有する。
【０３５６】
エンジ制御部１０は、ＣＰＵ１０ａに接続されたシリアルコントローラ（ＳＣＩ）１０ｄ、入出力ポート１０ｃ、Ａ／Ｄコンバータ１０ｂ及びＲＯＭ、ＲＡＭ、タイマ（割り込み制御回路（ＩＮＴ））を有する。ＲＯＭには、エンジン制御部１０を充電制御部として機能させるプログラムが格納されており、主電源スイッチ１１がオンにされるとプログラムがＲＡＭに読み出されＣＰＵが実行する。
【０３５７】
Ａ／Ｄポート１０ｂには、定着装置の定着ローラ１２１の表面温度（定着温度）を検出する温度検出回路２８、６１０、６２０が接続されている。
【０３５８】
温度検出回路２８は、ＤＣヒータ用サーミスタ２８ａと直列に接続された抵抗Ｒ１０とで構成され、ＤＣ定着ヒータ２２に対応する測定領域の温度を検出する回路である。温度検出回路６１０は、ＡＣヒータ用サーミスタ６１０ａと直列に接続された抵抗Ｒ１１とで構成され、ＡＣ定着ヒータ６１に対応する測定領域の温度を検出する回路である。温度検出回路６２０は、ＡＣヒータ用サーミスタ６２０ａと直列に接続された抵抗Ｒ１２とで構成され、ＡＣ定着ヒータ６２に対応する測定領域の温度を検出する回路である。
【０３５９】
ＡＣ定着ヒータ６１及びＡＣ定着ヒータ６２は、ＡＣヒータ制御回路４３により供給される電力が制御される。ＤＣ定着ヒータ２２は、放電回路１９により供給される電力が制御される。
【０３６０】
入出力ポート１０ｃには、ＡＣ定着ヒータ６１、６２に電力を供給するＡＣヒータ制御回路４３及びＤＣ定着ヒータ２２に電力を供給する放電回路１９が接続されている。また、入出力ポート１０ｃには、画像形成動作を行うために必要な、モータ、ソレノイド、クラッチ等の負荷２０が接続されている。
【０３６１】
エンジン制御部１０は、定電流／定電力充電用ＰＷＭ発生回路７とシリアルコントローラ（ＳＣＩ）１０ｄを介して通信を行う。エンジン制御部１０は、キャパシタバンク９の端子間電圧を充電電圧検出回路１６により検出し、キャパシタバンク９の電力放電が可能か判断する。また、エンジン制御部１０は放電中ではない場合、待機中、又は、省エネモード時等に、定電流／定電力充電用ＰＷＭ発生回路７に充電指示信号若しくは充電許可信号、又は充電動作信号を出力する。
【０３６２】
また、エンジン制御部１０は、キャパシタバンク９の端子間電圧を充電電圧検出回路１６により検出し、キャパシタバンク９の電力放電が可能か否か判断する。
【０３６３】
続いて、まず、ＡＣヒータ制御回路４３の説明を行う。主電源ＯＮ時及び通常のコピー動作時には、エンジン制御部１０はトナー定着のためにＡＣ定着ヒータ６１及びＡＣ定着ヒータ６２に電力を供給する。
【０３６４】
エンジン制御部１０は、温度検出回路６１０又は温度検出回路６２０により予め設定された温度以下の温度が検出されると、フォトトライアックドライブ回路３５又は３６にフォトトライアック３５、３６をＯＮする信号を出力する。これにより、ＡＣ定着ヒータ６１又は６２に電力が供給される。
【０３６５】
温度検出回路６１０又は温度検出回路６２０が予め設定された温度以上の温度を検出すると、エンジン制御部１０はフォトトライアックドライブ回路３５、３６にフォトトライアック３５、３６をＯＦＦする信号を出力する。これにより、ＡＣ定着ヒータ６１又は６２への電力供給が停止される。
次に、ＤＣ定着ヒータ２２への電力供給について説明する。エンジン制御部１０は、キャパシタバンク９の電力放電を行うための信号を入出力ポート１０ｃよりＦＥＴ制御バッファ回路１９ｂとリレー駆動回路１９ａに出力する。ＦＥＴ制御バッファ回路１９ｂはＦＥＴをＯＮし、また、リレー駆動回路１９ａによりリレーが閉じられ、ＤＣ定着ヒータ２２へキャパシタバンク９から電力が供給される。
また、エンジン制御部１０は温度検出回路２８が予め設定された温度以上の温度検出を行うと、キャパシタバンク９の電力放電の停止を行うための信号を入出力ポート１０ｃよりＦＥＴ制御バッファー回路１９ｂとリレー駆動回路１９ａに出力する。ＦＥＴ制御バッファ回路１９ｂはＦＥＴをＯＦＦし、また、リレー駆動回路１９ａによりリレーが開放され、ＤＣ定着ヒータ２２への電力供給が中止される。
【０３６６】
まお、画像形成装置は画像形成動作が終了後、一定時間が経過すると省エネモードに入るため、エンジン制御部１０はＤＣ／ＤＣコンバータ３３に一部の電源出力停止信号を入出力ポート１０ｃより出力する。省エネ解除ＳＷ２４（圧版開放ＳＷ，ＡＤＦの原稿検知ＳＷ等）が閉じられることで、ＤＣ／ＤＣコンバータ３３が通常の動作に復帰し省エネモードが解除される。
【０３６７】
なお、エンジン制御部１０は、充電部が充電を開始するとセットされる充電中フラグを有しており、均等化回路１７から出力される全セル満充電信号４５を受信した場合に充電中フラグをリセットし、全セル満充電信号４５を受信しない場合には充電中フラグをセットする。
【０３６８】
以上の構成を用いて、エンジン制御部１０のＣＰＵ１０ａが充電制御を行う動作について図２７のフローチャート図に基づき説明する。
【０３６９】
エンジン制御部１０は、定期的又は所定のタイミングで定電流／定電力充電用ＰＷＭ発生回路７から、全セル満充電信号４５が送信されているか否か判定する（Ｓ１１）。
【０３７０】
全セル満充電信号４５が送信されている場合（ステップＳ１１のＹｅｓ）は、キャパシタバンク９が充電中でないので充電中フラグをリセットする（Ｓ１３）。
【０３７１】
満充電でない場合（ステップＳ１１のＮｏ）、充電部３１が受電中か否か判定する（Ｓ１４）。充電中か否かは、充電中フラグを参照してもよいし、低電流／低電力充電用ＰＷＭ発生回路７と通信して判定してもよい。充電中の場合（ステップＳ１４のＹｅｓ）、充電中のフラグをセットし（Ｓ１５）、処理を終了する。なお、フローチャート図に図示してないが、エンジン制御部１０のＣＰＵ１０ａは充電中フラグがセットされている場合、画像形成動作を禁止し、また、省エネモードへの移行を禁止する。
【０３７２】
次いで、エンジン制御部１０は操作部制御回路７３より画像形成動作開始指示信号が出力されているか否か判定する（Ｓ１６）。画像形成動作開始指示信号が出力されている場合（ステップＳ１６のＹｅｓ）、エンジン制御部１０は画像形成動作を行い（Ｓ２２）、画像形成動作が終了するまで待機する（Ｓ２２、Ｓ２３）。画像形成中に、ＤＣ定着ヒータ２２の温度が未定着画像が発生する程度に低下するとエンジン制御部１０はＦＥＴ制御バッファ回路１９ｂのＦＥＴをオンしてキャパシタバンク９から電力を供給する。
【０３７３】
次いで、画像形成動作が終了した場合（ステップＳ２３のＹｅｓ）、エンジン制御部１０は画像形成により充電電圧が低下したか否か判定する（Ｓ１７）。
【０３７４】
画像形成装置が画像形成動作を実施中でない場合（ステップＳ１６のＮｏ）、又は、画像形成動作が終了すると、エンジン制御部１０はキヤシタバンク９の充電電圧が所定以下（例えばＣ〔Ｖ〕）か否か判定する（Ｓ１７）。但し、Ｃ＜Ｂ。
【０３７５】
充電電圧がＣ〔Ｖ〕以下の場合（ステップＳ１７のＹｅｓ）、エンジン制御部１０は、定電流／定電力充電用ＰＷＭ発生回路７に充電可能信号を送信する（Ｓ１９）。これにより定電流／定電力充電用ＰＷＭ発生生回路７は、充電が可能になる。
【０３７６】
次いで、エンジン制御部１０は、充電部３１が定電流充電する為の電流値を定電流／定電力充電用ＰＷＭ発生回路７に送信する（Ｓ２０）。そして、充電部３１が定電力充電するための電力値を充電部に送信する（Ｓ２１）。充電部３１は、エンジン制御部１０より定電流充電するための電流値、定電力充電するための電力値が送信された場合は、この電流値又は電力値により定電流充電または定電力充電を行うが、送信されない場合は予め設定された値により定電流充電または定電力充電を行う。充電中フラグがセットされ処理が終了する。
【０３７７】
充電部３１は充電が可能な状態であれば充電を行う。フローチャート図では示さないが、充電部３１は充電を開始するとエンジン制御部１０に充電中の信号を送信する。エンジン制御部１０はこの信号が充電部３１より送信されると、画像形成動作を禁止とする。そして、全セル満充電信号４５が検出されると、画像形成動作の開始を許可とする。
【０３７８】
キャパシタバンク９の蓄電を必要としない動作モードの場合、例えば数枚のコピーの場合、充電電圧がＣ〔Ｖ〕以下であっても、エンジン制御部１０は画像形成動作を許可する。
【０３７９】
なお、充電電圧がＣ〔Ｖ〕以下でない場合（ステップＳ１７のＮｏ）、充電する必要がないので処理は終了する。
【０３８０】
ところで、ステップＳ２３で画像形成が終了して所定時間が経過すると、画像形成装置は段階的に定着ヒータの温度を下げて管理したりＣＰＵや液晶など表示パネルへの供給電力を削減する省エネモードに移行する。本実施例の蓄電装置は、本体負荷に供給する電源とは別に設けた蓄電装置であるので、省エネモード時であっても、充電電圧がＣ〔Ｖ〕以下である場合にはキャパシタバンク９に充電できる。
【０３８１】
続いて、  定電流／定電力充電用ＰＷＭ発生回路７のＣＰＵ７ａが充電動作を制御する処理の流れを図２８のフローチャート図に基づき説明する。
【０３８２】
定電流／定電力充電用ＰＷＭ発生回路７は、エンジン制御部１０から充電可能信号が入力されたか否かを判定する（Ｓ３１）。充電可能信号が入力されるまでステップＳ３１の判定を繰り返す。
【０３８３】
充電可能信号が入力されている場合（ステップＳ３１のＹｅｓ）、次に充電電圧がＢ〔Ｖ〕（フル充電状態か）以下か否か判定する（Ｓ３２）。充電電圧がＢ〔Ｖ〕以下でない場合（ステップＳ３２のＮｏ）、充電する必要がないので、満充電信号４５をエンジン制御部１０に送信し処理が終了する（Ｓ３３）。
【０３８４】
充電電圧がＢ〔Ｖ〕以下の場合（ステップＳ３２のＹｅｓ）、すなわち、フル充電でない場合、充電動作中信号をエンジン制御部１０に送信する（Ｓ３４）。
【０３８５】
次いで、定電流／定電力充電用ＰＷＭ発生回路７は、充電電圧が所定の電圧（例えばＤ〔Ｖ〕）以下か否か判定する（Ｓ３５）。但し、Ｄ＜Ｃ＜Ｂ。
【０３８６】
充電電圧がＤ〔Ｖ〕以下の場合（ステップＳ３５のＹｅｓ）、定電流／定電力充電用ＰＷＭ発生回路７は、定電流充電動作を行うため充電部３１の充電電流を検出する（Ｓ２０１）。
【０３８７】
次いで、検出した充電電流に対応したＰＷＭ信号をスイッチング回路６のＦＥＴゲートに出力する（Ｓ２０２）。これにより、キャパシタバンク９は定電流充電される。
【０３８８】
定電流／定電力充電用ＰＷＭ発生回路７は、充電電圧がＤ〔Ｖ〕より大きくなるまで、定電流充電を継続する（Ｓ３５、Ｓ２０１、Ｓ２０２）。
【０３８９】
充電電圧がＤ〔Ｖ〕以下でない場合（ステップＳ３５のＮｏ）、定電流／定電力充電用ＰＷＭ発生回路７は、定電力充電動作を実施するためにキャパシタバンク９の充電電流と充電電圧を検出する（Ｓ２０３）。
【０３９０】
次いで、定電流／定電力充電用ＰＷＭ発生回路７は、検出した充電電流と充電電圧に基づき定電力充電を行うためのＰＷＭ信号をスイッチング回路６のＦＥＴゲートに出力する。
【０３９１】
電流／低電力充電電圧発生回路７は、定電力充電を行いながらセル満充電信号４４が検出されるか否か判定し（Ｓ３８）、セル満充電信号４４が検出されるまで定電力充電を行う。
【０３９２】
何れかのセル満充電信号４４が検出されると（ステップＳ３８のＹｅｓ）、電流／低電力充電電圧発生回路７は、定電流充電を行う（Ｓ３９）。定電流／定電力充電用ＰＷＭ発生回路７は、定電流充電を行いながら全セル満充電信号４５が検出されるか否か判定し（Ｓ４０）、全セル満充電信号４５が検出されるまで定電流充電を行う。
【０３９３】
全セル満充電信号が検出されると（ステップＳ４０のＹｅｓ）、定電流／定電力充電用ＰＷＭ発生回路７は、充電を停止させるためＰＷＭ信号の出力を停止する（Ｓ２０５）。ついで、全セル満充電信号４５をエンジン制御部１０に送信し（Ｓ４３）、処理を終了する。
【０３９４】
以上説明したように本実施例の形態によれば、交流電源を全波整流して電圧を降圧し、この降圧電圧を制御することにより、専用の充電器を必要とせず補助電源を充電できる。したがって、充電回路構成を簡略化し、画像形成装置の製造コスト実装スペースを低減して蓄電装置又は画像形成装置を提供できる。
【０３９５】
また、本実施例の蓄電装置は本体負荷と接続されていないので、画像形成装置が省エネモードになっても、また、画像形成動作中であってもキャパシタバンク９に充電することができる。
【実施例７】
【０３９６】
本実施例は、実施例６と同様に、交流電源を全波整流し安定化する前の電圧を降圧し、この降圧電圧を制御することにより、充電部３１に定電流充電または定電力充電を行う。これにより、充電回路構成が簡略化されるので画像形成装置の製造コストの低減が可能となる。
【０３９７】
図２９は、蓄電装置の概略回路図を示す。なお、図２９において図２５と同一構成部分には同一の符号を付してその説明は省略する。図２９は、交流電源と充電部３１との間に、絶縁トランス３９を設けた点で、図２５と異なる。これにより実施例６よりも、１次側と２次側の分離が可能となり、キャパシタバンク９の充電電圧を高くすることが容易になる。絶縁トランス３９を介して交流電源からで全波整流回路２に電力が供給されるので、その他の構成は図２５と同様である。
【０３９８】
図３０は蓄電装置及び画像形成装置の回路図を示す。なお、図３０において図２６と同一構成部分には同一の符号を付しその説明は省略する。交流電源は、主電源スイッチ１１、フィルタ１、絶縁トランス３９及び全波整流回路２を介して充電部３１と接続されている。充電部３１は充電電圧検出回路１６及び均等化回路１７を介してキャパシタバンク９に接続されている。キャパシタバンク９は、放電回路１９を介してＤＣ定着ヒータ２２に接続される。
【０３９９】
また、交流電源とＡＣ定着ヒータ６１、６２が接続されている。ＤＣ定着ヒータ２２、ＡＣ定着ヒータ６１及び６２の温度は、それぞれに対応して配置されたＤＣヒータ用サーミスタ２８ａ、ＡＣヒータ用サーミスタ６１０ａ及び６２０ａにより検出される。交流電源はまた、全波整流回路３２を介してＤＣ／ＤＣコンバータ３３と接続されており、不図示の本体負荷と接続される。ＤＣ／ＤＣコンバータ３３は省エネ解除ＳＷ２４に接続されており、省エネモードの場合省エネ解除ＳＷ２４が開き、省エネモードが解除される場合閉じた状態となる。なる。本体負荷２０へは、不図示の電源（ＤＣ／ＤＣコンバータ）から電力が供給される。
【０４００】
したがって、本実施例の蓄電装置は、絶縁トランス３９により交流電源とキャパシタバンク９とが絶縁されている。以下の構成は図２６と同様である。
【０４０１】
主電源スイッチ１１がオンとされフィルタ１を通過した交流電源（商用電源）の電流は、絶縁トランス３９の一次側に供給され、２次側のコイルに電磁誘導による起電力を生じさせ、全波整流回路２に電力を出力する。全波整流回路２で全波整流された電流は、充電部３１に接続される。充電部３１以降の構成及びその動作は実施例６と同様であるので説明を省略する。
【０４０２】
また、エンジン制御部１０のＣＰＵ１０ａが充放電制御を行う動作については図２７のフローチャート図と同様であり、定電流／定電力充電用ＰＷＭ発生回路７のＣＰＵ７ａが充電動作を制御する動作については図２８のフローチャート図と同様であるので、説明は省略する。
【０４０３】
本実施例の形態によれば、交流電源を全波整流して電圧を降圧し、この降圧電圧を制御することにより、専用の充電器を必要とせず補助電源を充電できる。したがって、充電回路構成を簡略化し、画像形成装置の製造コスト実装スペースを低減して蓄電装置又は画像形成装置を提供できる。
【０４０４】
また、交流電源と充電部３１との間に、絶縁トランス３９を設けたので、キャパシタバンク９の充電電圧を高くすることが容易になる。
【０４０５】
また、本実施例の蓄電装置は本体負荷と接続されていないので、画像形成装置が省エネモードになっても、また、画像形成動作中であってもキャパシタバンク９に充電することができる。
【実施例８】
【０４０６】
蓄電装置について説明する。図３１は充電部３１に高周波トランス３を有する蓄電装置を、図３２は充電部３１に昇圧チョークコイル５を有する蓄電装置をそれぞれ示す。なお、図３１において図４と同一構成部分には同一の符号を付し、図３２において図１８と同一構成部分には同一の符号を付しそれらの説明は省略する。
【０４０７】
図３１は開閉回路２６を、図３２では切替回路７７を有する蓄電装置を示すが、これらは一例であり、実施例１〜７のどの蓄電装置であってもよい。
【０４０８】
ＤＣ／ＤＣコンバータ１２からの出力は端子１５１又は１５１ａ、ｂにより外部装置へ接続可能となっている。外部負荷と端子１５１の間には開閉回路２６が、外部負荷と端子１５１ａ、ｂとの間には切替回路７７が設けられており、外部の装置（実施例１〜７では画像形成装置）からの信号により開閉又は切替が行われる。
【０４０９】
また、キャパシタ９にはキャパシタの電力を外部に出力する出力手段１５２ａ、ｂが接続されている。出力手段１５２ａ、ｂは定着装置の加熱手段、ハードディスク、ステープラーなど負荷に接続可能である。また、画像形成装置で使用される負荷だけでなく画像形成装置に外付けされるユニットに接続してキャパシタ９の電力を供給してもよい。なお、蓄電装置は画像形成装置のみを外部負荷とするものではなく、ＤＣ／ＤＣコンバータ１２からの出力を切り替えて負荷又は充電する装置に適用できる。
〔第２の実施形態〕
本実施の形態の蓄電装置は、専用の充電器を使用せずに商用電源をＤＣ化し、出力電圧を安定化する電源生成回路（ＤＣ／ＤＣコンバータ）からの出力を必要な場合に画像形成動作のために供給し、それ以外の場合はキャパシタバンクの充電に使用する。専用の充電器を用いず本体負荷に用いるＤＣ／ＤＣコンバータと兼用することで電源回路構成を簡略化し、画像形成装置の製造コストや実装スペースの低減が可能となる。蓄電装置が適用された画像形成装置については、第１の実施形態と同様であるので説明は省略する。
【０４１０】
以下、ＤＣ定着ヒータ２２に電力を供給する蓄電装置について実施例を挙げて説明する。なお、以下の実施例ではキャパシタバンク９や昇圧部８０で昇圧された昇圧電圧を検出するが、一例としてそれらの電圧をＡ＜Ｂ（＜Ｎ）＜Ｃ＜Ｄ＜Ｅ（単位は〔Ｖ〕）で表す。
【実施例９】
【０４１１】
図３３は本実施の蓄電装置の概略回路図を示す。図３３の蓄電装置は、交流の商用電源が整流された後に電源生成回路１２に接続され、電源生成回路１２により昇圧された電力はノーマルオープンの開閉回路２６を介してキャパシタバンク９に接続されると共に、画像形成装置の本体負荷２０に接続されている。また、キャパシタバンク９は昇圧部８０に接続され、昇圧部８０は昇圧された電圧の電圧値を検出する昇圧電圧検出回路５０およびＤＣ定着ヒータ２２に接続されている。
【０４１２】
画像形成動作を行う場合には開閉回路２６が開いて電源生成回路１２から供給される電力を使用して本体負荷２０が画像形成を行う。その際、定着ヒータの温度が所定よりも低い場合、キャパシタバンク９から放電され昇圧部８０により昇圧された電力が定着ヒータ２２に供給される。昇圧部８０は高周波トランスを有し、キャパシタバンク９に蓄電された電圧Ｖ１の電力を電圧Ｖ２に昇圧し、ＤＣ定着ヒータ２２に供給する。画像形成動作が行われていない場合、キャパシタバンク９の電圧が所定より低くなると、開閉回路２６が閉じてキャパシタバンク９に充電する。以下、詳細に説明する。
【０４１３】
図３４は蓄電装置が適用された画像形成装置の回路図を示す。なお、図３４において図３３と同一構成部分には同一の符号を付した。交流電源ＡＣは、主電源スイッチ１１、フィルタ１及び全波整流回路２を介して電源生成回路１２と接続されている。電源生成回路１２は、整流回路４及びチョークコイル５を介して定電圧検出回路２１及び本体負荷２０、並びに、開閉回路２６に接続されている。開閉回路２６が閉じた場合、電源生成回路１２は充電電圧検出回路１６及びキャパシタバンク９へ接続される。なお、充電電圧検出回路１６は不図示の均等化回路を有する。また、キャパシタバンク９及び充電電圧検出回路１６は定電流／定電力充電電圧発生回路７（特許請求の範囲におけるキャパシタバンク９への充電を制御する回路制御部に相当する）。と接続されている。キャパシタバンク９は、昇圧部８０、整流平滑回路７５及び昇圧電圧検出回路５０を介してＤＣ定着ヒータ２２に接続される。また、定電流／定電力充電電圧発生回路７は、電圧電流変換回路１８、昇圧部８０及び画像形成装置制御部１０に接続されている。画像形成装置制御部１０は、コントロール回路８とエンジン制御部１０を合わせた制御部であるので、エンジン制御部１０と同じ符号を用いた。
【０４１４】
交流電源ＡＣに戻り、フィルタ１は全波整流回路３２を介してＤＣ／ＤＣコンバータ３３に接続され、また、ＤＣ／ＤＣコンバータ３３は画像形成装置制御部１０及び省エネモード解除スイッチ２４に接続される。
【０４１５】
画像形成装置制御部１０は、ＡＣヒータ制御回路４３、温度検出回路６１０及び６２０が接続されている。また、画像形成装置制御部１０は、ＯＲ回路５１を介してスイッチングレギュレータＩＣ１３に接続される。ＯＲ回路５１の他方の端子は定電流／定電力充電電圧発生回路７と接続されている。画像形成装置制御部１０は、リレードライブ回路２５、充電電圧検出回路１６、定電圧検出回路２１、及び、昇圧部８０に接続されている。
【０４１６】
スイッチングレギュレータＩＣ１３は、電源生成回路１２、回路１５及びフィードバック電圧検出回路１４と接続されている。フィードバック電圧検出回路１４へは、フィードバック電圧検出回路１４のフォトカプラＰＣ１及び電圧電流変換回路１８のフォトカプラＰＣ２の発光が入力されるようになっている。
【０４１７】
なお、キャパシタバンク９へ蓄電する電源を生成する電源生成回路１２を点線で囲んでいる。
【０４１８】
次に、図３４の蓄電装置の動作について説明する。主電源スイッチ１１がオンにされると交流電源（商用電源）からの交流はフィルター１を介して全波整流回路２で全波整流される。全波整流回路２からの出力は平滑コンデンサＣ１によりリップル成分等が除去され、電源生成回路１２に入力される。
【０４１９】
全波整流回路２の直流出力側には、平滑コンデンサーＣ１と並列に高周波トランス３の一次コイル３ａが接続され、一次コイル３ａにスイッチング手段としてＦＥＴ６ａが直列に接続されている。ＦＥＴ６ａを有するスイッチング回路６は、スイッチング・レギュレーターＩＣ１３から出力されるＰＷＭ信号によりスイッチング（ＯＮ，ＯＦＦ動作）され、一次コイル３ａにスイッチング電流が流れる。一次側のスイッチ電流により、トランス３の二次コイル３ｂにスイッチ電圧が誘起するので、スイッチング周波数の導通期間を変えれば、出力電圧の制御を行うことができる。
【０４２０】
トランス３の二次コイル３ｂには整流回路４として、ダイオードＤ１、Ｄ２が接続され、スイッチング電圧はこの整流回路４で整流され、チュークコイル５及びコンデンサーＣ２により平滑され、直流出力に変換される。この直流出力は画像形成動装置の画像形成動作に必要な本体負荷として、クラッチ、ソレノイド、モーター、センサー等の本体負荷２０の電源として供給される。
【０４２１】
チョークコイル５及びコンデンサーＣ２からの直流出力は、開閉回路２６のリレー２６ａに接続される。リレー２６ａが通電すると開閉回路２６が閉じて、キャパシタバンク９に電力が供給される。
【０４２２】
なお、開閉回路２６は別の形態であってもよい。図３５は、開閉回路２６を置き換えた切替回路３７の一例を示す。切替回路３７はノーマルクローズの状態（リレー３７ａが通電されない場合）に本体負荷側に接続され、キャパシタバンク９に充電を行う場合、リレードライブ回路によりリレー３７ａが通電され、キャパシタバンク９側に切り替える。なお、開閉回路２６又は切替回路３７の動作については後述する。
【０４２３】
本体負荷２０に供給する電圧は定電圧であり、この電圧は定電圧検出回路２１により検出される。定電圧検出回路２１による電圧は、抵抗Ｒ５と直列に接続されたボリュームと抵抗Ｒ６により分割された電圧により検出され、その出力はシャントレギュレータＩＣ７２のリファレンス端子に入力される。リファレンス端子に入力された電圧により、フォトカプラーＰＣ１のダイオード電流が決定し、フィードバック電圧検出回路１４へフィードバックされる。 
開閉回路２６が閉じた場合、直流出力はダイオードＤ３に接続されその出力はキャパシタセルが直列に接続されたキャパシタバンク９に供給される。
【０４２４】
本実施例のキャパシタバンク９には、満杯充電時にＭ〔Ｖ〕になるキャパシタセル（電気二重層コンデンサセ）がｎ個、直列に接続されている。従って、ｎ個のキャパシタセルが満充電になると、Ｍ×ｎ〔Ｖ〕（以下、単にＮボルトという）の電圧が蓄電される。
キャパシタバンク９の両端には、充電電圧検出回路１６が接続され、充電電圧検出回路１６の出力は定電流／定電力充電電圧発生回路７に接続される。充電電圧検出回路１６は抵抗Ｒ２と抵抗Ｒ３により分割回路を構成され、抵抗Ｒ２と抵抗Ｒ３の分圧によりキャパシタバンク９の電圧を検出する。
【０４２５】
また、平滑用コンデンサＣ５とキャパシタバンク９の間には抵抗Ｒ４が直列に接続されており、抵抗Ｒ４の両端の電圧を監視することで、キャパシタバンク９の充電電流を検出できる。抵抗Ｒ４の両端電圧は定電流充電／定電力充電圧発生回路７に入力される。
【０４２６】
キャパシタバンク９は、キャパシタセル個々の満充電を検出しバイパス回路を動作させ、各キャパシタセルの充電電圧を均等化する均等化回路に接続されている。キャパシタセル９ａが充電され満充電のＮ〔Ｖ〕に充電されると、均等化回路は充電電流を他のキャパシタセルにバイパスする。他のキャパシタセルに並列に接続されたバイパス回路も同様な動作を行ない、各キャパシタセルの充電電圧が均等化される。
【０４２７】
均等化回路は、何れかのキャパシタセルの満充電を検知し、バイパス回路を動作させると、定電流／定電力充電電圧発生回路７に単セル満充電信号４４を出力する。また、均等化回路は、全てのキャパシタセルの満充電を検知し、全てのバイパス回路を動作させると、定電流／定電力充電電圧発生回路７に全てのキャパシタセルの満充電信号４５を出力する。なお、均等化回路については後に詳述する。全セル満充電信号４５により、定電流／定電力充電電圧発生回路７は、充電を停止すると共に画像形成装置制御部１０にこの満充電信号を出力する。
【０４２８】
次に、ＰＷＭ信号を発生させるスイッチング・レギュレーターＩＣ１３の動作について説明する。全波整流回路２の直流出力は、抵抗Ｒ１、コンデンサーＣ３及びツェナーダイオードＺＤ１で構成される回路を介してスイッチング・レギュレーターＩＣ１３に供給され、これによりスイッチングレギュレータＩＣ１３は動作を開始し、補助巻線７１とダイオードＤ４とで構成される補助電源により動作を継続する。
ＰＷＭ信号の周波数は、抵抗とコンダンサーとで構成される回路１５の抵抗値及びコンデンサー容量で決定される。フィードバック電圧検出回路１４のフォトカプラＰＣ１又はフォトカプラＰＣ２の出力電圧のフィードバック電圧５２はスイッチングレギュレータＩＣ１３に入力され、スイッチングレギュレータＩＣ１３はフィードバック電圧５２に応じてＰＷＭ信号のパルス幅を変調させる電圧―パルス幅変換回路を備えている。
【０４２９】
フィードバック電圧５２に応じてＰＷＭ信号のパルス幅が変化し、ＰＷＭ信号はＦＥＴ６ａのゲートに入力され、ＦＥＴ６ａによりトランス３の一次コイル３ａをスイッチングする。これにより、トランス３の二次コイル３ｂに出力電圧の異なる電圧を発生させることができる。
【０４３０】
定電流／定電力充電電圧発生回路７が発生した電圧は、電圧を電流に変換する電圧電流変換回路１８のトランジスタＴｒ１のベースに供給され、トランジスタＴｒ１のエミッターに接続されたフォトカプラーＰＣ２によりフィードバック電圧検出回路１４へフィードバックされる。
【０４３１】
次に、定電流／定電力充電電圧発生回路７が、キャパシタバンク９の充電電圧及び充電電流の検出に基づきバイパス回路の動作を検出し、定電流充電および定電力充電を行う動作について説明する。
【０４３２】
定電流／定電力充電電圧発生回路７は、いずれかのキャパシタセルのバイパス回路が動作したセル満充電信号４４を検知すると、予め設定された定電流充電を行うために定電流充電動作を行う。また、定電流／定電力充電電圧発生回路７は、全てのバイパス回路の動作した満充電信号４５を検出すると、充電動作を停止する信号を画像形成装置制御部１０に出力する。
なお、定電流／定電力充電電圧発生回路７は、不図示のＣＰＵ、ＲＯＭ、ＲＡＭ、タイマ、割り込み制御回路、Ａ／Ｄコンバータ、シリアルコントローラ（ＵＡＲＴ）、Ｄ／Ａコンバータ及び入出力ポートを備えている。ＲＯＭには定電流／定電力充電電圧発生回路７を回路制御部として機能させるプログラムが格納されており、主電源スイッチ１１がオンにされるとプログラムがＲＡＭに読み出されＣＰＵが実行する。
【０４３３】
シリアルコントローラは画像形成装置制御部１０と例えばシリアル通信によりキャパシタセルの充電等を知らせる信号を送信する。
【０４３４】
定電流／定電力充電電圧発生回路７は、キャパシタバンク９の端子間電圧が、予め設定された値より低い場合、予め設定された定電流充電にする電圧を、定電流／定電力充電電圧発生回路７のＤ／Ａ端子より電圧・電流変換回路１８のオペアンプ２９に出力する。
【０４３５】
キャパシタバンク９に定電流充電するための電流は、キャパシタバンク９と直列に接続された抵抗Ｒ４の端子間電圧により検出される。端子間電圧を定電流／定電力充電電圧発生回路７は逐次検出し、予め設定された定電流充電にするための電圧を、定電流及び定電力充電電圧発生回路７のＤ／Ａ端子より電圧・電流変換回路１８のオペアンプ２９に出力する。
キャパシタバンク９の端子間電圧が予め設定された値以上になると、定電流／定電力充電電圧発生回路７は、定電力充電を行うために、前記したようにキャパシタバンク９の充電電流と、キャパシタバンク９の端子間電圧の検出を行い、検出した充電電流と充電電圧から、予め設定された定電力充電を行うための電圧を演算して決定する。
定電流／定電力充電電圧発生回路７のＤ／Ａ端子より出力するアナログ電圧は、端子間電圧に対応づけて出力するアナログ電圧を予め記録したテーブルを使用してもよい。
【０４３６】
電圧・電流変換回路１８のオペアンプ２９に入力されたアナログ電圧に対応した電流が、トランジスターＴｒ１からフォトカプラＰＣ２のダイオードに流れ、フィードバック電圧検出回路１４にフィードバックされる。このフィードバック電圧により、スイッチングレギュレータＩＣ１３が出力するＰＷＭ信号の信号幅が制御され、定電流充電するためのＰＷＭ信号が、スイッチング・レギュレーターＩＣ１３よりＦＥＴ６ａのゲートに出力される。
【０４３７】
次に、昇圧部８０の動作について説明する。キャパシタバンク９の端子間に、絶縁トランス８の一次コイル８ａと、昇圧のためこの一次コイル８ａをスイッチングする直列に接続されたＦＥＴ３０ａが並列に接続されている。
【０４３８】
ＦＥＴ３０ａを有するスイッチング回路３０には、後述するように画像形成装置制御部１０から出力されるＰＷＭ信号が入力され、ＦＥＴ３０ａがスイッチング（ＯＮ，ＯＦＦ動作）されると一次コイル８ａにスイッチング電流が流れる。この一次コイル８ａのスイッチ電流により、トランス８の二次コイル８ｂにスイッチ電圧が誘起する。スイッチング周波数の導通期間を変えれば、昇圧電圧の制御を行うことができる。
【０４３９】
絶縁トランス８の２次コイル８ｂのスイッチング電圧はダイオードＤ５、チョークコイル２７ａ及びコンデンサＣ４により整流平滑する整流平滑回路７５に接続され、平滑された整流平滑回路７５の出力は定着ヒータ２２に接続されている。平滑された電圧は、昇圧電圧検出回路５０のフォトカプラＰＣ３により画像形成装置制御部１０にフィードバックされる。
【０４４０】
なお、昇圧電圧検出回路５０は別の形態であってもよい。図３６は、昇圧電圧検出回路５０の別の一形態を示す図である。なお、図３６において図３４と同一構成部分には同一の符号を付しその説明は省略する。図３６では、整流平滑回路２７の出力電圧が、抵抗Ｒ７と抵抗Ｒにより分割され、分圧された電圧の信号５５が画像形成装置のＡ／Ｄポートに入力されている。なお、図３６の昇圧電圧検出回路５０の場合、フォトカプラＰＣ３の出力は画像形成装置制御部１０に入力されない。
【０４４１】
次に、画像形成装置制御部１０の動作について説明する。画像形成装置制御部１０は、不図示のＣＰＵ、ＲＯＭ、ＲＡＭ、タイマ、割り込み制御回路、Ａ／Ｄコンバータ、シリアルコントローラ（ＵＡＲＴ）、及び、入出力ポートを有する。ＲＯＭには、ＣＰＵを画像形成装置制御部として機能させるプログラムが格納されており、主電源スイッチ１１がオンにされるとプログラムがＲＡＭに読み出されＣＰＵが実行する。また、画像形成装置制御部１０はシリアルコントローラにより定電流／定電力充電電圧発生回路７と通信する。
【０４４２】
画像形成装置制御部１０には、温度検出回路６１０、６２０が接続されている。温度検出回路６２０は、サーミスター６２０ａと抵抗Ｒ１２とで分割された電圧によりＤＣヒータ加熱部の温度を検出する。温度検出回路６１０は、サーミスタ６１０ａと抵抗Ｒ１１とで分割された電圧によりＡＣヒータ加熱部の温度を検出する。温度検出回路６１０、６２０により検出された電圧は画像形成装置制御部１０のＡ／Ｄポートに接続されている。画像形成装置制御部１０は、温度検出結果に応じてＡＣヒータ制御回路４３及び昇圧部８０に出力するＰＷＭ信号の制御を行っている。
【０４４３】
温度検出回路６１０はＡＣ定着ヒータ６１に、温度検出回路６２０はＡＣ定着ヒータ６２に対応する測定領域の温度を検出する回路である。ＡＣ定着ヒータ６１及びＡＣ定着ヒータ６２は、ＡＣヒータ制御回路４３により供給される電力が制御される。ＤＣ定着ヒータ２２は、画像形成装置制御部１０により供給される電力が制御される。
【０４４４】
また、画像形成装置制御部１０には、開閉回路２６のリレー２６ａを駆動するリレードライブ回路２５、ドアースイッチ７４、整流平滑回路出力の電圧をフィードバックする回路ＰＣ３、キャパシタバンク９の充電電圧検出回路１６、がそれぞれ接続されている。
【０４４５】
また、画像形成装置制御部１０は、定電流／定電力充電電圧発生回路７を起動し、また、キャパシタバンク９に充電を行う場合、本体負荷２０の電圧を定電圧制御するためのフィードバック電圧を検出して、フォトカプラＰＣ１のアノードとカソード間を接続するトランジスタＴｒ２を制御する。また、省エネモードに入るときにＤＣ／ＤＣコンバータ３３の一部の電源出力を停止させる。
【０４４６】
ＤＣ／ＤＣコンバータ３３は、画像形成装置及び画像形成装置制御部１０に電源供給を行っているが、画像形成装置からの省エネモード信号により一部の電源出力を停止する。省エネモードが解除されると、省エネモード解除スイッチ２４が開閉制御され、再度、画像形成装置および画像形成装置制御部１０に電源供給を行う。
【０４４７】
定着ヒータへの電力供給について説明する。なお、定着装置は図２の形態であるものとする。画像形成装置制御部１０は、キャパシタバンク９の端子間電圧を充電電圧検出回路１６により検出し、キャパシタバンク９の放電が可能か（所定の電圧以上か）否か判断する。また、画像形成装置制御部１０は、待機中、又は、省エネモード時等に、キャパシタバンク９の電圧が所定以下の場合、定電流／定電力充電電圧発生回路７に充電指示信号または充電可能信号を出力する。
主電源ＯＮ時及び通常のコピー動作時等には、画像形成装置制御部１０は、ＡＣヒータ制御回路４３を介して、トナー定着のためにＡＣ定着ヒータ６１及びＡＣ定着ヒータ６２に電力を供給する。画像形成装置制御部１０は、温度検出回路６１０又は６２０により予め設定された温度以下の温度が検出されると、ＡＣ定着ヒータ６１又は６２に電力を供給し、また、予め設定された温度以上の温度を検出すると、ＡＣ定着ヒータ６１又は６２への電力供給を停止する。
【０４４８】
画像形成装置制御部１０は、主電源がＯＮされた場合、又は、連続コピー時に、温度検出回路２８が未定着画像が発生する程度の温度を検知した場合に、キャパシタバンク９の電力が昇圧されて供給される。すなわち、定着装置１１２のウォームアップ時にＯＮされたり、又は、画像形成時に定着ローラ１１１の温度が目標温度に達してないときに、キャパシタバンク９の電圧を昇圧して用いてＤＣ定着ヒータ２２に供給し、定着ローラ１１１を加熱する。
【０４４９】
続いて、均等化回路について詳細に説明する。図３７は、均等化回路の回路図を示す。各キャパシタセル（図３７ではキャパシタセルＣ１〜Ｃ１０）には均等化回路が並列に接続されたている。したがって、キャパシタセル１０個と並列に、バランス回路が１０個、直列に接続されている。なお、図３７では３つ目以降のキャパシタセルを省略した。
【０４５０】
Ｃ１〜Ｃ１０は、電力を貯蓄するために直列に接続された電気二重層キャパシタである。
バランス回路１７１は、キャパシタＣ１の端子間に並列に接続される。バランス回路１７１は、シャントレギュレータＸ１と、抵抗Ｒ２１〜Ｒ２９、トランジスタＱ１、ダイオードＤ１とを有する。
【０４５１】
抵抗Ｒ２１とＲ２２からなる分圧回路と、シャントレギュレータＸ１によりキャパシタセルＣ１の端子電圧が検出される。シャントレギュレータＸ１の制御端子に抵抗Ｒ２１とＲ２２からなる分圧回路の分圧電圧が入力され、キャパシタセルＣ１の端子電圧が所定の電圧に充電されると、シャントレギュレータＸ１がＯＮとなる。
【０４５２】
シャントレギュレータＸ１がＯＮになると、抵抗Ｒ２３を通してトランジスタＱ１にベース電流が流れＯＮとなる。トランジスタＱ１がＯＮになると、抵抗Ｒ２５の抵抗値により定まる電流で、キャパシタセルＣ１の充電電流が経路Ｉ２をとおりキャパシタセルＣ２にバイパスされる。
【０４５３】
また、トランジスタＱ１がＯＮすると、トランジスタＱ２もＯＮし、フォトカプラＴＬＰ１，ＴＰＬ２の発光ダイオードに抵抗Ｒ２７，Ｒ２８を通して電流が流れる。フォトカプラＴＬＰ２はＣｅｌｌＦｕｌｌ端子と接続されており、キャパシタセルが充電されると単セル満充電信号４４を出力する。フォトカプラＴＬＰ１はＢａｎｋ  Ｆｕｌｌ端子と接続されると共に、他のバランス回路と直列に接続されているので、全てのキャパシタセルが所定の電圧に充電され、全てのバランス回路が動作することにより、全セル満充電信号４５を出力する。
【０４５４】
全セル満充電信号４５により、定電流／定電力充電電圧発生回路７は充電を停止し、満充電信号を画像形成装置制御部１０に送信する。画像形成装置制御部１０はこの信号により、キャパシタバンク９への充電を停止する。
【０４５５】
また、全セル満充電信号４５により、画像形成装置制御部１０は、開閉回路２６のリレー２６ａを開き、また、切替回路３７を本体負荷２０に切り替える。
【０４５６】
以上の構成を用いて、画像形成装置制御部１０がキャパシタバンク９への充電制御を行う動作について図３８のフローチャート図に基づき説明する。なお、下記の説明は図３４の回路図に基づいたものである。
【０４５７】
画像形成装置制御部１０は、主電源スイッチ１１がオンされＤＣ／ＤＣコンバータ３３より電源供給を受けると、画像形成装置制御部１０及び周辺回路の初期設定を行う（Ｓ１１）。
【０４５８】
そして、主電源スイッチ１１がオン、又は、省エネモードが解除された場合にセットされる立ち上げフラグをセットする（Ｓ１２）。このフラグは、後述する画像形成装置の定着温度を上昇させる場合に参照される。主電源スイッチ１１のオンされた直後は画像形成動作を行える状態ではないので、画像形成装置制御部１０は次に充電可能フラグをセットする（Ｓ１２）。
【０４５９】
なお、ステップＳ１２の後の〔Ｉ〕の矢印は後述するフローチャート図からの処理手順であることを示す。
【０４６０】
次にキャパシタバンク９の充電電圧を充電電圧検出回路１６により取得し、キャパシタバンク９の充電電圧がＢ（Ｎよりも若干小さい値）〔Ｖ〕以下か否か判定する（Ｓ１３）。キャパシタバンク９の充電電圧が予め設定されたＢ〔Ｖ〕以下の場合（ステップＳ１３のＹｅｓ）、次いで、充電可能フラグがセットされているか否か判定する（Ｓ１４）。
【０４６１】
充電可能フラグがセットされてない場合（ステップＳ１４のＮｏ）、本体負荷２０側に電力供給が必要なので、充電動作は行わないで本制御フローは終了する。
【０４６２】
また、キャパシタバンク９の充電電圧が予め設定されたＢ〔Ｖ〕以下でない場合（Ｓ１３のＮｏ）、キャパシタバンク９は充電された状態であるので、リレー２６ａを開放する信号をリレードライブ回路２５に出力する（Ｓ１９）。これにより、電源生成回路１２の出力は本体負荷２０側になる。なお、開閉回路２６が、図３５の切替回路３７の場合、リレー３７ａを閉じる信号をリレードライブ回路２５に出力すればよい。
次いで、画像形成装置制御部１０はトランジスタＴｒ２にＯＦＦする信号を出力する（Ｓ２０）。これにより、電源生成回路１２は定電圧動作が可能となる。充電電圧はＢ〔Ｖ〕より大で充電する必要は無いので、充電可能フラグをリセットし、図３８の制御は終了する。
【０４６３】
充電可能フラグがセットされている場合（ステップＳ１４のＹｅｓ）、画像形成装置制御部１０は、リレー２６ａを閉じる信号をリレードライブ回路２５に出力する（Ｓ１５）。
【０４６４】
次いで、スイッチング・レギュレータＩＣ１３に起動信号をＯＲ回路５１を介して出力する（Ｓ１６）。また、電源生成回路１２が定電圧出力を行うために電圧値をフィードバックする定電圧検出回路２１のフォトカプラＰＣ１のアノードとカソード間を接続するトランジスタＴｒ２にＯＮ信号を出力する（Ｓ１７）。トランジスタＴｒ２がＯＮすることにより、定電流／定電力充電電圧発生回路７のフィードバック信号が有効になる。
次いで、定電流／定電力充電電圧発生回路７に充電動作指示信号を出力する（Ｓ１８）。以上の制御により、キャパシタバンク９が充電される。定電流／定電力充電電圧発生回路７は前記したように、キャパシタバンク９の充電電圧検出、充電電流の検出、バイパス回路の動作を検出し、定電流充電または定電力充電を行う。
【０４６５】
続いて、電源投入時、省エネ解除時又は画像形成動作時に昇圧部８０から定着装置１１２の加熱部に電力供給する制御について図３９のフローチャート図に基づき説明する。
【０４６６】
画像形成装置制御部１０は、主電源スイッチ１１がオン又は省エネモードが解除された場合にセットされる立ち上げフラグがセットされているか否か判定する（Ｓ２１）。
【０４６７】
立ち上げフラグがセットされている場合（ステップＳ２１のＹｅｓ）、ＡＣヒータ加熱部の温度検出回路６１０の出力を取得して、ＡＣヒータ加熱部の温度が予め設定された温度以上か否か判定する（Ｓ２２）。
【０４６８】
ＡＣヒータ加熱部の温度が予め設定された温度以上（例えば、１３０度以上）の場合（ステップＳ２２のＹｅｓ）、画像形成装置が画像形成動作中か否か判定する（Ｓ２３）。画像形成装置が画像形成動作中でない場合（Ｓ２３のＮｏ）、昇圧部８０から定着ヒータ２２に電力を供給する必要はないので図３９のフローチャート図の制御は終了する。
画像形成動作中の場合（ステップＳ２３のＹｅｓ）、ＡＣヒータ加熱部の温度が予め設定された温度以下か否か判定する（Ｓ２４）。予め設定された温度以下でない場合（ステップＳ２４のＮｏ）、昇圧部８０から定着ヒータ２２に電力を供給する必要はないので図３９のフローチャート図の制御は終了する。
【０４６９】
予め設定された温度以下（例えば、１５５度以下）の場合（ステップＳ２４のＹｅｓ）、未定着画像のコピーが発生する場合があるので、昇圧部８０から定着ヒータ２２に電力を供給するために、キャパシタバンク９の充電電圧を充電電圧検出回路１６により取得し、所定の電圧Ａ〔Ｖ〕以上か否か判定する（Ｓ２５）。
【０４７０】
キャパシタバンク９の充電電圧がＡ〔Ｖ〕以上でない場合（ステップＳ２５のＮｏ）、蓄電不足なので、キャパシタバンク９を充電する制御フローを実行するため図３８の〔Ｉ〕の処理を行う。
【０４７１】
キャパシタバンク９の充電電圧がＡ〔Ｖ〕以上の場合（ステップＳ２５のＹｅｓ）、ＡＣヒータ加熱部の温度が予め設定された温度（例えば２０度）以上か否か判定する（Ｓ２６）。
【０４７２】
加熱部温度が予め設定された温度以上でない場合（ステップＳ２６のＮｏ）、定着温度に比べ極端に定着装置１１２のＡＣ加熱部の温度が低いので、突入電流を軽減するために予め設定された昇圧電圧を低くしたＯＮデュティーのＰＷＭ信号を一定時間出力する（Ｓ３２）。
【０４７３】
次いで、ＡＣ加熱部の温度が所定の温度以下（例えば、１００度以下）か否か判定する（Ｓ３３）。ＡＣ加熱部の温度が１００度以下の場合（ステップＳ３３のＹｅｓ）、ＯＮデュティーを決定するタイマに設定値を加算したＰＷＭ信号を出力する（Ｓ３４）。
【０４７４】
再度、画像形成装置制御部１０はＡＣ加熱部の温度が予め設定された温度以下か否か判定する（ステップＳ３３）。ＡＣ加熱部の温度が予め設定された温度以下の場合はステップＳ３４の処理を繰り返す。この動作により、ＰＷＭのＯＮデュティーを徐々に（ソフトスタート）大きくすることが出来るので、突入電流を軽減できる。
【０４７５】
加熱部温度が予め設定された温度以上の場合（ステップＳ２６のＹｅｓ）、又は、加熱部温度が予め設定された温度以下でない場合（ステップＳ３３のＮｏ）、ＡＣヒータ加熱部の温度が予め設定された温度（例えば１８０度）以下か否か判定する（Ｓ２７）。
【０４７６】
加熱部温度が予め設定された温度以下の場合（ステップＳ２７のＹｅｓ）、昇圧電圧検出回路５０の出力を取得し、この昇圧電圧に対応してＯＮデュティーを決定したＰＷＭ信号をスイッチング回路３０のＦＥＴ３０ａに出力する（Ｓ２８）。このＯＮデュティーは、昇圧電圧が低いと大きくなり、高いと小さくなる。なお、ＰＷＭ信号の周波数は画像形成装置制御部１０の有するタイマ（不図示）により生成され、パルス幅の変調は変調用内部タイマ（不図示）を変えることにより変更出来る構成になっている。変調用内部タイマの値はＡＣ加熱部温度または、昇圧電圧検出回路５０等の出力と関連付けたテーブルを予め設定しておいても良いし、演算により算出しても良い。
【０４７７】
次いで、画像形成装置制御部１０は、昇圧電圧検出回路５０により検出された昇圧電圧がＥ〔Ｖ〕以上か否か判定する（Ｓ２９）。昇圧電圧がＥ〔Ｖ〕以上でない場合（ステップＳ２９のＮｏ）、再度、ＡＣ加熱部の温度が予め設定された温度以下か否か判定し（Ｓ２７）、ＡＣ加熱部の温度が予め設定された温度以下の場合は、昇圧電圧検出回路５０の出力を取得し、昇圧電圧に対応してＯＮデュティーを決定したＰＷＭ信号をスイッチング回路３０のＦＥＴ３０ａに出力する（Ｓ２８）。
【０４７８】
昇圧電圧がＥ〔Ｖ〕以上の場合（ステップＳ２９のＹｅｓ）、ＰＷＭ信号の出力を停止し（Ｓ３０）、再度、ＡＣ加熱部の温度が予め設定された温度以下か否か判定し（Ｓ２７）、同様の動作を繰り返す。
【０４７９】
加熱部温度が予め設定された温度以下でない場合（ステップＳ２７のＮｏ）、昇圧部８０から定着ヒータ２２に電力を供給する必要がなくなるため、ＰＷＭ信号の出力を停止する（Ｓ３１）。以上のような制御により、定着装置１１２の温度が制御される。
【０４８０】
図３９では昇圧電圧検出回路５０により検出された電圧に基づきＯＮデュティーのＰＷＭ信号の信号幅を決定したが、ＰＷＭ信号の信号幅はＡＣ加熱部の温度に応じて決定してもよい。
【０４８１】
図４０は、ＡＣ加熱部の温度に応じてＯＮデュ−ティのＰＷＭ信号を出力する制御のフローチャート図である。なお、図４０においてステップＳ２１〜Ｓ２６までの制御は図３９の制御と同じであるので説明を省略する。
【０４８２】
まず、ＡＣ加熱部の温度が予め設定された温度以下（例えば１８０度以下）か否か判定する（Ｓ４１）。ＡＣ加熱部の温度が予め設定された温度以下の場合、ＡＣ加熱部の温度を検出してこの検出温度の応じてＯＮデュティーを決定したＰＷＭ信号を出力する（Ｓ４２）。このＯＮデュティーは温度が低いと大きくなり、高いと小さくなるように決定される。
【０４８３】
次に、画像形成装置制御部１０は、昇圧電圧がＥ〔Ｖ〕以上か否か判定する（Ｓ４３）。昇圧電圧がＥ〔Ｖ〕以上でない場合（ステップＳ４３のＮｏ）、再度、ＡＣ加熱部の温度が予め設定された温度以下か否か判定し（Ｓ４１）、ＡＣ加熱部の温度が予め設定された温度以下の場合、ＡＣ加熱部の温度に応じてＯＮデュティーを決定したＰＷＭ信号を出力する（Ｓ４２）。
【０４８４】
昇圧電圧がＥ〔Ｖ〕以上の場合（ステップＳ４３のＹｅｓ）、ＰＷＭ信号の出力を停止し（Ｓ４４）、再度、ＡＣ加熱部の温度が予め設定された温度以下か否か判定し（Ｓ４１）、同様の処理を繰り返す。
【０４８５】
ＡＣ加熱部の温度が予め設定された温度以下でない場合（ステップＳ４１のＮｏ）、昇圧部８０から定着ヒータ２２に電力を供給する必要はなくなるので、ＰＷＭ信号の出力を停止し（Ｓ４５）、図４０の制御は終了する。
【０４８６】
また、ＰＷＭ信号の信号幅は定電流／定電力充電電圧発生回路７により予め設定されていてもよい。
【０４８７】
ところで、ＰＷＭ信号の発生は定電流／定電力充電電圧発生回路７が行ってもよい。図４１は、定電流／定電力充電電圧発生回路７にＰＷＭ信号を発生する回路を設けた昇圧部８０の回路の一例を示す。
【０４８８】
定電流／定電力充電電圧発生回路７は、ＰＷＭ信号の周波数を決定するタイマー（不図示）とＯＮデュティーを決定するパスル幅の変調用の内部タイマ（不図示）を有している。図４１の構成の場合、定電流／定電力充電電圧発生回路７はＰＷＭ信号を常に発生している。画像形成装置制御部１０はこのＰＷＭ信号が入力されているＡＮＤ回路４６に、ＡＣ加熱部の温度検出結果に応じて信号を出力することにより、ＰＷＭ信号をスイッチング回路３０のＦＥＴ３０ａに出力している。
【０４８９】
図４２のフローチャート図は、定電流／定電力充電電圧発生回路７により予め設定されたＰＷＭ信号を発生させ、ＡＣ加熱部の温度及び昇圧電圧に基づきこのＰＷＭ信号のＯＮ／ＯＦＦ制御を行うことで定着装置１１２のＡＣ加熱部に電力供給する制御フローチャートを示す。
【０４９０】
画像形成装置制御部１０は、定着装置１１２のＡＣ加熱部の温度が、予め設定された温度（例えば、１７０度）以下か否か判定する（Ｓ５１）。予め設定された温度以下の場合（ステップＳ５１のＹｅｓ）、画像形成装置制御部１０はＰＷＭ信号をスイッチング回路３０のＦＥＴ３０ａに出力する（Ｓ５２）。このＰＷＭ信号により、昇圧部４１で昇圧が行われ定着装置１１２のＤＣ定着ヒータ２２に電力供給が行われる。
【０４９１】
次いで、昇圧電圧検出回路５０により昇圧電圧を検出し、昇圧電圧が予め設定されたＥ〔Ｖ〕以上か否か判定する（Ｓ５３）。昇圧電圧がＥ〔Ｖ〕以上の場合（ステップＳ５３のＹｅｓ）、ＰＷＭ信号の出力を停止し（Ｓ５４）、再度、ＡＣ加熱部の温度が、予め設定された温度以下か否か判定する（Ｓ５１）。
【０４９２】
ＡＣ加熱部の温度が予め設定された温度を超える場合（ステップＳ５１のＮｏ）、昇圧部８０からの電力供給を必要としないので、ＰＷＭ信号の出力を停止し（Ｓ５５）、本制御フローは終了する。
【０４９３】
続いて、画像形成装置の動作モードに応じて開閉回路２６のリレー２６ａを開閉する制御について図４３のフローチャート図に基づき説明する。
【０４９４】
まず、画像形成装置制御部１０は、定電流/定電力充電電圧発生回路７から満充電信号４５が出力されているか否か判定する（Ｓ６１）。全セル満充電信号４５が出力されている場合（ステップＳ６１のYes）、キャパシタバンク９の充電は完了しているので、リレー２６ａを開放する信号をリレードライブ回路２５に出力する（Ｓ６２）。
【０４９５】
次に、画像形成装置制御部１０は、電源生成回路１２が定電圧出力を行うために電圧値をフィードバックする定電圧検出回路２１のトランジスターＴｒ２をＯＦＦする信号を出力する（Ｓ６３）。トランジスターＴｒ２をＯＦＦすることにより、電源生成回路１２が定電圧出力動作を行うことができる。また、キャパシタバンク９の充電は完了しているので、充電可能フラグをリセットする（Ｓ６３）。
【０４９６】
次いで、画像形成装置が画像形成動作を開始する状態か否か判定する（Ｓ６４）。画像形成装置が画像形成動作を開始する場合（ステップＳ６４のYes）、本体付加20に電力を供給する必要があるので、画像形成装置制御部１０はリレー２６ａを開放する信号をリレードライブ回路２５に出力する（Ｓ６５）。
【０４９７】
次いで、電源生成回路１２が定電圧出力を行うために電圧値をフィードバックする定電圧検出回路２１のトランジスタＴｒ２にＯＦＦする信号を出力する（Ｓ６６）。トランジスタＴｒ２をＯＦＦすることにより、電源生成回路１２は定電圧出力動作を行うことが可能となる。また、キャパシタバンク９の充電は完了しているので、充電可能フラグをリセットする。
【０４９８】
トランジスタTr2をOFFにし充電可能フラグをリセットしたら、画像形成装置は画像形成動作を行う（Ｓ６７）。
【０４９９】
画像形成装置制御部１０は、画像形成動作の間、画像形成動作が終了したか否かの判定を繰り返す（Ｓ６８）。画像形成動作が終了した場合（ステップＳ６８のYes）、キャパシタバンク9の充電動作が可能なので、リレー２６ａを閉じる信号をリレードライブ回路２５に出力する（Ｓ６８−２）。
【０５００】
次いで、画像形成装置制御部１０は、電源生成回路１２が定電圧出力を行うために電圧値をフィードバックする定電圧検出回路２１のトランジスタＴｒ２をＯＮする信号を出力する（S69）。トランジスタＴｒ２をＯＮすることにより、定電流/定電力充電電圧発生回路７のフィードバック信号が有効になる。
【０５０１】
画像形成動作が終了した場合、キャパシタバンク9を充電する必要が生じることがあるため、画像形成装置制御部１０は充電可能フラグをセットした後、図３８のフローチャート図の矢印〔Ｉ〕に進み、キャパシタバンク９を充電する基づく制御を行う。
ステップＳ６１に戻り、キャパシタバンク9から全セル満充電信号４５が出力されてない場合（Ｓ６１のNo）、画像形成装置が画像形成可能な状態か否か（たとえば、ドアの開放、用紙切れ等）判定する（Ｓ７０）。
【０５０２】
ドアが開放されていない場合（ステップＳ７０のＮｏ）、全セル満充電信号４５がなくても画像形成は可能であるので、ステップＳ６４に進み、画像形成装置が画像形成動作を開始する状態か否か判定する（Ｓ６４）。
【０５０３】
ドアが開放されている場合（ステップＳ７０のYes）、画像形成動作は実行できないので、逆にキャパシタバンク９の充電が可能となる。
【０５０４】
画像形成装置制御部１０は、リレー２６ａを閉じる信号をリレードライブ回路２５に出力する（Ｓ７１）。次いで、電源生成回路１２が定電圧出力を行うために電圧値をフィードバックする定電圧検出回路２１のトランジスタＴｒ２にＯＮする信号を出力する（Ｓ７２）。トランジスタＴｒ２をＯＮすることにより、定電流/定電力充電電圧発生回路７のフィードバック信号が有効になる。
【０５０５】
次いで、充電可能フラグをセットし（Ｓ７３）、図３８のフローチャート図の矢印〔Ｉ〕に進み、キャパシタバンク９を充電する基づく制御を行う。
【０５０６】
続いて、画像形成装置が省エネモードに入る場合の制御について図４４のフローチャート図に基づき説明する。
【０５０７】
画像形成装置は、画像形成動作が終了後（Ｓ８１）、一定時間が経過すると省エネモードに入る。図４４のフローチャート図では、タイマでカウントを繰り返し（Ｓ８２）、カウントされたタイマが所定値Nとなった場合（Ｓ８３のYes）、省エネモードに入る。
【０５０８】
省エネモードに入った場合（ステップＳ８３のYes）、本体負荷２０に電力を供給する必要がなくキャパシタバンク９に充電が可能なので、画像形成装置制御部１０はリレー２６ａを閉じる信号をリレードライブ回路２５に出力する（Ｓ８４）。
【０５０９】
次いで、電源生成回路１２が定電圧出力を行うために電圧値をフィードバックする定電圧検出回路２１のトランジスターＴｒ２をＯＮする信号を出力する（Ｓ８５）。トランジスターＴｒ２をＯＮすることにより、定電流/定電力充電電圧発生回路７のフィードバック信号が有効になる。また、充電可能フラグをセットし（Ｓ８６）、図３８のフローチャート図の矢印〔Ｉ〕に進み、キャパシタバンク９を充電する基づく制御を行う。このようにして、省エネモードに入った場合にキャパシタバンク９に充電できる。
【０５１０】
なお、画像形成装置制御部１０は、キャパシタバンク９への充電動作中は省エネモードに入らない。画像形成装置制御部１０は、定電流/定電力充電電圧発生回路７から全セル満充電信号４５を検出すると、DC/DCコンバータ３３に画像形成装置の一部に電源の出力停止信号を出力する。
【０５１１】
図３５に示したように開閉回路26は切替回路37に置き換えてもよいので、続いて、画像形成装置の動作モードに応じて切替回路３７のリレー３７ａの切り替えを制御する処理について図４５及び４６のフローチャート図に基づき説明する。
【０５１２】
まず、画像形成層制御部１０は、定電流/定電力充電電圧発生回路７から全セル満充電信号４５が出力されているか判定する（Ｓ９１）。全セル満充電信号４５が出力されている場合（ステップS91のYes）、キャパシタバンク9は充電されているので、スイッチングレギュレータIC１３にＰＷＭ信号を停止する信号を出力する（Ｓ９２）。
【０５１３】
次いで、キャパシタバンク９の充電は完了しているので、リレー３７ａを閉じる信号をリレードライブ回路２５に出力する（Ｓ９３）。これにより、本体負荷20側に電力が供給される。
【０５１４】
次いで、電源生成回路１２が定電圧出力を行うために電圧値をフィードバックする定電圧検出回路２１のトランジスタＴｒ２にＯＦＦする信号を出力する（Ｓ９４）。トランジスタＴｒ２をＯＦＦすることにより、電源生成回路１２が定電圧出力動作を行うことが可能となる。また、画像形成装置制御部１０は、キャパシタバンク９の充電は完了しているので、充電可能フラグをリセットする（Ｓ９４）。
【０５１５】
次いで、画像形成装置制御部１０は、スイッチングレギュレータ１３にＰＷＭ信号を出力する起動信号を出力する（Ｓ９５）。
【０５１６】
次いで、画像形成装置制御部１０は、画像形成装置が画像形成動作を開始する状態か否か判定する（Ｓ９６）。画像形成装置が画像形成動作を開始する場合（ステップＳ９６のYes）、スイッチングレギュレータ１３にＰＷＭ信号を停止する信号を出力する（Ｓ９７）。画像形成する場合、本体付加20に電力を供給する必要があるので、リレー２６ａを閉じる信号をリレードライブ回路２５に出力する。
【０５１７】
次いで、電源生成回路１２が定電圧出力を行うために電圧値をフィードバックする定電圧検出回路２１のトランジスタＴｒ２をＯＦＦする信号を出力する（Ｓ９８）。トランジスターＴｒ２をＯＦＦすることにより、電源生成回路１２が定電圧出力動作を行うことが可能となる。
【０５１８】
キャパシタバンク９の充電は完了しているので、画像形成装置制御部１０は充電可能フラグをリセットする（Ｓ９９）。
【０５１９】
次いで、スイッチングレギュレータ１３にＰＷＭ信号を出力する起動信号をポート３より出力する（Ｓ１００）。
画像形成装置はステップＳ９６で画像形成動作を開始しているので（Ｓ１０１）、次いで、画像形成装置制御部１０は画像形成動作が終了しているか否か判定する（Ｓ１０２）。
【０５２０】
画像形成動作が終了した場合（ステップＳ１０２のYes）、スイッチングレギュレータ１３に、ＰＷＭ信号を停止する信号を出力する（Ｓ１０３）。また、充電動作が可能なので、次いでリレー37ａを開放する信号をリレードライブ回路２５に出力する（Ｓ１０４）。
【０５２１】
次いで、電源生成回路１２が定電圧出力を行うために電圧値をフィードバックする定電圧検出回路２１のトランジスターＴｒ２をＯＮする信号を出力する（Ｓ１０５）。トランジスターＴｒ２をＯＮすることにより、定電流/定電力充電電圧発生回路７のフィードバック信号が有効になる。
【０５２２】
次いで、画像形成装置制御部１０は充電可能フラグをセットし（Ｓ１０６）、また、スイッチングレギュレータ１３にＰＷＭ信号を出力する起動信号を出力する（Ｓ１０７）。画像形成動作が終了しているので、図３８のフローチャート図の矢印〔Ｉ〕に進み、キャパシタバンク９を充電する制御を行う。
【０５２３】
ステップＳ９１に戻り、全セル満充電信号４５が出力されてない場合（ステップＳ９１のNo）、画像形成装置が画像形成可能な状態か否か（たとえば、ドアの開放、用紙切れ等）判定する（Ｓ１１０）。
【０５２４】
ドアが開放されていない場合（ステップS１１０のＮｏ）、全セル満充電信号４５がなくても画像形成は可能であるので、ステップＳ９６に進み、画像形成装置が画像形成動作を開始する状態か否か判定する（Ｓ９６）。
【０５２５】
ドアーが開放されている場合（ステップＳ１１０のYes）、画像形成動作は実施できないので、キャパシタバンク９に充電することができる。画像形成装置制御部１０は、スイッチングレギュレータIC１３にＰＷＭ信号を停止する信号を出力する（Ｓ１１１）。
【０５２６】
また、リレー３７ａを開放する信号をリレードライブ回路２５に出力する（Ｓ１１２）。次いで、電源生成回路１２が定電圧出力を行うために電圧値をフィードバックする定電圧検出回路２１のトランジスターＴｒ２をＯＮする信号を出力する（Ｓ１１３）。トランジスタＴｒ２をＯＮすることにより、定電流／定電力充電電圧発生回路７のフィードバック信号が有効になる。
【０５２７】
次いで、充電可能フラグをセットし（Ｓ１１４）、スイッチングレギュレータＩＣ１３にＰＷＭ信号を出力する起動信号を出力する（Ｓ１１５）。次いで、図３８のフローチャート図の矢印〔Ｉ〕に進み、キャパシタバンク９を充電する制御を行う。以上のように、開閉回路２６を切替回路３７に置き換えても画像形成動作に応じて電源生成回路１２からの出力を本体負荷２０とキャパシタバンク９とを切り替えることができる。
【０５２８】
続いて、図３５の切替回路３７の場合に、画像形成装置が省エネモードに入る制御について図４７のフローチャート図に基づき説明する。
【０５２９】
画像形成装置は、画像形成動作が終了後（Ｓ１２１）、一定時間が経過すると省エネモードに入る。図４７のフローチャート図では、タイマでカウントを繰り返し（Ｓ１２２）、カウントされたタイマが所定値Nとなった場合（Ｓ１２３のYes）、省エネモードに入る。
【０５３０】
省エネモードに入った場合（ステップＳ１２３のYes）、本体負荷２０に電力を供給する必要がなくキャパシタバンク９に充電が可能なので、画像形成装置制御部１０は、スイッチングレギュレータIC１３にＰＷＭ信号を停止する信号を出力する（Ｓ１２４）。
【０５３１】
次いで、キャパシタバンク９に充電が可能なので、リレー３７ａを開放する信号をリレードライブ回路２５に出力する（Ｓ１２５）。また、トランジスタＴｒ２にＯＮする信号を出力する（Ｓ１２６）。トランジスタＴｒ２をＯＮすることにより、定電流／定電力充電電圧発生回路７のフィードバック信号が有効になる。
【０５３２】
次いで、画像形成装置制御部１０は充電可能フラグをセットし（Ｓ１２７）、スイッチングレギュレータIC１３にＰＷＭ信号を出力する起動信号を出力する（Ｓ１２８）。次いで、図３８のフローチャート図の矢印〔Ｉ〕に進み、キャパシタバンク９を充電する制御を行う。
【０５３３】
なお、画像形成装置制御部１０は、充電動作中は省エネモードに入らない。画像形成装置制御部１０は、定電流/定電力充電電圧発生回路７から全セル満充電信号４５を検出すると、DC/DCコンバータ３３に画像形成装置の一部に電源の出力停止信号を出力する。
【０５３４】
以上説明したように本実施例の画像形成装置によれば、画像形成動作に必要な場合は電源生成回路１２の出力を画像形成装置の電源として使用し、充電動作時には電源生成回路１２を充電器として使用することができる。したがって、専用の充電器を必要とせずにキャパシタバンクを充電できので、コストの低減及び装置値の小型化が可能になる。
【０５３５】
充電に必要な時間は数秒から数十秒程度であるので画像形成装置の画像形成動作が滞ることもない。
【０５３６】
また、本体負荷２０の動作電圧と同程度に昇圧してからキャパシタバンク９に蓄電し、定着ヒータ２２に電力を供給する必要がある場合に昇圧部８０により昇圧するので、定着ヒータ２２に供給する電圧に昇圧してから蓄電するよりもキャパシタバンク９を小型化でき、また、蓄電時間も短縮できる。また、定着装置の温度が予め設定された温度よりも極端に低い場合も、ＰＷＭのＯＮデュティーを徐々に（ソフトスタート）大きくすることが出来るので、突入電流を防止できる。
【０５３７】
また、省エネモード時には開閉回路２６を閉じて（または切替回路３７をキャパシタバンク９に切替）、電源生成回路１２からキャパシタバンクに電流を流すことができるので、省エネモード時であってもキャパシタバンク９に充電することができる。
【実施例１０】
【０５３８】
本実施例では昇圧電圧検出回路５０がない場合の蓄電装置または画像形成装置について説明する。図４８は本実施例の蓄電装置の概略回路図を示す。なお、図４８において図４と同一構成部分には同一の符号を伏しその説明は省略する。
図４８では昇圧電圧検出回路５０がなく、昇圧部８０の出力はＤＣ定着ヒータ２２にのみ供給されている。図４９は、本実施例の昇圧部８０およびＤＣ定着ヒータ２２の回路図を示す。なお、詳細な回路図は昇圧電圧検出回路５０をのぞき図５と同じであるので、昇圧部８０を含む回路図のみを示す。
【０５３９】
図４８の構成を用いて画像形成装置制御部１０が充電制御を行う動作について図５０のフローチャート図に基づき説明する。
画像形成装置制御部１０は、主電源スイッチ１１がオンされＤＣ／ＤＣコンバータ３３より電源供給を受けると、画像形成装置制御部１０及び周辺回路の初期設定を行う（Ｓ２０１）。
【０５４０】
そして、主電源スイッチ１１がオン、又は、省エネモードが解除された場合にセットされる立ち上げフラグをセットする（Ｓ２０２）。このフラグは、後述する画像形成装置の定着温度を上昇させる場合に参照される。主電源スイッチ１１のオンされた直後は画像形成動作を行える状態ではないので、画像形成装置制御部１０は次に充電可能フラグをセットする（Ｓ２０２）。
【０５４１】
なお、ステップＳ１２の後の〔Ｉ〕の矢印は後述するフローチャート図からの処理手順であることを示す。
【０５４２】
次にキャパシタバンク９の充電電圧を充電電圧検出回路１６により取得し、キャパシタバンク９の充電電圧がＢ〔Ｖ〕か否か判定する（Ｓ２０３）。キャパシタバンク９の充電電圧が予め設定されたＢ〔Ｖ〕以下の場合（ステップＳ２０３のＹｅｓ）、次いで、充電可能フラグがセットされているか否か判定する（Ｓ２０４）。
【０５４３】
充電可能フラグがセットされてない場合（ステップＳ２０４のＮｏ）、本体負荷２０側に電力供給が必要なので、充電動作は行わないで本制御フローは終了する。
また、キャパシタバンク９の充電電圧が予め設定されたＢ〔Ｖ〕以下でない場合（Ｓ２０３のＮｏ）、キャパシタバンク９は充電された状態であるので、リレー２６ａを開放する信号をリレードライブ回路２５に出力する（Ｓ２０９）。これにより、電源生成回路１２の出力は本体負荷２０側になる。なお、開閉回路２６が、図３５の切替回路３７の場合、リレー３７ａを閉じる信号をリレードライブ回路２５に出力すればよい。
【０５４４】
次いで、画像形成装置制御部１０はトランジスタＴｒ２にＯＦＦする信号を出力する（Ｓ２１０）。これにより、電源生成回路１２は定電圧動作が可能となる。充電電圧はＢ〔Ｖ〕より大で充電する必要は無いので、充電可能フラグをリセットし、図５０の制御は終了する。
【０５４５】
充電可能フラグがセットされている場合（ステップＳ２０４のＹｅｓ）、画像形成装置制御部１０は、リレー２６ａを閉じる信号をリレードライブ回路２５に出力する（Ｓ２０５）。
【０５４６】
次いで、スイッチング・レギュレータＩＣ１３に起動信号をＯＲ回路５１を介して出力する（Ｓ２０６）。また、電源生成回路１２が定電圧出力を行うために電圧値をフィードバックする定電圧検出回路２１のフォトカプラＰＣ１のアノードとカソード間を接続するトランジスタＴｒ２にＯＮ信号を出力する（Ｓ２０７）。トランジスタＴｒ２がＯＮすることにより、定電流／定電力充電電圧発生回路７のフィードバック信号が有効になる。
次いで、定電流／定電力充電電圧発生回路７に充電動作指示信号を出力する（Ｓ２０８）。以上の制御により、キャパシタバンク９が充電される。定電流／定電力充電電圧発生回路７は前記したように、キャパシタバンク９の充電電圧検出、充電電流の検出、バイパス回路の動作を検出し、定電流充電または定電力充電を行う。
【０５４７】
続いて、電源投入時、省エネ解除時又は画像形成動作時に昇圧部８０から定着装置１１２の加熱部に電力供給する制御について図５１のフローチャート図に基づき説明する。
【０５４８】
画像形成装置制御部１０は、主電源スイッチ１１がオン又は省エネモードが解除された場合にセットされる立ち上げフラグがセットされているか否か判定する（Ｓ２２１）。
【０５４９】
立ち上げフラグがセットされている場合（ステップＳ２２１のＹｅｓ）、ＡＣヒータ加熱部の温度検出回路３３の出力を取得して、ＡＣヒータ加熱部の温度が予め設定された温度以上か否か判定する（Ｓ２２２）。
【０５５０】
ＡＣヒータ加熱部の温度が予め設定された温度以上（例えば、１３０度以上）の場合（ステップＳ２２２のＹｅｓ）、画像形成装置が画像形成動作中か否か判定する（Ｓ２２３）。画像形成装置が画像形成動作中でない場合（Ｓ２２３のＮｏ）、昇圧部８０から定着ヒータ２２に電力を供給する必要はないので図５１のフローチャート図の制御は終了する。
画像形成動作中の場合（ステップＳ２２３のＹｅｓ）、ＡＣヒータ加熱部の温度が予め設定された温度以下か否か判定する（Ｓ２２４）。予め設定された温度以下でない場合（ステップＳ２２４のＮｏ）、昇圧部８０から定着ヒータ２２に電力を供給する必要はないので図５１のフローチャート図の制御は終了する。
【０５５１】
予め設定された温度以下（例えば、１５５度以下）の場合（ステップＳ２２４のＹｅｓ）、未定着画像のコピーが発生する場合があるので、昇圧部８０から定着ヒータ２２に電力を供給するために、キャパシタバンク９の充電電圧を充電電圧検出回路１６により取得し、所定の電圧Ａ〔Ｖ〕以上か否か判定する（Ｓ２２５）。
【０５５２】
キャパシタバンク９充電電圧がＡ〔Ｖ〕以上でない場合（ステップＳ２２５のＮｏ）、蓄電不足なので、キャパシタバンク９を充電する制御フローを実行するため図５０の〔Ｉ〕に処理を行う。
【０５５３】
キャパシタバンク９の充電電圧がＡ〔Ｖ〕以上の場合（ステップＳ２２５のＹｅｓ）、ＡＣヒータ加熱部の温度が予め設定された温度（例えば２０度）以上か否か判定する（Ｓ２２６）。
【０５５４】
加熱部温度が予め設定された温度以上でない場合（ステップＳ２２６のＮｏ）、定着温度に比べ極端に定着装置１１２のＡＣ加熱部の温度が低いので、突入電流を軽減するために予め設定された昇圧電圧を低くしたＯＮデュ−ティーのＰＷＭ信号を一定時間出力する（Ｓ２３０）。
【０５５５】
次いで、ＡＣ加熱部の温度が所定の温度以下（例えば、１００度以下）か否か判定する（Ｓ２３１）。ＡＣ加熱部の温度が１００度以下の場合（ステップＳ２３１のＹｅｓ）、ＯＮデュティーを決定するタイマに設定値を加算したＰＷＭ信号を出力する（Ｓ２３２）。
【０５５６】
再度、画像形成装置制御部１０はＡＣ加熱部の温度が予め設定された温度以下か否か判定する（ステップＳ２３１）。ＡＣ加熱部の温度が予め設定された温度以下の場合はステップＳ２３２の処理を繰り返す。この動作により、ＰＷＭのＯＮデュ−ティーを徐々に（ソフトスタート）大きくすることが出来るので、突入電流を軽減できる。
【０５５７】
加熱部温度が予め設定された温度以上の場合（ステップＳ２２６のＹｅｓ）、又は、また、加熱部温度が予め設定された温度以下でない場合（ステップＳ２３１のＮｏ）、ＡＣヒータ加熱部の温度が予め設定された温度（例えば１８０度）以下か否か判定する（Ｓ２２７）。
【０５５８】
加熱部温度が予め設定された温度以下の場合（ステップＳ２２７のＹｅｓ）、ＡＣ加熱部の温度を検出し（Ｓ２２８）、検出された温度に応じたＰＷＭ信号をスイッチング回路３０のＦＥＴ３０ａに出力する（Ｓ２２９）。このＯＮデュティーは温度が低いと大きくなり高いと小さくなる。
【０５５９】
なお、ＰＷＭ信号の周波数は画像形成装置制御部１０の有するタイマ（不図示）により生成され、パルス幅の変調は変調用内部タイマ（不図示）を変えることにより変更出来る構成になっている。変調用内部タイマの値はＡＣ加熱部温度または、昇圧電圧検出回路５０等の出力と関連付けたテーブルを予め設定しておいても良いし、演算により算出しても良い
加熱部温度が予め設定された温度以下でない場合（ステップＳ２２７のＮｏ）、昇圧部８０から定着ヒータ２２に電力を供給する必要がなくなるため、ＰＷＭ信号の出力を停止する（Ｓ２３３）。以上のような制御により、定着装置１１２の温度が制御される。本実施例では昇圧電圧検出回路５０がないが、ＡＣ加熱部の温度に応じてＤＣ定着ヒータ２２の温度を制御できる。
【０５６０】
続いて、定電流／定電力充電電圧発生回路７が加熱部温度を検出しＯＮ／ＯＦＦ制御を行うことにより予め設定されたＰＷＭ信号を発生させることで、定着装置１１２の加熱部に電力供給する制御について図５２のフローチャート図に基づき説明する。なお、昇圧部８０の構成は図４１と同じであるので省略する。
【０５６１】
まず、画像形成装置制御部１０は、定着装置１１２のＡＣ加熱部の温度が予め設定された温度（例えば、１７０度）以下か否か判定する（Ｓ２４１）。予め設定された温度以下の場合（ステップＳ２４１のＹｅｓ）、ＡＮＤ回路４６にＰＷＭ信号をスイッチング回路３０のＦＥＴ３０ａに出力する（Ｓ２４２）。このＰＷＭ信号により昇圧が行われ、定着装置１１２の加熱部に電力供給が行われる。
【０５６２】
ＡＣ加熱部の温度が予め設定された温度以下でない場合（ステップＳ２４１のＮｏ）、昇圧部８０から定着ヒータ２２に電力を供給する必要はなくなるので、ＰＷＭ信号の出力を停止し（Ｓ２４３）、図５２の制御は終了する。
【０５６３】
続いて、画像形成装置の動作モードに応じて開閉回路２６のリレー２６ａの開閉する制御について図５３のフローチャート図に基づき説明する。
【０５６４】
まず、画像形成装置制御部１０は、定電流/定電力充電電圧発生回路７から全セル満充電信号４５が出力されているか否か判定する（S２５１）。全セル満充電信号４５が出力されている場合（ステップS２５１のYes）、キャパシタバンク９の充電は完了しているので、リレー２６ａを開放する信号をリレードライブ回路２５に出力する（S２５２）。
【０５６５】
次に、画像形成装置制御部１０は、電源生成回路１２が定電圧出力を行うために電圧値をフィードバックする定電圧検出回路２１のトランジスターＴｒ２をＯＦＦする信号を出力する（S２５３）。トランジスターＴｒ２をＯＦＦすることにより、電源生成回路１２が定電圧出力動作を行うことができる。また、キャパシタバンク９の充電は完了しているので、充電可能フラグをリセットする（S２５３）。
【０５６６】
次いで、画像形成装置が画像形成動作を開始する状態か否か判定する（S２５４）。画像形成装置が画像形成動作を開始する場合（ステップS２５４のYes）、本体付加２０に電力を供給する必要があるので、画像形成装置制御部１０はリレー２６ａを開放する信号をリレードライブ回路２５に出力する（S２５５）。
【０５６７】
次いで、電源生成回路１２が定電圧出力を行うために電圧値をフィードバックする定電圧検出回路２１のトランジスタＴｒ２にＯＦＦする信号を出力する（S２５６）。トランジスタＴｒ２をＯＦＦすることにより、電源生成回路１２は定電圧出力動作を行うことが可能となる。また、キャパシタバンク９の充電は完了しているので、充電可能フラグをリセットする。
【０５６８】
トランジスタTr2をOFFにし充電可能フラグをリセットしたら、画像形成装置は画像形成動作を行う（S２５７）。
【０５６９】
画像形成装置制御部１０は、画像形成動作の間、画像形成動作が終了したか否かの判定を繰り返す（S２５８）。画像形成動作が終了した場合（ステップS２５８のYes）、キャパシタバンク9の充電動作が可能なので、リレー２６ａを閉じる信号をリレードライブ回路２５に出力する（S２５９）。
【０５７０】
次いで、画像形成装置制御部１０は、電源生成回路１２が定電圧出力を行うために電圧値をフィードバックする定電圧検出回路２１のトランジスタＴｒ２をＯＮする信号を出力する（S２６０）。トランジスタＴｒ２をＯＮすることにより、定電流/定電力充電電圧発生回路７のフィードバック信号が有効になる。
【０５７１】
画像形成動作が終了した場合、キャパシタバンク9を充電する必要が生じることがあるため、画像形成装置制御部１０は充電可能フラグをセットした後、図５０のフローチャート図の矢印〔Ｉ〕に進み、キャパシタバンク９を充電する基づく制御を行う。
ステップS２５１に戻り、キャパシタバンク9から全セル満充電信号４５が出力されてない場合（S２５１のNo）、画像形成装置が画像形成可能な状態か否か（たとえば、ドアの開放、用紙切れ等）判定する（S２６１）。
【０５７２】
ドアが開放されていない場合（ステップS２６１のYes）、全セル満充電信号４５がなくても画像形成は可能であるので、ステップS２５４に進み、画像形成装置が画像形成動作を開始する状態か否か判定する（S２５４）。
【０５７３】
ドアが開放されている場合（ステップS２６１のYes）、画像形成動作は実行できないので、逆にキャパシタバンク９の充電が可能となる。
【０５７４】
画像形成装置制御部１０は、リレー２６ａを閉じる信号をリレードライブ回路２５に出力する（S２６２）。次いで、電源生成回路１２が定電圧出力を行うために電圧値をフィードバックする定電圧検出回路２１のトランジスタＴｒ２にＯＮする信号を出力する（S２６３）。トランジスタＴｒ２をＯＮすることにより、定電流/定電力充電電圧発生回路７のフィードバック信号が有効になる。
【０５７５】
次いで、充電可能フラグをセットし（Ｓ２６４）、図５０のフローチャート図の矢印〔Ｉ〕に進み、キャパシタバンク９を充電する基づく制御を行う。
【０５７６】
続いて、画像形成装置が省エネモードに入る場合の制御について図５４のフローチャート図に基づき説明する。
【０５７７】
画像形成装置は、画像形成動作が終了後（Ｓ２７１）、一定時間が経過すると省エネモードに入る。図５４のフローチャート図では、タイマでカウントを繰り返し（Ｓ２７２）、カウントされたタイマが所定値Nとなった場合（Ｓ２７３のYes）、省エネモードに入る。
【０５７８】
省エネモードに入った場合（ステップＳ２７３のYes）、本体負荷２０に電力を供給する必要がなくキャパシタバンク９に充電が可能なので、画像形成装置制御部１０はリレー２６ａを閉じる信号をリレードライブ回路２５に出力する（Ｓ２７４）。
【０５７９】
次いで、電源生成回路１２が定電圧出力を行うために電圧値をフィードバックする定電圧検出回路２１のトランジスターＴｒ２をＯＮする信号を出力する（Ｓ２７５）。トランジスターＴｒ２をＯＮすることにより、定電流/定電力充電電圧発生回路７のフィードバック信号が有効になる。また、充電可能フラグをセットし（SＳ２７５）、図５０のフローチャート図の矢印〔Ｉ〕に進み、キャパシタバンク９を充電する基づく制御を行う。このようにして、省エネモードに入った場合にキャパシタバンク９に充電できる。
【０５８０】
なお、画像形成装置制御部１０は、キャパシタバンク９への充電動作中は省エネモードに入らない。画像形成装置制御部１０は、定電流/定電力充電電圧発生回路７から全セル満充電信号４５を検出すると、DC/DCコンバータ３３に画像形成装置の一部に電源の出力停止信号を出力する。
【０５８１】
本実施例において開閉回路26は切替回路37に置き換えることができるので、続いて、画像形成装置の動作モードに応じて切替回路３７のリレー３７ａの切り替えを制御する処理について図５５及び５６のフローチャート図に基づき説明する。
【０５８２】
まず、画像形成層制御部１０は、定電流/定電力充電電圧発生回路７から全セル満充電信号４５が出力されているか判定する（Ｓ２８１）。全セル満充電信号４５が出力されている場合（ステップＳ２８１のYes）、キャパシタバンク9は充電されているので、スイッチングレギュレータIC１３にＰＷＭ信号を停止する信号を出力する（Ｓ２８２）。
【０５８３】
次いで、キャパシタバンク９の充電は完了しているので、リレー３７ａを閉じる信号をリレードライブ回路２５に出力する（S２８３）。これにより、本体負荷20側に電力が供給される。
【０５８４】
次いで、電源生成回路１２が定電圧出力を行うために電圧値をフィードバックする定電圧検出回路２１のトランジスタＴｒ２にＯＦＦする信号を出力する（S２８４）。トランジスタＴｒ２をＯＦＦすることにより、電源生成回路１２が定電圧出力動作を行うことが可能となる。また、画像形成装置制御部１０は、キャパシタバンク９の充電は完了しているので、充電可能フラグをリセットする（S２８４）。
【０５８５】
次いで、画像形成装置制御部１０は、スイッチングレギュレータ１３にＰＷＭ信号を出力する起動信号を出力する（S２８５）。
【０５８６】
次いで、画像形成装置制御部１０は、画像形成装置が画像形成動作を開始する状態か否か判定する（S２８６）。画像形成装置が画像形成動作を開始する場合（ステップＳ２８６のYes）、スイッチングレギュレータ１３にＰＷＭ信号を停止する信号を出力する（Ｓ２８７）。画像形成する場合、本体付加20に電力を供給する必要があるので、リレー２６ａを閉じる信号をリレードライブ回路２５に出力する。
【０５８７】
次いで、電源生成回路１２が定電圧出力を行うために電圧値をフィードバックする定電圧検出回路２１のトランジスタＴｒ２をＯＦＦする信号を出力する（Ｓ２８８）。トランジスターＴｒ２をＯＦＦすることにより、電源生成回路１２が定電圧出力動作を行うことが可能となる。
【０５８８】
キャパシタバンク９の充電は完了しているので、画像形成装置制御部１０は充電可能フラグをリセットする（Ｓ２８９）。
【０５８９】
次いで、スイッチングレギュレータ１３にＰＷＭ信号を出力する起動信号をポート３より出力する（Ｓ２９０）。
画像形成装置はステップＳ２８６で画像形成動作を開始しているので（Ｓ２９１）、次いで、画像形成装置制御部１０は画像形成動作が終了しているか否か判定する（Ｓ２９２）。
【０５９０】
画像形成動作が終了した場合（ステップS２９２のYes）、スイッチングレギュレータ１３に、ＰＷＭ信号を停止する信号を出力する（S２９３）。また、
充電動作が可能なので、次いでリレー37ａを開放する信号をリレードライブ回路２５に出力する（S２９４）。
【０５９１】
次いで、電源生成回路１２が定電圧出力を行うために電圧値をフィードバックする定電圧検出回路２１のトランジスターＴｒ２をＯＮする信号を出力する（Ｓ２９５）。トランジスターＴｒ２をＯＮすることにより、定電流/定電力充電電圧発生回路７のフィードバック信号が有効になる。
【０５９２】
次いで、画像形成装置制御部１０は充電可能フラグをセットし（Ｓ２９６）、また、スイッチングレギュレータ１３にＰＷＭ信号を出力する起動信号を出力する（Ｓ２９７）。画像形成動作が終了しているので、図５０のフローチャート図の矢印〔Ｉ〕に進み、キャパシタバンク９を充電する制御を行う。
【０５９３】
ステップS２８１戻り、全セル満充電信号４５が出力されてない場合（ステップS２８１のNo）、画像形成装置が画像形成可能な状態か否か（たとえば、ドアの開放、用紙切れ等）判定する（S３０１）。
【０５９４】
ドアが開放されていない場合（ステップS３０１のNo）、全セル満充電信号４５がなくても画像形成は可能であるので、ステップＳ２８６に進み、画像形成装置が画像形成動作を開始する状態か否か判定する（S２８６）。
【０５９５】
ドアーが開放されている場合（ステップS３０１のYes）、画像形成動作は実施できないので、キャパシタバンク９に充電することができる。画像形成装置制御部１０は、スイッチングレギュレータIC１３にＰＷＭ信号を停止する信号を出力する（S３０２）。
【０５９６】
また、リレー３７ａを開放する信号をリレードライブ回路２５に出力する（S３０３）。次いで、電源生成回路１２が定電圧出力を行うために電圧値をフィードバックする定電圧検出回路２１のトランジスターＴｒ２をＯＮする信号を出力する（S３０４）。トランジスタＴｒ２をＯＮすることにより、定電流／定電力充電電圧発生回路７のフィードバック信号が有効になる。
【０５９７】
次いで、充電可能フラグをセットし（S３０５）、スイッチングレギュレータIC１３にＰＷＭ信号を出力する起動信号を出力する（S３０６）。次いで、図５０のフローチャート図の矢印〔Ｉ〕に進み、キャパシタバンク９を充電する制御を行う。以上のように、開閉回路２６を切替回路３７に置き換えても画像形成動作に応じて電源生成回路１２からの出力を本体負荷２０とキャパシタバンク９とを切り替えることができる。
【０５９８】
続いて、図３５の切替回路３７の場合に、画像形成装置が省エネモードに入る制御について図５７のフローチャート図に基づき説明する。
【０５９９】
画像形成装置は、画像形成動作が終了後（Ｓ３１０）、一定時間が経過すると省エネモードに入る。図５７のフローチャート図では、タイマでカウントを繰り返し（Ｓ３１１）、カウントされたタイマが所定値Nとなった場合（Ｓ３１２のYes）、省エネモードに入る。
【０６００】
省エネモードに入った場合（ステップＳ３１２のYes）、本体負荷２０に電力を供給する必要がなくキャパシタバンク９に充電が可能なので、画像形成装置制御部１０は、スイッチングレギュレータIC１３にＰＷＭ信号を停止する信号を出力する（S３１３）。
【０６０１】
次いで、キャパシタバンク９に充電が可能なので、リレー３７ａを開放する信号をリレードライブ回路２５に出力する（S３１４）。また、トランジスタＴｒ２にＯＮする信号を出力する（S３１５）。トランジスタＴｒ２をＯＮすることにより、定電流／定電力充電電圧発生回路７のフィードバック信号が有効になる。
【０６０２】
次いで、画像形成装置制御部１０は充電可能フラグをセットし（S３１６）、スイッチングレギュレータIC１３にＰＷＭ信号を出力する起動信号を出力する（S３１７）。次いで、図５０のフローチャート図の矢印〔Ｉ〕に進み、キャパシタバンク９を充電する制御を行う。
【０６０３】
なお、画像形成装置制御部１０は、充電動作中は省エネモードに入らない。画像形成装置制御部１０は、定電流/定電力充電電圧発生回路７から全セル満充電信号４５を検出すると、DC/DCコンバータ３３に画像形成装置の一部に電源の出力停止信号を出力する。
【０６０４】
以上説明したように本実施例の画像形成装置によれば、画像形成動作に必要な場合は電源生成回路１２の出力を画像形成装置の電源として使用し、充電動作時には電源生成回路１２を充電器として使用することができる。したがって、専用の充電器を必要とせずにキャパシタバンクを充電できるので、コストの低減及び装置値の小型化が可能になる。
【０６０５】
充電に必要な時間は数秒から数十秒程度であるので画像形成装置の画像形成動作が滞ることもない。
【０６０６】
また、本体負荷２０の動作電圧と同程度に昇圧してからキャパシタバンク９に蓄電し、定着ヒータ２２に電力を供給する必要がある場合に昇圧部８０により昇圧するので、定着ヒータ２２に供給する電圧に昇圧してから蓄電するよりもキャパシタバンク９を小型化でき、また、蓄電時間も短縮できる。また、定着装置の温度が予め設定された温度よりも極端に低い場合も、ＰＷＭのＯＮデュティーを徐々に（ソフトスタート）大きくすることが出来るので、突入電流を防止できる。
【０６０７】
また、省エネモード時には開閉回路２６を閉じて（または切替回路３７をキャパシタバンク９に切替）、電源生成回路１２からキャパシタバンクに電流を流すことができるので、省エネモード時であってもキャパシタバンク９に充電することができる。また、昇圧電圧検出回路５０を用いる場合よりもコストを低減できる。
【実施例１１】
【０６０８】
実施例９又は１０では昇圧部８０に絶縁トランスを用いたが、本実施例では昇圧部に昇圧チョークコイルを用いる。図５８は、蓄電装置が適用された画像形成装置の概略回路図を示す。なお、図５８において図３３と同一構成部分には同一の符号を伏しその説明は省略する。図５８では、昇圧部８０に昇圧チョークコイル２７ａが設けられ、また、ＤＣ定着ヒータ２２と直列にＦＥＴ４７が設けられている。ＦＥＴ４７は、ＤＣ定着ヒータ２２にキャパシタバンク９から電力を供給しない間オフになっているので、キャパシタバンク９から放電することを防止する。
【０６０９】
図５９は、本実施例の画像形成装置の回路図を示す。なお、図５９において、図３４と同一構成部分には同一の符号を伏した。
【０６１０】
交流電源ＡＣは、主電源スイッチ１１、フィルタ１及び全波整流回路２を介して電源生成回路１２と接続されている。電源生成回路１２は、整流回路４及びチョークコイル５を介して定電圧検出回路２１及び本体負荷２０、並びに、開閉回路２６に接続されている。開閉回路２６が閉じた場合、電源生成回路１２は充電電圧検出回路１６及びキャパシタバンク９へ接続される。なお、充電電圧検出回路１６は不図示の均等化回路を有する。また、キャパシタバンク９及び充電電圧検出回路１６は定電流／定電力充電電圧発生回路７と接続されている。キャパシタバンク９は、昇圧部８０、整流平滑回路７５及び昇圧電圧検出回路５０を介してＤＣ定着ヒータ２２に接続される。また、定電流／定電力充電電圧発生回路７は、画像形成装置制御部１０に接続されている。
【０６１１】
交流電源ＡＣに戻り、フィルタ１は全波整流回路３２を介してＤＣ／ＤＣコンバータ３３に接続され、また、ＤＣ／ＤＣコンバータ３３は画像形成装置制御部１０及び省エネモード解除スイッチ２４に接続される。
【０６１２】
画像形成装置制御部１０は、ＡＣヒータ制御回路４３、温度検出回路６１０及び６２０が接続されている。また、画像形成装置制御部１０は、ＯＲ回路５１を介してスイッチングレギュレータＩＣ１３に接続される。ＯＲ回路５１の他方の端子は定電流／定電力充電電圧発生回路７と接続されている。画像形成装置制御部１０は、リレードライブ回路２５、充電電圧検出回路１６、定電圧検出回路２１、及び、昇圧部８０に接続されている。
【０６１３】
スイッチングレギュレータＩＣ１３は、電源生成回路１２、回路１５及びフィードバック電圧検出回路１４と接続されている。フィードバック電圧検出回路１４へは、フィードバック電圧検出回路１４のフォトカプラＰＣ１及び電圧電流変換回路１８のフォトカプラＰＣ２の発光が入力されるようになっている。
【０６１４】
次に、図５９の蓄電装置の動作について説明する。なお、図５９において図３４と同一の動作については説明を省略する。
【０６１５】
昇圧部８０は、キャパシタバンク９からの入力側に昇圧チョークコイル２７ａを有し、昇圧チョークコイル２７ａからの出力及びスイッチング回路３０からの出力が、整流平滑回路７５及び昇圧電圧検出回路５０を介してＤＣ定着ヒータ２２に接続される。スイッチング回路３０のＦＥＴ３０ａ、並びに、整流平滑回路７５の昇圧整流ダイオードＤ５及び平滑コンデンサＣ４が、それぞれキャパシタバンク９の端子間に並列に接続されている。ＤＣ定着ヒータ２２の出力側に設けられたＦＥＴ４７及びＦＥＴ４７のゲートには画像形成装置制御部１０が接続されている。
【０６１６】
画像形成装置制御部１０は、ＰＷＭ信号をＦＥＴ３０ａに出力すると、キャパシタバンク９に蓄電された電圧により昇圧チョークコイル２７ａに電流が流れエネルギーが蓄積され、続いてＦＥＴ３０ａをオフすると、オン期間に昇圧チョークコイル２７ａに蓄積したエネルギーを入力電圧に重畳して出力し、この電流が昇圧整流ダイオードＤ５を通して、平滑用コンデンサＣ４に貯えられる。この動作が繰り返され昇圧が行われ、昇圧平滑された電圧がＤＣ定着ヒータ２２に供給される。
【０６１７】
昇圧平滑される電圧（昇圧電圧）は、キャパシタバンク９に蓄電された電圧（入力電圧）と、ＰＷＭ信号のオン期間とオフ期間のデューティ比で決定される。また、昇圧電圧は、抵抗Ｒ１２と抵抗Ｒ１３とが直列に接続された昇圧電圧検出回路５０により画像形成装置制御部１０にフィードバックされる。昇圧電圧検出回路５０の電圧を監視してＰＷＭ信号のＯＮデューティを変えることにより、昇圧平滑された昇圧電圧が制御される。
【０６１８】
以上の構成を用いて、画像形成装置制御部１０がキャパシタバンク９への充電制御を行う動作について図６０のフローチャート図に基づき説明する。
【０６１９】
画像形成装置制御部１０は、主電源スイッチ１１がオンされＤＣ／ＤＣコンバータ３３より電源供給を受けると、画像形成装置制御部１０及び周辺回路の初期設定を行う（Ｓ３５１）。
【０６２０】
そして、主電源スイッチ１１がオン、又は、省エネモードが解除された場合にセットされる立ち上げフラグをセットする（Ｓ３５２）。このフラグは、後述する画像形成装置の定着温度を上昇させる場合に参照される。主電源スイッチ１１のオンされた直後は画像形成動作を行える状態ではないので、画像形成装置制御部１０は次に充電可能フラグをセットする（Ｓ３５２）。
【０６２１】
なお、ステップＳ１２の後の〔Ｉ〕の矢印は後述するフローチャート図からの処理手順であることを示す。
【０６２２】
次にキャパシタバンク９の充電電圧を充電電圧検出回路１６により取得し、キャパシタバンク９の充電電圧がＢ〔Ｖ〕以下か否か判定する（Ｓ３５３）。キャパシタバンク９の充電電圧が予め設定されたＢ〔Ｖ〕以下の場合（ステップＳ３５３のＹｅｓ）、次いで、充電可能フラグがセットされているか否か判定する（Ｓ３５４）。
【０６２３】
充電可能フラグがセットされてない場合（ステップＳ３５４のＮｏ）、本体負荷２０側に電力供給が必要なので、充電動作は行わないで本制御フローは終了する。
また、キャパシタバンク９の充電電圧が予め設定されたＢ〔Ｖ〕以下でない場合（Ｓ３５３のＮｏ）、キャパシタバンク９は充電された状態であるので、リレー２６ａを開放する信号をリレードライブ回路２５に出力する（Ｓ３５９）。これにより、電源生成回路１２の出力は本体負荷２０側になる。なお、開閉回路２６が、図３５の切替回路３７の場合、リレー３７ａを閉じる信号をリレードライブ回路２５に出力すればよい。
【０６２４】
次いで、画像形成装置制御部１０はトランジスタＴｒ２にＯＦＦする信号を出力する（Ｓ３６０）。これにより、電源生成回路１２は定電圧動作が可能となる。
【０６２５】
次いで、昇圧電圧検出回路５０の出力に基づき、昇圧電圧が予め設定されたＤ〔Ｖ〕電圧以下か否か判定する（Ｓ３６１）。昇圧電圧がＤ〔Ｖ〕以下の場合（ステップＳ３６１のＹｅｓ）、昇圧電圧検出回路５０から検出した昇圧電圧に応じてＰＷＭ信号をスイッチング回路３０のＦＥＴ３０ａに出力する（Ｓ３６２）。
【０６２６】
画像形成装置制御部１０は、昇圧電圧が予め設定されたＤ〔Ｖ〕より大となるまでステップＳ３６１の判定とステップＳ３６２のＰＷＭ信号出力を繰り返す。
【０６２７】
昇圧電圧が予め設定されたＤ〔Ｖ〕より大となった場合（ステップＳ３６１のＮｏ）、所定の電圧に昇圧されたので、ＰＷＭ信号の出力を停止する（Ｓ３６３）。
【０６２８】
なお、ＰＷＭ信号の周波数は画像形成装置制御部１０のタイマ（不図示）により作成され、パルス幅の変調は変調用内部タイマ（不図示）を変えることにより変更される。この変調用のタイマの値は、昇圧電圧検出回路５０の昇圧電圧出力と関連付けたテーブルを予め設定しておいても良いし、演算により算出しても良い。ＰＷＭ信号のＯＮデュティーは、昇圧電圧が低いと大きくなり、高いと小さくなる。
充電可能フラグがセットされている場合（ステップＳ３５４のＹｅｓ）、画像形成装置制御部１０は、リレー２６ａを閉じる信号をリレードライブ回路２５に出力する（Ｓ３５５）。
【０６２９】
次いで、スイッチング・レギュレーターＩＣ１３に起動信号をＯＲ回路５１を介して出力する（Ｓ３５６）。また、電源生成回路１２が定電圧出力を行うために電圧値をフィードバックする定電圧検出回路２１のフォトカプラーＰＣ１のアノードとカソード間を接続するトランジスタＴｒ２にＯＮ信号を出力する（Ｓ３５７）。トランジスタＴｒ２がＯＮすることにより、定電流／定電力充電電圧発生回路７のフィードバック信号が有効になる。
次いで、定電流／定電力充電電圧発生回路７に充電動作指示信号を出力する（Ｓ３５８）。以上の制御により、キャパシタバンク９が充電される。定電流／定電力充電電圧発生回路７は前記したように、キャパシタバンク９の充電電圧検出、充電電流の検出、バイパス回路の動作を検出し、定電流充電または定電力充電を行う。
【０６３０】
続いて、電源投入時、省エネ解除時又は画像形成動作時に昇圧部８０から定着装置１１２の加熱部に電力供給する制御について図６１のフローチャート図に基づき説明する。
【０６３１】
画像形成装置制御部１０は、主電源スイッチ１１がオン又は省エネモードが解除された場合にセットされる立ち上げフラグがセットされているか否か判定する（Ｓ３７１）。
【０６３２】
立ち上げフラグがセットされている場合（ステップＳ３７１のＹｅｓ）、ＡＣヒータ加熱部の温度検出回路６１０の出力を取得して、ＡＣヒータ加熱部の温度が予め設定された温度以上か否か判定する（Ｓ３７２）。
【０６３３】
ＡＣヒータ加熱部の温度が予め設定された温度以上（例えば、１３０度以上）の場合（ステップＳ３７２のＹｅｓ）、画像形成装置が画像形成動作中か否か判定する（Ｓ３７３）。画像形成装置が画像形成動作中でない場合（Ｓ３７３のＮｏ）、昇圧部８０から定着ヒータ２２に電力を供給する必要はないので図６１のフローチャート図の制御は終了する。
画像形成動作中の場合（ステップＳ３７３のＹｅｓ）、ＡＣヒータ加熱部の温度が予め設定された温度以下か否か判定する（Ｓ３７４）。予め設定された温度以下でない場合（ステップＳ３７４のＮｏ）、昇圧部８０から定着ヒータ２２に電力を供給する必要はないので図６１のフローチャート図の制御は終了する。
【０６３４】
予め設定された温度以下（例えば、１５５度以下）の場合（ステップＳ３７４のＹｅｓ）、未定着画像のコピーが発生する場合があるので、昇圧部８０から定着ヒータ２２に電力を供給するために、キャパシタバンク９の充電電圧を充電電圧検出回路１６により取得し、所定の電圧Ａ〔Ｖ〕以上か否か判定する（Ｓ３７５）。
【０６３５】
キャパシタバンク９の充電電圧がＡ〔Ｖ〕以上でない場合（ステップＳ３７５のＮｏ）、蓄電不足なので、キャパシタバンク９を充電する制御フローを実行するため図６１の〔Ｉ〕に処理を行う。
【０６３６】
キャパシタバンク９の充電電圧がＡ〔Ｖ〕以上の場合（ステップＳ３７５のＹｅｓ）、ＡＣヒータ加熱部の温度が予め設定された温度（例えば２０度）以上か否か判定する（Ｓ３７６）。
【０６３７】
加熱部温度が予め設定された温度以上の場合（ステップＳ３７６のＹｅｓ）、画像形成装置制御部１０は、ＤＣ定着ヒータ２２に電力を供給するためＦＥＴ４７をＯＮする信号を出力する（Ｓ３７７）。
【０６３８】
ついで、ＡＣ加熱部の温度が予め設定された温度（以下か確認する。加熱部温度が予め設定された温度以下の場合、例として１８０度以下の場合は、昇圧電圧検出回路５０の出力をＡ／Ｄポート２より読み込み、この昇圧電圧に対応して、ＯＮデュ−ティを決定したＰＷＭ信号を、スイッチング回路３０のＦＥＴ３０ａに出力する。このＯＮデュティーは、昇圧電圧が低いと大きくなり、高いと小さくなる。
【０６３９】
加熱部温度が予め設定された温度以上でない場合（ステップＳ３７６のＮｏ）、温度を上昇させるため、ＤＣ定着ヒータ２２に電力を供給するためＦＥＴ４７をＯＮする信号を出力する（Ｓ３８４）。
【０６４０】
また、定着温度に比べ極端に定着装置１１２のＡＣ加熱部の温度が低いので、突入電流を軽減するために予め設定された昇圧電圧を低くしたＯＮデュティーのＰＷＭ信号を一定時間出力する（Ｓ３８５）。
【０６４１】
次いで、ＡＣ加熱部の温度が所定の温度以下（例えば、１００度以下）か否か判定する（Ｓ３８６）。ＡＣ加熱部の温度が１００度以下の場合（ステップＳ３８６のＹｅｓ）、ＯＮデュティーを決定するタイマに設定値を加算したＰＷＭ信号を出力する（Ｓ３８７）。
【０６４２】
再度、画像形成装置制御部１０はＡＣ加熱部の温度が予め設定された温度以下か否か判定する（ステップＳ３８６）。ＡＣ加熱部の温度が予め設定された温度以下の場合はステップＳ３８７の処理を繰り返す。この動作により、ＰＷＭのＯＮデュ−ティを徐々に（ソフトスタート）大きくすることが出来るので、突入電流を軽減できる。
【０６４３】
加熱部温度が予め設定された温度以上の場合（ステップＳ３７６のＹｅｓ）、又は、また、加熱部温度が予め設定された温度以下でない場合（ステップＳ３８６のＮｏ）、ＡＣヒータ加熱部の温度が予め設定された温度（例えば１８０度）以下か否か判定する（Ｓ３７８）。
【０６４４】
加熱部温度が予め設定された温度以下の場合（ステップＳ３７８のＹｅｓ）、昇圧電圧検出回路５０の出力を取得し、この昇圧電圧に対応してＯＮデュ−ティを決定したＰＷＭ信号をスイッチング回路３０のＦＥＴ３０ａに出力する（Ｓ３７９）。
【０６４５】
このＯＮデュティーは、昇圧電圧が低いと大きくなり、高いと小さくなる。なお、ＰＷＭ信号の周波数は画像形成装置制御部１０の有するタイマ（不図示）により生成され、パルス幅の変調は変調用内部タイマ（不図示）を変えることにより変更出来る構成になっている。変調用内部タイマの値はＡＣ加熱部温度または、昇圧電圧検出回路５０等の出力と関連付けたテーブルを予め設定しておいても良いし、演算により算出しても良い
次いで、画像形成装置制御部１０は、昇圧電圧検出回路５０により検出された昇圧電圧がＥ〔Ｖ〕以上か否か判定する（Ｓ３８０）。昇圧電圧がＥ〔Ｖ〕以上でない場合（ステップＳ３８０のＮｏ）、再度、ＡＣ加熱部の温度が予め設定された温度以下か否か判定し（Ｓ３７８）、ＡＣ加熱部の温度が予め設定された温度以下の場合は、昇圧電圧検出回路５０の出力を取得し、昇圧電圧に対応してＯＮデュティーを決定したＰＷＭ信号をスイッチング回路３０のＦＥＴ３０ａに出力する（Ｓ３７９）。
【０６４６】
昇圧電圧がＥ〔Ｖ〕以上の場合（ステップＳ３８０のＹｅｓ）、ＰＷＭ信号の出力を停止し（Ｓ３８１）、再度、ＡＣ加熱部の温度が予め設定された温度以下か否か判定し（Ｓ３７８）、同様の動作を繰り返す。
【０６４７】
加熱部温度が予め設定された温度以下でない場合（ステップＳ３７８のＮｏ）、昇圧部８０から定着ヒータ２２に電力を供給する必要がなくなるため、ＰＷＭ信号の出力を停止する（Ｓ３８２）。また、ＦＥＴ４７をＯＦＦする信号を出力する（Ｓ３８３）。以上のような制御により、定着装置１１２の温度が制御される。
【０６４８】
図６１では昇圧電圧検出回路５０により検出された電圧に基づきＯＮデュティーのＰＷＭ信号の信号幅を決定したが、ＰＷＭ信号の信号幅はＡＣ加熱部の温度に応じて決定してもよい。
【０６４９】
図６２は、ＡＣ加熱部の温度に応じてＯＮデュ−ティーのＰＷＭ信号を出力する制御のフローチャート図である。なお、図６２においてステップＳ３７１〜Ｓ３７７までの制御は図６１の制御と同じであるので説明を省略する。
【０６５０】
まず、ＡＣ加熱部の温度が予め設定された温度以下（例えば１８０度以下）か否か判定する（Ｓ３９２）。ＡＣ加熱部の温度が予め設定された温度以下の場合（ステップＳ３９２のＹｅｓ）、ＡＣ加熱部の温度を検出してこの検出温度の応じてＯＮデュティーを決定したＰＷＭ信号を出力する（Ｓ３９３）。このＯＮデュティーは温度が低いと大きくなり、高いと小さくなるように決定される。
【０６５１】
次に、画像形成装置制御部１０は、昇圧電圧がＥ〔Ｖ〕以上か否か判定する（Ｓ３９４）。昇圧電圧がＥ〔Ｖ〕以上でない場合（ステップＳ３９４のＮｏ）、再度、ＡＣ加熱部の温度が予め設定された温度以下か否か判定し（Ｓ３９２）、ＡＣ加熱部の温度が予め設定された温度以下の場合、ＡＣ加熱部の温度に応じてＯＮデュティーを決定したＰＷＭ信号を出力する（Ｓ３９３）。
【０６５２】
昇圧電圧がＥ〔Ｖ〕以上の場合（ステップＳ３９４のＹｅｓ）、ＰＷＭ信号の出力を停止し（Ｓ３９５）、再度、ＡＣ加熱部の温度が予め設定された温度以下か否か判定し（Ｓ３９２）、同様の処理を繰り返す。
【０６５３】
ＡＣ加熱部の温度が予め設定された温度以下でない場合（ステップＳ３９２のＮｏ）、昇圧部８０から定着ヒータ２２に電力を供給する必要はなくなるので、ＰＷＭ信号の出力を停止し（Ｓ３９６）、ＦＥＴ４７をＯＦＦする信号を出力する（Ｓ３９７）。なお、ＰＷＭ信号の信号幅は定電流／定電力充電電圧発生回路７により予め設定されていてもよい。
【０６５４】
ところで、ＰＷＭ信号は、定電流及び定電力充電電圧発生回路７が出力してもよい。図６３は、定電流／定電力充電電圧発生回路７にＰＷＭ信号を発生する回路を設け、昇圧部８０にＰＷＭ信号を入力する回路図の一例を示す。
【０６５５】
定電流／定電力充電電圧発生回路７は、ＰＷＭ信号の周波数を決定するタイマ（不図示）と、ＯＮデュティーを決定するパルス幅の変調用の内部タイマ（不図示）を有している。定電流／定電力充電電圧発生回路７はＰＷＭ信号を常に発生している。
【０６５６】
画像形成装置制御部１０はこのＰＷＭ信号が入力されているＡＮＤ回路４６に、ＡＣ加熱部の温度検出結果に応じて信号を出力することにより、ＰＷＭ信号をスイッチング回路３０のＦＥＴ３０ａに出力する。回路図のその他の部分は図５９と同じである。
【０６５７】
図６４のフローチャート図は、定電流／定電力充電電圧発生回路７により予め設定されたＰＷＭ信号を発生させ、ＡＣ加熱部の温度及び昇圧電圧に基づきこのＰＷＭ信号をＯＮ／ＯＦＦ制御を行うことで定着装置１１２のＡＣ加熱部に電力供給する制御のフローチャートを示す。
【０６５８】
定電流／定電力充電電圧発生回路７はあらかじめ設定されたＯＮデューティのＰＷＭを出力している。
【０６５９】
画像形成装置制御部１０はＦＥＴ４７をＯＮする信号を出力し（Ｓ４０１）、ＤＣ定着ヒータ２２への電力供給を許可する。画像形成装置制御部１０は、定着装置１１２のＡＣ加熱部の温度が、予め設定された温度（例えば、１７０度）以下か否か判定する（Ｓ４０２）。予め設定された温度以下の場合（ステップＳ４０２のＹｅｓ）、画像形成装置制御部１０はＰＷＭ信号をスイッチング回路３０のＦＥＴ３０ａに出力する（Ｓ４０３）。このＰＷＭ信号により、昇圧部４１で昇圧が行われ定着装置１１２のＤＣ定着ヒータ２２に電力供給が行われる。
【０６６０】
次いで、昇圧電圧検出回路５０により昇圧電圧を検出し、昇圧電圧が予め設定されたＥ〔Ｖ〕以上か否か判定する（Ｓ４０４）。昇圧電圧がＥ〔Ｖ〕以上の場合（ステップＳ４０４のＹｅｓ）、ＰＷＭ信号の出力を停止し（Ｓ４０５）、再度、ＡＣ加熱部の温度が、予め設定された温度以下か否か判定する（Ｓ４０２）。
【０６６１】
ＡＣ加熱部の温度が予め設定された温度を超える場合（ステップＳ４０２のＮｏ）、昇圧部８０からの電力供給を必要としないので、ＰＷＭ信号の出力を停止し（Ｓ４０６）、次いで、ＦＥＴ４７をＯＦＦする信号を出力する（Ｓ４０７）。以上で、図６４の制御は終了する。
【０６６２】
続いて、画像形成装置の動作モードに応じて開閉回路２６のリレー２６ａの開閉する制御について図６５のフローチャート図に基づき説明する。
【０６６３】
まず、画像形成装置制御部１０は、定電流/定電力充電電圧発生回路７から全セル満充電信号４５が出力されているか否か判定する（Ｓ４１１）。全セル満充電信号４５が出力されている場合（ステップＳ４１１のYes）、キャパシタバンク９の充電は完了しているので、リレー２６ａを開放する信号をリレードライブ回路２５に出力する（Ｓ４１２）。
【０６６４】
次に、画像形成装置制御部１０は、電源生成回路１２が定電圧出力を行うために電圧値をフィードバックする定電圧検出回路２１のトランジスターＴｒ２をＯＦＦする信号を出力する（Ｓ４１３）。トランジスタＴｒ２をＯＦＦすることにより、電源生成回路１２が定電圧出力動作を行うことができる。また、キャパシタバンク９の充電は完了しているので、充電可能フラグをリセットする（Ｓ４１３）。
【０６６５】
次いで、画像形成装置が画像形成動作を開始する状態か否か判定する（Ｓ４１４）。画像形成装置が画像形成動作を開始する場合（ステップＳ４１４のYes）、本体負荷20に電力を供給する必要があるので、画像形成装置制御部１０はリレー２６ａを開放する信号をリレードライブ回路２５に出力する（Ｓ４１５）。
【０６６６】
次いで、電源生成回路１２が定電圧出力を行うために電圧値をフィードバックする定電圧検出回路２１のトランジスタＴｒ２にＯＦＦする信号を出力する（Ｓ４１６）。トランジスタＴｒ２をＯＦＦすることにより、電源生成回路１２は定電圧出力動作を行うことが可能となる。また、キャパシタバンク９の充電は完了しているので、充電可能フラグをリセットする。
【０６６７】
トランジスタTr2をOFFにし充電可能フラグをリセットしたら、画像形成装置は画像形成動作を行う（Ｓ４１７）。
【０６６８】
画像形成装置制御部１０は、画像形成動作の間、画像形成動作が終了したか否かの判定を繰り返す（Ｓ４１８）。画像形成動作が終了した場合（ステップＳ４１８のYes）、キャパシタバンク9の充電動作が可能なので、リレー２６ａを閉じる信号をリレードライブ回路２５に出力する（Ｓ４１９）。
【０６６９】
次いで、画像形成装置制御部１０は、電源生成回路１２が定電圧出力を行うために電圧値をフィードバックする定電圧検出回路２１のトランジスタＴｒ２をＯＮする信号を出力する（Ｓ４２０）。トランジスタＴｒ２をＯＮすることにより、定電流/定電力充電電圧発生回路７のフィードバック信号が有効になる。
【０６７０】
画像形成動作が終了した場合、キャパシタバンク9を充電する必要が生じることがあるため、画像形成装置制御部１０は充電可能フラグをセットした後、図６０のフローチャート図の矢印〔Ｉ〕に進み、キャパシタバンク９を充電する基づく制御を行う。
ステップＳ４１１に戻り、キャパシタバンク9から全セル満充電信号４５が出力されてない場合（Ｓ４１１のNo）、画像形成装置が画像形成可能な状態か否か（たとえば、ドアの開放、用紙切れ等）判定する（Ｓ４２１）。
ドアが開放されていない場合（ステップＳ４２１のＮｏ）、全セル満充電信号４５がなくても画像形成は可能であるので、ステップＳ４１４に進み、画像形成装置が画像形成動作を開始する状態か否か判定する（Ｓ４１４）。
【０６７１】
ドアが開放されている場合（ステップＳ４２１のYes）、画像形成動作は実行できないので、逆にキャパシタバンク９の充電が可能となる。
【０６７２】
画像形成装置制御部１０は、リレー２６ａを閉じる信号をリレードライブ回路２５に出力する（Ｓ４２２）。次いで、電源生成回路１２が定電圧出力を行うために電圧値をフィードバックする定電圧検出回路２１のトランジスタＴｒ２にＯＮする信号を出力する（Ｓ４２３）。トランジスタＴｒ２をＯＮすることにより、定電流/定電力充電電圧発生回路７のフィードバック信号が有効になる。
【０６７３】
次いで、充電可能フラグをセットし（Ｓ４２４）、図６０のフローチャート図の矢印〔Ｉ〕に進み、キャパシタバンク９を充電する基づく制御を行う。
【０６７４】
続いて、画像形成装置が省エネモードに入る場合の制御について図６６のフローチャート図に基づき説明する。
【０６７５】
画像形成装置は、画像形成動作が終了後（Ｓ４３１）、一定時間が経過すると省エネモードに入る。図６６のフローチャート図では、タイマでカウントを繰り返し（Ｓ４３２）、カウントされたタイマが所定値Nとなった場合（Ｓ４３２のYes）、省エネモードに入る。
【０６７６】
省エネモードに入った場合（ステップＳ４３２のYes）、本体負荷２０に電力を供給する必要がなくキャパシタバンク９に充電が可能なので、画像形成装置制御部１０はリレー２６ａを閉じる信号をリレードライブ回路２５に出力する（Ｓ４３４）。
【０６７７】
次いで、電源生成回路１２が定電圧出力を行うために電圧値をフィードバックする定電圧検出回路２１のトランジスターＴｒ２をＯＮする信号を出力する（Ｓ４３５）。トランジスタＴｒ２をＯＮすることにより、定電流/定電力充電電圧発生回路７のフィードバック信号が有効になる。また、充電可能フラグをセットし（Ｓ４３５）、図６０のフローチャート図の矢印〔Ｉ〕に進み、キャパシタバンク９を充電する基づく制御を行う。このようにして、省エネモードに入った場合にキャパシタバンク９に充電できる。
【０６７８】
なお、画像形成装置制御部１０は、キャパシタバンク９への充電動作中は省エネモードに入らない。画像形成装置制御部１０は、定電流/定電力充電電圧発生回路７から全セル満充電信号４５を検出すると、DC/DCコンバータ３３に画像形成装置の一部に電源の出力停止信号を出力する。
【０６７９】
図５９の開閉回路26は切替回路37に置き換えてもよい。図６７は、開閉回路26を切替回路37に置き換えた回路図の一例を示す。リレー３７ａが通電されてない場合は、本体負荷２０側に切り替え回路が接続され、キャパシタバンク９に充電を行う場合、リレードライブ回路２５に出力されキャパシタバンク９側に切り替える。
画像形成装置の動作モードに応じて切替回路３７のリレー３７ａの切り替えを制御する処理について図６８及び６９のフローチャート図に基づき説明する。
【０６８０】
まず、画像形成層制御部１０は、定電流/定電力充電電圧発生回路７から全セル満充電信号４５が出力されているか判定する（Ｓ４４１）。全セル満充電信号４５が出力されている場合（ステップＳ４４１のYes）、キャパシタバンク9は充電されているので、スイッチングレギュレータIC１３にＰＷＭ信号を停止する信号を出力する（Ｓ４４２）。
【０６８１】
次いで、キャパシタバンク９の充電は完了しているので、リレー３７ａを閉じる信号をリレードライブ回路２５に出力する（Ｓ４４３）。これにより、本体負荷20側に電力が供給される。
【０６８２】
次いで、電源生成回路１２が定電圧出力を行うために電圧値をフィードバックする定電圧検出回路２１のトランジスタＴｒ２にＯＦＦする信号を出力する（Ｓ４４３）。トランジスタＴｒ２をＯＦＦすることにより、電源生成回路１２が定電圧出力動作を行うことが可能となる。また、画像形成装置制御部１０は、キャパシタバンク９の充電は完了しているので、充電可能フラグをリセットする（Ｓ４４４）。
【０６８３】
次いで、画像形成装置制御部１０は、スイッチングレギュレータ１３にＰＷＭ信号を出力する起動信号を出力する（Ｓ４４５）。
【０６８４】
次いで、画像形成装置制御部１０は、画像形成装置が画像形成動作を開始する状態か否か判定する（Ｓ４４６）。画像形成装置が画像形成動作を開始する場合（ステップＳ４４６のYes）、スイッチングレギュレータ１３にＰＷＭ信号を停止する信号を出力する（Ｓ４４７）。画像形成する場合、本体付加20に電力を供給する必要があるので、リレー２６ａを閉じる信号をリレードライブ回路２５に出力する。
【０６８５】
次いで、電源生成回路１２が定電圧出力を行うために電圧値をフィードバックする定電圧検出回路２１のトランジスタＴｒ２をＯＦＦする信号を出力する（Ｓ４４９）。トランジスタＴｒ２をＯＦＦすることにより、電源生成回路１２が定電圧出力動作を行うことが可能となる。
【０６８６】
キャパシタバンク９の充電は完了しているので、画像形成装置制御部１０は充電可能フラグをリセットする（Ｓ４４９）。
【０６８７】
次いで、スイッチングレギュレータ１３にＰＷＭ信号を出力する起動信号をポート３より出力する（Ｓ４５０）。
画像形成装置はステップＳ４４６で画像形成動作を開始しているので（Ｓ４５１）、次いで、画像形成装置制御部１０は画像形成動作が終了しているか否か判定する（Ｓ４５２）。
【０６８８】
画像形成動作が終了した場合（ステップＳ４５２のYes）、スイッチングレギュレータ１３に、ＰＷＭ信号を停止する信号を出力する（Ｓ４５３）。また、
充電動作が可能なので、次いでリレー３７ａを開放する信号をリレードライブ回路２５に出力する（Ｓ４５４）。
【０６８９】
次いで、電源生成回路１２が定電圧出力を行うために電圧値をフィードバックする定電圧検出回路２１のトランジスターＴｒ２をＯＮする信号を出力する（Ｓ４５２）。トランジスターＴｒ２をＯＮすることにより、定電流/定電力充電電圧発生回路７のフィードバック信号が有効になる。
【０６９０】
次いで、画像形成装置制御部１０は充電可能フラグをセットし（Ｓ４５６）、また、スイッチングレギュレータ１３にＰＷＭ信号を出力する起動信号を出力する（Ｓ４５７）。画像形成動作が終了しているので、図６０のフローチャート図の矢印〔Ｉ〕に進み、キャパシタバンク９を充電する制御を行う。
【０６９１】
ステップＳ４４１に戻り、全セル満充電信号４５が出力されてない場合（ステップＳ４４１のNo）、画像形成装置が画像形成可能な状態か否か（たとえば、ドアの開放、用紙切れ等）判定する（Ｓ４６０）。
【０６９２】
ドアが開放されていない場合（ステップＳ４６０のNo）、全セル満充電信号４５がなくても画像形成は可能であるので、ステップＳ４４６に進み、画像形成装置が画像形成動作を開始する状態か否か判定する（Ｓ４４６）。
【０６９３】
ドアーが開放されている場合（ステップＳ４６０のYes）、画像形成動作は実施できないので、キャパシタバンク９に充電することができる。画像形成装置制御部１０は、スイッチングレギュレータIC１３にＰＷＭ信号を停止する信号を出力する（Ｓ４６１）。
【０６９４】
また、リレー３７ａを開放する信号をリレードライブ回路２５に出力する（Ｓ４６２）。次いで、電源生成回路１２が定電圧出力を行うために電圧値をフィードバックする定電圧検出回路２１のトランジスタＴｒ２をＯＮする信号を出力する（Ｓ４６３）。トランジスタＴｒ２をＯＮすることにより、定電流／定電力充電電圧発生回路７のフィードバック信号が有効になる。
【０６９５】
次いで、充電可能フラグをセットし（Ｓ４６４）、スイッチングレギュレータＩＣ１３にＰＷＭ信号を出力する起動信号を出力する（Ｓ４６５）。次いで、図６０のフローチャート図の矢印〔Ｉ〕に進み、キャパシタバンク９を充電する制御を行う。以上のように、開閉回路２６を切替回路３７に置き換えても画像形成動作に応じて電源生成回路１２からの出力を本体負荷２０とキャパシタバンク９とを切り替えることができる。
【０６９６】
続いて、図６７の切替回路３７の場合に、画像形成装置が省エネモードに入る制御について図７０のフローチャート図に基づき説明する。
【０６９７】
画像形成装置は、画像形成動作が終了後（Ｓ４７１）、一定時間が経過すると省エネモードに入る。図７０のフローチャート図では、タイマでカウントを繰り返し（Ｓ４７２）、カウントされたタイマが所定値Nとなった場合（Ｓ４７３のYes）、省エネモードに入る。
【０６９８】
省エネモードに入った場合（ステップＳ４７３のYes）、本体負荷２０に電力を供給する必要がなくキャパシタバンク９に充電が可能なので、画像形成装置制御部１０は、スイッチングレギュレータIC１３にＰＷＭ信号を停止する信号を出力する（Ｓ４７４）。
【０６９９】
次いで、キャパシタバンク９に充電が可能なので、リレー３７ａを開放する信号をリレードライブ回路２５に出力する（Ｓ４７５）。また、トランジスタＴｒ２にＯＮする信号を出力する（Ｓ４７６）。トランジスタＴｒ２をＯＮすることにより、定電流／定電力充電電圧発生回路７のフィードバック信号が有効になる。
【０７００】
次いで、画像形成装置制御部１０は充電可能フラグをセットし（Ｓ４７７）、スイッチングレギュレータIC１３にＰＷＭ信号を出力する起動信号を出力する（Ｓ４７８）。次いで、図６０のフローチャート図の矢印〔Ｉ〕に進み、キャパシタバンク９を充電する制御を行う。
【０７０１】
なお、画像形成装置制御部１０は、充電動作中は省エネモードに入らない。画像形成装置制御部１０は、定電流/定電力充電電圧発生回路７から全セル満充電信号４５を検出すると、DC/DCコンバータ３３に画像形成装置の一部に電源の出力停止信号を出力する。
【０７０２】
以上説明したように本実施例の画像形成装置によれば、画像形成動作に必要な場合は電源生成回路１２の出力を画像形成装置の電源として使用し、充電動作時には電源生成回路１２を充電器として使用することができる。したがって、専用の充電器を必要とせずにキャパシタバンクを充電できるので、コストの低減及び装置値の小型化が可能になる。
【０７０３】
充電に必要な時間は数秒から数十秒程度であるので画像形成装置の画像形成動作が滞ることもない。
【０７０４】
また、本体負荷２０の動作電圧と同程度に昇圧してからキャパシタバンク９に蓄電し、定着ヒータ２２に電力を供給する必要がある場合に昇圧部８０により昇圧するので、定着ヒータ２２に供給する電圧に昇圧してから蓄電するよりもキャパシタバンク９を小型化でき、また、蓄電時間も短縮できる。また、定着装置の温度が予め設定された温度よりも極端に低い場合も、ＰＷＭのＯＮデュティーを徐々に（ソフトスタート）大きくすることが出来るので、突入電流を防止できる。
【０７０５】
また、省エネモード時には開閉回路２６を閉じて（または切替回路３７をキャパシタバンク９に切替）、電源生成回路１２からキャパシタバンクに電流を流すことができるので、省エネモード時であってもキャパシタバンク９に充電することができる。
【０７０６】
なお、後述するように、昇圧電圧検出回路５０がなくてもよい。昇圧電圧検出回路５０がない場合、蓄電装置は、定着装置１１２の加熱部の温度に応じて昇圧制御してもよいし、外部装置からの制御信号に応じて昇圧制御してもよい。
【実施例１２】
【０７０７】
実施例９ないし１１では蓄電装置が適用された画像形成装置について説明したが、本実施例では蓄電装置について説明する。
【０７０８】
図７１は、蓄電装置の回路図を示す。なお、図７１において図３４と同一構成部分には同一の符号を付した。交流電源ＡＣは、主電源スイッチ１１、フィルタ１及び全波整流回路２を介して電源生成回路１２と接続されている。電源生成回路１２は、整流回路４及びチョークコイル５を介して定電圧検出回路２１及び外部装置に電力を供給する出力端子５０ａ、ｂ、並びに、開閉回路２６に接続されている。
【０７０９】
開閉回路２６が閉じた場合、電源生成回路１２は充電電圧検出回路１６及びキャパシタバンク９へ接続される。なお、充電電圧検出回路１６は不図示の均等化回路を有する。また、キャパシタバンク９及び充電電圧検出回路１６は定電流／定電力充電電圧発生回路７と接続されている。キャパシタバンク９は、昇圧部８０、整流平滑回路７５及び昇圧電圧検出回路５０を介して、外部装置に昇圧電力を供給する出力端子１５２ａ、ｂ（特許請求の範囲の出力手段に相当）に接続されている。
【０７１０】
また、定電流／定電力充電電圧発生回路７は、電圧電流変換回路１８及び昇圧部８０に接続されている。
【０７１１】
スイッチングレギュレータＩＣ１３は、電源生成回路１２、回路１５及びフィードバック電圧検出回路１４と接続されている。フィードバック電圧検出回路１４へは、フィードバック電圧検出回路１４のフォトカプラＰＣ１及び電圧電流変換回路１８のフォトカプラＰＣ２の発光が入力されるようになっている。
【０７１２】
主電源スイッチ１１がオンにされると交流電源（商用電源）からの交流はフィルター１を介して全波整流回路２で全波整流される。全波整流回路２からの出力は平滑コンデンサＣ１によりリップル成分等が除去され、電源生成回路１２に入力される。
【０７１３】
全波整流回路２の直流出力側には、平滑コンデンサＣ１と並列に高周波トランス３の一次コイル３ａが接続され、一次コイル３ａにスイッチング手段としてＦＥＴ６ａが直列に接続されている。ＦＥＴ６ａを有するスイッチング回路６は、スイッチング・レギュレーターＩＣ１３から出力されるＰＷＭ信号によりスイッチング（ＯＮ，ＯＦＦ動作）され、一次コイル３ａにスイッチング電流が流れる。一次側のスイッチ電流により、トランス３の二次コイル３ｂにスイッチ電圧が誘起するので、スイッチング周波数の導通期間を変えれば、出力電圧の制御を行うことができる。
【０７１４】
トランス３の二次コイル３ｂには整流回路４として、ダイオードＤ１、Ｄ２が接続され、スイッチング電圧はこの整流回路４で整流され、チュークコイル５及びコンデンサーＣ２により平滑され、直流出力に変換される。この直流出力は外部装置に電力を供給する出力端子５０ａ、ｂに接続されている。
【０７１５】
また、チョークコイル５及びコンデンサーＣ２からの直流出力は、開閉回路２６のリレー２６ａに接続される。リレー２６ａが通電すると開閉回路２６が閉じて、キャパシタバンク９に電力の供給が可能となる。
【０７１６】
なお、開閉回路２６は別の形態であってもよい。図７２は、開閉回路２６を切替回路３７として構成した回路図の一例を示す。リレー３７ａが通電されてない場合、本体負荷側に切り替え回路は接続され、キャパシタバンク９に充電を行う場合、リレードライブ回路によりリレー３７ａが通電され、キャパシタバンク９側に切り替える。なお、開閉回路２６又は切替回路３７の動作については後述する。
【０７１７】
出力端子５０ａ、ｂから外部装置に供給する電圧は定電圧であり、この電圧は定電圧検出回路２１により検出される。定電圧検出回路２１による電圧は、抵抗Ｒ５と直列に接続されたボリュームと抵抗Ｒ６により分割された電圧により検出され、その出力はシャントレギュレータＩＣ７２のリファレンス端子に入力される。リファレンス端子に入力された電圧により、フォトカプラーＰＣ１のダイオード電流が決定し、フィードバック電圧検出回路１４へフィードバックされる。 
開閉回路２６が閉じた場合、直流出力はダイオードＤ３に接続されその出力はキャパシタセルが直列に接続されたキャパシタバンク９に供給される。
【０７１８】
本実施例のキャパシタバンク９には、満杯充電時にＭ〔Ｖ〕になるキャパシタセル（電気二重層コンデンサセ）がｎ個、直列に接続されている。従って、ｎ個のキャパシタセルが満充電になると、Ｍ×ｎ〔Ｖ〕（以下、単にＮボルトという）の電圧が蓄電される。
キャパシタバンク９の両端には、充電電圧検出回路１６が接続され、充電電圧検出回路１６の出力は定電流／定電力充電電圧発生回路７に接続される。充電電圧検出回路１６は抵抗Ｒ２と抵抗Ｒ３により分割回路を構成され、抵抗Ｒ２と抵抗Ｒ３の分圧によりキャパシタバンク９の電圧を検出する。
【０７１９】
また、平滑用コンデンサＣ５とキャパシタバンク９の間には抵抗Ｒ４が直列に接続されており、抵抗Ｒ４の両端の電圧を監視することで、キャパシタバンク９の充電電流を検出できる。抵抗Ｒ４の両端電圧は定電流充電／定電力充電圧発生回路７に入力される。
【０７２０】
キャパシタバンク９は、キャパシタセル個々の満充電を検出しバイパス回路を動作させ、各キャパシタセルの充電電圧を均等化する均等化回路に接続されている。キャパシタセル９ａが充電され満充電のＮ〔Ｖ〕に充電されると、均等化回路は充電電流を他のキャパシタセルにバイパスする。他のキャパシタセルに並列に接続されたバイパス回路も同様な動作を行ない、各キャパシタセルの充電電圧が均等化される。
【０７２１】
均等化回路は、何れかのキャパシタセルの満充電を検知し、バイパス回路を動作させると、定電流／定電力充電電圧発生回路７に単セル満充電信号４４を出力する。また、均等化回路は、全てのキャパシタセルの満充電を検知し、全てのバイパス回路を動作させると、定電流／定電力充電電圧発生回路７に全てのキャパシタセルの全セル満充電信号４５を出力する。なお、均等化回路１７については後に詳述する。
【０７２２】
全セル満充電信号４５により、定電流／定電力充電電圧発生回路７は充電を停止すると共にリレー２６ａを外部装置側に接続するため、リレー２６をＯＦＦする信号をリレードライブ回路２５に出力する。また、定電流／定電力充電電圧発生回路７は、後述するように、電源生成回路１２が定電圧出力するためのフィードバック回路の定電圧検出回路２１を動作可能とする。また、定電流／定電力充電電圧発生回路７は外部装置に全セル満充電信号４５を出力する。また、外部装置に供給する電圧は定電圧であり、この電圧は定電圧検出回路２１により検出される。
【０７２３】
次に、ＰＷＭ信号を発生させるスイッチング・レギュレーターＩＣ１３の動作について説明する。全波整流回路２の直流出力は、抵抗Ｒ１、コンデンサーＣ３及びツェナーダイオードＺＤ１で構成される回路を介してスイッチング・レギュレーターＩＣ１３に供給され、これによりスイッチングレギュレータＩＣ１３は動作を開始し、補助巻線７１とダイオードＤ４とで構成される補助電源により動作を継続する。
ＰＷＭ信号の周波数は、抵抗とコンダンサーとで構成される回路１５の抵抗値及びコンデンサー容量で決定される。フィードバック電圧検出回路１４のフォトカプラＰＣ１又はフォトカプラＰＣ２の出力電圧のフィードバック電圧５２はスイッチングレギュレータＩＣ１３に入力され、スイッチングレギュレータＩＣ１３はフィードバック電圧５２に応じてＰＷＭ信号のパルス幅を変調させる電圧―パルス幅変換回路を備えている。
【０７２４】
フィードバック電圧５２に応じてＰＷＭ信号のパルス幅が変化し、ＰＷＭ信号はＦＥＴ６ａのゲートに入力され、ＦＥＴ６ａによりトランス３の一次コイル３ａをスイッチングする。これにより、トランス３の二次コイル３ｂに出力電圧の異なる電圧を発生させることができる。
【０７２５】
定電流／定電力充電電圧発生回路７が発生した電圧は、電圧を電流に変換する電圧電流変換回路１８のトランジスタＴｒ１のベースに供給され、トランジスタＴｒ１のエミッターに接続されたフォトカプラＰＣ２によりフィードバック電圧検出回路１４へフィードバックされる。
【０７２６】
次に、定電流／定電力充電電圧発生回路７が、キャパシタバンク９の充電電圧及び充電電流の検出に基づきバイパス回路の動作を検出し、定電流充電および定電力充電を行う動作について説明する。
なお、定電流／定電力充電電圧発生回路７は、不図示のＣＰＵ、ＲＯＭ、ＲＡＭ、タイマ、割り込み制御回路、Ａ／Ｄコンバータ、シリアルコントローラ（ＵＡＲＴ）、Ｄ／Ａコンバータ及び入出力ポートを備えている。定電流／定電力充電電圧発生回路７は、外部装置と例えばシリアル通信によりキャパシタセルの充電等を知らせる信号を送信する。
【０７２７】
定電流／定電力充電電圧発生回路７は、いずれかのキャパシタセルのバイパス回路が動作したセル満充電信号４４を検知すると、予め設定された定電流充電を行うために定電流充電動作を行う。また、定電流／定電力充電電圧発生回路７は、全てのバイパス回路の動作した全セル満充電信号４５を検出すると、充電動作を停止する信号を外部装置に出力する。
【０７２８】
定電流／定電力充電電圧発生回路７は、ＰＷＭ（パルス幅変調）回路を生成するＰＷＭ生成回路７ａを有している。
【０７２９】
ＰＷＭ（パルス幅変調）生成回路７ａには、ＰＷＭ信号の周波数を決定するタイマ（不図示）と、ＯＮデュティーを決定するパルス幅の変調用の内部タイマ（不図示）を有している。
【０７３０】
ＰＷＭ（パルス幅変調）生成回路７ａはＰＷＭ信号を常に発生しても良いし、外部装置からの指示により発生させてもよい。なお、ＯＮデュティー制御は後で詳細に説明する。
【０７３１】
定電流／定電力充電電圧発生回路７は、キャパシタバンク９の端子間電圧が、予め設定された値より低い場合、予め設定された定電流充電にする電圧を、定電流／定電力充電電圧発生回路７のＤ／Ａ端子より電圧・電流変換回路１８のオペアンプ２９に出力する。
キャパシタバンク９に定電流充電するための電流は、キャパシタバンク９と直列に接続された抵抗Ｒ４の端子間電圧により検出される。端子間電圧を定電流／定電力充電電圧発生回路７は逐次検出し、予め設定された定電流充電にするための電圧を、定電流／定電力充電電圧発生回路７のＤ／Ａ端子より電圧・電流変換回路１８のオペアンプ２９に出力する。
キャパシタバンク９の端子間電圧が予め設定された値以上になると、定電流／定電力充電電圧発生回路７は、定電力充電を行うために、前記したようにキャパシタバンク９の充電電流と、キャパシタバンク９の端子間電圧の検出を行い、検出した充電電流と充電電圧から、予め設定された定電力充電を行うための電圧を演算して決定する。
定電流／定電力充電電圧発生回路７のＤ／Ａ端子より出力するアナログ電圧は、端子間電圧に対応づけて出力するアナログ電圧を予め記録したテーブルを使用してもよい。
【０７３２】
電圧・電流変換回路１８のオペアンプ２９に入力されたアナログ電圧に対応した電流が、トランジスターＴｒ１からフォトカプラＰＣ２のダイオードに流れ、フィードバック電圧検出回路１４にフィードバックされる。このフィードバック電圧により、スイッチングレギュレータＩＣ１３が出力するＰＷＭ信号の信号幅が制御され、定電流充電するためのＰＷＭ信号が、スイッチング・レギュレーターＩＣ１３よりＦＥＴ６ａのゲートに出力される。
【０７３３】
定電流及／電力充電電圧発生回路７は、全てのバイパス回路の動作した全セル満充電信号４５を検出すると、充電動作を停止すると共にリレー２６ａを外部装置側に接続する信号（リレーをＯＦＦ）をリレードライブ回路２５に出力し、電源生成回路１２が外部装置に出力する電圧を定電圧にするためのフィードバック電圧を検出するホトカプラーＰＣ１のアノードとカソード間を接続するトランジスタＴｒ２をＯＦＦする信号をトランジスタＴｒ２に出力し、外部装置に満充電信号をＵＡＲＴ端子を介して出力する。
【０７３４】
昇圧部８０の動作について説明する。キャパシタバンク９の端子間に、絶縁トランス８の一次コイル８ａと、昇圧のためこの一次コイル８ａをスイッチングする直列に接続されたＦＥＴ３０ａが並列に接続されている。
【０７３５】
ＦＥＴ３０ａを有するスイッチング回路３０には、定電流／定電力充電電圧発生回路７からＡＮＤ回路４６にＰＷＭ信号が入力され、ＦＥＴ３０ａがスイッチング（ＯＮ，ＯＦＦ動作）されると一次コイル８ａにスイッチング電流が流れる。この一次コイル８ａのスイッチ電流により、トランス８の二次コイル８ｂにスイッチ電圧が誘起する。スイッチング周波数の導通期間を変えれば、昇圧電圧の制御を行うことができる。なお、ＡＮＤ回路４６の他方の端子には外部装置からの入力が接続される。
【０７３６】
絶縁トランス８の２次コイル８ｂのスイッチング電圧はダイオードＤ５、チョークコイル２７ａ及びコンデンサーＣ４により整流平滑する整流平滑回路７５に接続され、平滑された整流平滑回路７５の出力は定着ヒータ２２に接続されている。平滑された電圧は、昇圧電圧検出回路５０のフォトカプラＰＣ３により定電流／定電力充電電圧発生回路７にフィードバックされる。
【０７３７】
整流平滑回路７５の昇圧電圧は、キャパシタバンク９に蓄電された電圧（入力電圧）と、ＰＷＭ信号のオン期間とオフ期間のデューティ比で決定される。整流平滑回路７５の昇圧電圧は、昇圧電圧検出回路５０により検出され、定電流／定電力充電電圧発生回路７がＰＷＭ信号のＯＮデューティを変えることにより制御される。また、昇圧電圧検出回路５０の電圧を監視し、ＰＷＭ信号のＯＮデューティを変えることにより、予め設定された一定の昇圧電圧になるように制御することを可能としている。
【０７３８】
以上の構成を用いて、本実施例の具体的な動作についてフローチャート図に基づき説明する。下記の説明は記載が無い限り、図３４の回路図に基づいたものである。
【０７３９】
図７３は、外部装置の主電源ＯＮ時、又は、動作のために消費電力が増大した場合（以下、省エネモードの解除という）に、外部装置が蓄電装置に、昇圧動作に必要な制御情報を出力する制御フローチャートを示す。外部装置は例えば画像形成装置である。
【０７４０】
主電源スイッチ１１の投入、又は、省エネモードが解除されると、外部装置は初期設定動作を行う。まず初めに、外部装置及びその周辺回路の初期設定を行う（Ｓ５０１）。
【０７４１】
次いで、外部装置の立ち上げ時、蓄電装置の電力を使用するための立ち上がりフラグをセットする（Ｓ５０２）。
【０７４２】
立ち上がり直後、外部装置は動作ができる状態でないので、蓄電装置に充電動作可能信号を送信する（Ｓ５０３）。
【０７４３】
次いで、蓄電装置に供給するために、昇圧のためにＯＮデュ−ティを決定したＰＷＭ信号テーブル（特許請求の範囲におけるデューティ制御情報に相当）を蓄電装置に送信する（Ｓ５０４）。蓄電装置はこのテーブルを、例えば定電流／定電力充電電圧発生回路７のＲＡＭに記憶し使用してもよく、蓄電装置に予め記憶されたＰＷＭ信号テーブルを使用してもよいし、また、演算してＰＷＭ信号テーブルを作成してもよい。
【０７４４】
次いで、外部装置は、蓄電装置に昇圧部８０の出力電圧を決定する電圧を送信する（Ｓ５０５）。蓄電装置は昇圧部８０の出力がこの電圧になるようにＰＷＭ信号のＯＮデュ−ティを制御する。
【０７４５】
次いで、外部装置は、ＰＷＭ信号のデュ−ティが徐々に（ソフトスタート）大きくする設定されたＰＷＭ信号テーブルを蓄電装置に送信する。このＰＷＭ信号テーブルは、昇圧部８０からの突入電流を防止する場合に使用される。
【０７４６】
次いで、安全上又は外部装置のデバイスの破損を防止するために、昇圧部８０の最高出力電圧を制限する最高出力電圧制限値を蓄電装置に送信する（Ｓ５０７）。これにより想定外の電圧に昇圧されることが防止される。以上で、図７３の制御が終了する。
【０７４７】
続いて、外部装置の動作モードに応じて蓄電装置の開閉回路２６の開閉制御及び充電動作の指示を行う制御について図７４のフローチャート図に基づき説明する。
【０７４８】
まず、外部装置は、定電流／定電力充電電圧発生回路７から全セル満充電信号４５が出力されているか否か判定する（Ｓ５１１）。全セル満充電信号４５が出力されている場合（ステップＳ５１１のＹｅｓ）、キャパシタバンク９の充電は完了しているので、外部装置は昇圧電圧使用可能フラグをセットする（Ｓ５１２）。
【０７４９】
次いで、外部装置は、蓄電装置の電力を使用する可能性のある動作（以下、単に所定動作という）を開始する状態か否か判定する（Ｓ５１３）。所定動作を開始する場合（ステップＳ５１３のＹｅｓ）、外部装置は、蓄電装置に所定動作を開始する信号を送信する（Ｓ５１４）。
【０７５０】
外部装置が所定動作を開始してない場合（ステップＳ５１３のＮｏ）、外部装置は蓄電装置に充電動作可能信号を送信して（Ｓ５２０）、図７４の本制御は終了する。
【０７５１】
所定動作を開始する場合は外部装置の負荷側に電力を供給する必要があるので、外部装置はリレー２６ａを開放する信号を蓄電装置に出力する（Ｓ５１５）。
【０７５２】
次いで、所定動作はステップＳ５１３から開始されているので（Ｓ５１６）、外部装置は所定動作が終了したか否か判定する（Ｓ５１７）。所定動作が終了している場合（ステップＳ５１７のＹｅｓ）、キャパシタバンク９に充電可能なので、外部装置は蓄電装置に充電動作可能信号を送信する（Ｓ５１８）。
【０７５３】
所定動作は終了しているので、電源生成回路１２の出力を蓄電装置側に切り替える信号を蓄電装置に送信する（Ｓ５１９）。これによりリレー２６が閉じてキャパシタバンクに蓄電可能となる。以上で、図７４の制御は終了する。
【０７５４】
外部装置は、所定動作終了後、一定時間が経過すると省エネモードに入るので、続いて、外部装置が省エネモードに入る制御について図７５のフローチャート図に基づき説明する。
【０７５５】
本実施例では、所定動作が終了後（Ｓ５２１）、時間の経過をタイマのカウントアップにより計測する（Ｓ５２２）。そして、一定時間が経過したか否かをタイマの値に基づき判定する（Ｓ５２３）。
【０７５６】
一定時間が経過すると（ステップＳ５２３のＹｅｓ）、外部装置は省エネモードに入る。省エネモードに入るとキャパシタバンク９へ充電動作が可能なので、外部装置は蓄電装置に充電動作可能信号を送信する（Ｓ５２４）。次いで、電源生成回路１２の出力を充電部側に切り替える信号を蓄電装置に送信する（Ｓ５２５）。以上で、図７５のフローチャート図に基づく制御は終了する。
【０７５７】
続いて、蓄電装置に蓄電された電力を用いて外部装置が外部装置の有する加熱部の温度制御をする動作について図７６のフローチャート図に基づき説明する。
【０７５８】
まず、外部装置は、主電源がオン、又は、省エネモードが解除された場合にセットされる立ち上がりフラグがセットされているか否か判定する（Ｓ５３１）。
【０７５９】
立ち上がりフラグがセットされている場合（ステップＳ５３１のＹｅｓ）、加熱部の温度を検出し、加熱部温度が予め設定された温度（例えば１３０度）以上か否か判定する（Ｓ５３２）。
【０７６０】
予め設定された温度以上の場合（ステップＳ５３２のＹｅｓ）、外部装置が所定動作中か否か判定する（Ｓ５３４）。外部装置が、画像形成動作中でない場合（ステップＳ５３４のＹｅｓ）、昇圧部８０から加熱部のヒータに接続される外部端子５２ａ、ｂに電力を供給する必要はないので、制御が終了する。
所定動作中の場合（ステップＳ５３３のＹｅｓ）、加熱部の温度が予め設定された温度以下か否か判定する（ステップＳ５３４）。加熱部の温度落ち込みがなく、予め設定された温度以下でない場合（ステップＳ５３４のＮｏ）、昇圧部８０から外部端子５２ａ、ｂに電力を供給する必要はないので、制御は終了する。
【０７６１】
予め設定された温度（例えば１５５度）以下の場合（ステップＳ５３４のＹｅｓ）、所定動作に不具合が発生する可能性があるので、外部装置は昇圧電圧使用可能フラグがセットされているか否か判定を行う（ステップＳ５３５）。
【０７６２】
昇圧電圧使用可能フラグは、蓄電装置からの全セル満充電信号４５、又は、昇圧電圧使用可能信号によりセットされるフラグである。
【０７６３】
昇圧電圧使用可能フラグがセットされてない場合（ステップＳ５３５のＮｏ）、充電部の充電電圧が蓄電不足であり外部装置に電力を供給できないので、制御は終了する。
【０７６４】
昇圧電圧使用可能フラグがセットされている場合（ステップＳ５３５のＹｅｓ）、外部装置は、加熱部温度が予め設定された温度（例えば２０度）以上か否か判定する（Ｓ５３６）。
【０７６５】
加熱部温度が予め設定された温度以上の場合、加熱部温度が予め設定された温度（例えば１８０度）以下か否か判定する（Ｓ５３７）。加熱部温度が予め設定された温度以下の場合（ステップＳ５３７のＹｅｓ）、外部装置はＡＮＤ回路４６に、外部端子５２ａ、ｂに電力を供給するための信号を出力する（Ｓ５３８）。次いで、蓄電装置にＰＷＭ信号を出力する信号を送信する。蓄電装置はこの信号（特許請求の範囲における昇圧動作の開始を指示する信号に相当）により、予め設定されたＰＷＭ信号を回路４６に出力する（Ｓ５３９）。
【０７６６】
外部装置がＡＮＤ回路４６に信号を入力し、定電流／定電力充電電圧発生回路７がＰＷＭ信号が出力すると、スイッチング回路３０はスイッチング動作を行い、絶縁トランス８により昇圧された電圧が外部端子５２ａ、ｂ供給される。
【０７６７】
外部装置は、再度、加熱部温度が予め設定された温度以下か否か判定し（Ｓ５３７）し、ステップＳ５３８〜Ｓ５３９の制御を繰り返す。
【０７６８】
加熱部温度が予め設定された温度以下でない場合（ステップＳ５３７のＮｏ）、昇圧部８０から外部端子５２ａ、ｂに電力を供給する必要はなくなるので、外部装置はＰＷＭ信号の出力を停止する信号（特許請求の範囲における昇圧動作の終了を指示する信号に相当）を蓄電装置に送信する（Ｓ５４０）。また、ＰＷＭ信号をＯＦＦする信号をＡＮＤ回路４６に出力する（Ｓ５４１）。
【０７６９】
ステップＳ５３６に戻り、加熱部温度が予め設定された温度（例えば２０度）以上でない場合（ステップＳ５３６のＮｏ）、このように極端に加熱部温度が低い場合、突入電流を軽減するためにＰＷＭのＯＮデュ−ティを徐々に（ソフトスタート）大きくする動作を行う。
【０７７０】
まず、加熱部温度が、一例として１００度以下か否か判定する（Ｓ５４２）。加熱部温度が１００度以下の場合（ステップＳ５４２のＹｅｓ）、外部装置は、外部端子５２ａ、ｂに電力を供給するため信号をＡＮＤ回路４６に出力する（Ｓ５４３）。
【０７７１】
次いで、外部装置は、蓄電装置にＯＮデュ−ティを徐々に（ソフトスタート）大きくしたＰＷＭ信号を出力する指示信号送信する（Ｓ５４４）。
【０７７２】
外部装置は、再度、加熱部温度が予め設定された温度（例えば１００度）以下か否か判定し（Ｓ５４２）、加熱部温度が予め設定された温度以下の場合はステップＳ５４３、５４４の動作を繰り返す。
【０７７３】
加熱部温度が予め設定された温度以下でない場合（ステップＳ５４２のＮｏ）、上述したステップＳ５３７〜５４１の制御を行い、外部端子５２ａ、ｂに電力を供給する。
【０７７４】
なお、外部装置への電力供給制御は、立ち上がり時又は所定動作時の温度落ち込みの場合の制御であるので、一度所定の温度に到達した場合、外部装置への電力供給は停止される。
【０７７５】
また、図７６の説明では、立ち上がり時と所定動作時の温度落ち込み時の電力供給を同じ制御として説明したが、立ち上がり時と所定動作時の温度落ち込み時とで、加熱部の目標温度を変えて制御してもよい。
【０７７６】
図７７は、図７６のフローチャート図の一形態であって、外部装置が蓄電装置の出力するＰＷＭ信号を、加熱部温度に応じてＯＮ／ＯＦＦして昇圧電圧を制御するフローチャート図を示す。図７７では、蓄電装置は一定デューティのＰＷＭ信号を出力している。なお、ステップＳ５３１〜５３６までは図７６と同じであるので説明は省略する。
【０７７７】
まず、加熱部温度が予め設定された温度（例えば１８０度）以下か否か判定する（Ｓ５５１）。加熱部温度が予め設定された温度以下の場合（ステップＳ５５１のＹｅｓ）、ＰＷＭ信号をスイッチング回路３０のＦＥＴ３０ａに出力するため、ＡＮＤ回路４６にＯＮ信号を出力する（Ｓ５５２）。
【０７７８】
外部装置は、再度、加熱部温度が予め設定された温度以下か否か判定し（Ｓ５５１）、加熱部温度が予め設定された温度以下の場合はステップＳ５５２の処理を繰り返す。
【０７７９】
加熱部温度が予め設定された温度以下でない場合（ステップＳ５５１のＮｏ）、昇圧部８０から外部端子５２ａ、ｂに電力を供給する必要はないので、ＰＷＭ信号の出力を停止する信号をＡＮＤ回路４６に出力する（Ｓ５５３）。
【０７８０】
ところで、外部装置は、蓄電装置が昇圧した電力を使用可能か否か昇圧電圧使用可能信号により判定している。図７８は、外部装置が蓄電装置から送信された信号をチェックする制御のフローチャート図を示す。
【０７８１】
外部装置は、蓄電装置から昇圧電圧使用可能信号を受信したか否か判定する（Ｓ５６１）。受信した場合（ステップＳ５６１のＹｅｓ）、昇圧電圧使用可能フラグをセットする（Ｓ５６２）。
【０７８２】
昇圧電圧使用可能信号を受信しない場合（ステップＳ５６１のＮｏ）、昇圧電圧使用禁止信号を受信したか否か判定する（Ｓ５６３）。昇圧電圧使用禁止信号を受信した場合（ステップＳ５６３のＹｅｓ）、昇圧電圧使用可能フラグをリセットする（Ｓ５６４）。このフラグは外部装置に電力を供給するか否かを判断するために使用される。
【０７８３】
昇圧電圧使用禁止信号を受信しない場合（ステップＳ５６３のＮｏ）、他の信号を受信したか否かをチェックし（Ｓ５６５）、信号に応じてフラグをセットして処理を終了する。
【０７８４】
続いて、キャパシタバンク９への充電制御について説明する。図７９は、蓄電装置が充電電圧に応じて充電を制御する処理のフローチャート図を示す。
【０７８５】
定電流／定電力充電電圧発生回路７は、主電源スイッチ１１が投入され安定化電源４９より電源供給を受けると、蓄電装置制御部や周辺回路の初期設定を行う（Ｓ５７１）。電源投入直後は、所定動作を行える状態ではないので、充電可能フラグをセットする（Ｓ５７２）。
【０７８６】
次いで、キャパシタバンク９の充電電圧を充電電圧検出回路１６の出力に基づき、予め定めた所定の電圧値Ｂ〔Ｖ〕以下か否か判定する（Ｓ５７３）。キャパシタバンク９の充電電圧がＢ〔Ｖ〕以下の場合（ステップＳ５７３のＹｅｓ）、充電が必要なので、外部装置に昇圧電圧使用禁止信号を送信する（Ｓ５７４）。
【０７８７】
次いで、充電可能フラグがセットされているか否か判定する（Ｓ５７５）。充電可能フラグがセットされてない場合（ステップＳ５７５のＮｏ）、外部装置側に電力供給が必要なので、充電動作は行わないで図７９の制御は終了する。
【０７８８】
キャパシタバンク９の充電電圧が予め設定されたＢ〔Ｖ〕以下でない場合（Ｓ５７３のＮｏ）、キャパシタバンク９は充電された状態であるので、リレー２６ａを開放する信号をリレードライブ回路２５に出力する（Ｓ５７９）。これにより、電源生成回路１２の出力は外部装置側になる。なお、開閉回路２６が、図７２の切替回路３７の場合、リレー３７ａを閉じる信号をリレードライブ回路２５に出力すればよい。
【０７８９】
次いで、外部装置はトランジスタＴｒ２にＯＦＦする信号を出力する（Ｓ５８０）。これにより、電源生成回路１２は定電圧動作が可能となる。充電電圧はＢ〔Ｖ〕より大で充電する必要はないので、充電可能フラグをリセットし、次いで、外部装置に昇圧電圧使用可能信号を送信し（Ｓ５８１）、図７９の制御は終了する。
【０７９０】
ステップＳ５７５に戻り、充電可能フラグがセットされている場合（ステップＳ５７５のＹｅｓ）、外部装置は、リレー２６ａを閉じる信号をリレードライブ回路２５に出力する（Ｓ５７６）。
【０７９１】
次いで、スイッチング・レギュレーターＩＣ１３に起動信号をＯＲ回路５１を介して出力する（Ｓ５７７）。また、電源生成回路１２が定電圧出力を行うために電圧値をフィードバックする定電圧検出回路２１のフォトカプラーＰＣ１のアノードとカソード間を接続するトランジスタＴｒ２にＯＮ信号を出力する（Ｓ５７８）。トランジスタＴｒ２がＯＮすることにより、定電流／定電力充電電圧発生回路７のフィードバック信号が有効になる。
【０７９２】
以上の制御により、キャパシタバンク９が充電される。定電流／定電力充電電圧発生回路７は前記したように、キャパシタバンク９の充電電圧検出、充電電流の検出、バイパス回路の動作を検出し、定電流充電または定電力充電を行う。
【０７９３】
続いて、外部装置から送信される信号のチェック及び開閉回路の制御について図８０、８１のフローチャート図に基づき説明する。
【０７９４】
まず、外部装置はキャパシタバンク９から満充電信号が送信されているか否か判定する（Ｓ５９１）。満充電信号が検出されている場合（ステップＳ５９１のＹｅｓ）、キャパシタバンク９は充電されているので、リレー２６ａを開放する信号をリレードライブ回路２５に出力する（Ｓ５９２）。これにより、電源生成回路１２の出力は外部装置側になる。
【０７９５】
次いで、蓄電装置は、トランジスタＴｒ２をＯＦＦする信号を出力する（Ｓ５９３）。これにより、電源生成回路１２は定電圧動作が可能となる。また、充電する必要はないので、充電可能フラグをリセットする（Ｓ５９３）。
【０７９６】
満充電信号が検出されている場合（ステップＳ５９１のＮｏ）、充電電圧がＢ〔Ｖ〕以上か否か判定する（Ｓ６０１）。充電電圧がＢ〔Ｖ〕以上の場合（ステップＳ６０１のＹｅｓ）、リレー２６ａを開放する信号をリレードライブ回路２５に出力する（Ｓ６０２）。また、蓄電装置は、トランジスタＴｒ２をＯＦＦする信号を出力し、充電可能フラグをリセットする（Ｓ６０３）。
【０７９７】
なお、充電電圧がＢ〔Ｖ〕以上でない場合（ステップＳ６０１のＮｏ）、図８１のステップＳ６１１に進む。
【０７９８】
次いで、蓄電装置は、外部装置から切り替え信号を受信したか否か判定する（Ｓ５９４）。切替信号を受信した場合（ステップＳ５９４のＹｅｓ）、リレー２６ａを開放する信号をリレードライブ回路２５に出力する（Ｓ５９５）。これにより、電源生成回路１２の出力は外部装置側になる。
【０７９９】
次いで、蓄電装置はトランジスタＴｒ２をＯＦＦする信号を出力する（Ｓ５９６）。これにより、電源生成回路１２は定電圧動作が可能となる。また、充電動作はできないので、充電可能フラグをリセットする（Ｓ５９６）。
【０８００】
次いで、蓄電装置は、画像形成装置から蓄電装置側への切り替え信号を受信したか否か判定する（Ｓ５９７）。切替信号を受信した場合（ステップＳ５９７のＹｅｓ）、リレー２６ａを閉じる信号をリレードライブ回路２５に出力する（Ｓ５９８）。次いで、トランジスタＴｒ２をＯＮする信号を出力し、充電可能フラグをセットする（Ｓ５９９）。これにより、電源生成回路１２は充電動作が可能になる。
【０８０１】
次いで、蓄電装置は、外部装置から充電動作可能信号を受信したか否か判定する（Ｓ６００）。充電動作可能信号を受信した場合（ステップＳ６００のＹｅｓ）、次いで、リレー２６ａを閉じる信号をリレードライブ回路２５に出力する（Ｓ６０４）。蓄電装置はトランジスタＴｒ２をＯＮする信号を出力し、また、充電可能フラグをセットする（Ｓ６０５）。これにより、電源生成回路１２は充電動作が可能になる。
【０８０２】
次いで、蓄電装置は、外部装置から所定動作の開始を示す信号を受信したか否か判定する（Ｓ６０６）。
【０８０３】
受所定動作の開始を示す信号を受信した場合（ステップＳ６０６のＹｅｓ）、リレー２６ａを開放する信号をリレードライブ回路２５に出力する（Ｓ６０７）。これにより、電源生成回路の出力は外部装置側になる。
【０８０４】
次いで、蓄電装置はトランジスタＴｒ２をＯＦＦする信号を出力する（Ｓ６０８）。これにより、電源生成回路１２は定電圧動作が可能となる。また、充電動作はできないので、充電可能フラグをリセットする（Ｓ６０８）。
【０８０５】
図８１に進み、次いで、蓄電装置は、外部装置からＰＷＭ信号を出力する信号を受信したか否か判定する（Ｓ６１１）。ＰＷＭ信号を出力する信号（昇圧動作の開始を指示する信号）を受信した場合（ステップＳ６１１のＹｅｓ）、蓄電装置は昇圧電圧検出回路５０の出力をより読み込み、昇圧電圧が予め設定されたＤ〔Ｖ〕以下か否か判定する（Ｓ６１２）。
【０８０６】
ＰＷＭ信号を出力する信号を受信していない場合（ステップＳ６１１のＮｏ）、後述する図８３のフローチャート図の処理に進む。
【０８０７】
昇圧電圧がＤ〔Ｖ〕以下の場合、蓄電装置は昇圧電圧に対応したＰＷＭ信号をスイッチング回路３０のＦＥＴ３０ａに出力する（Ｓ６１３）。
【０８０８】
次いで、蓄電装置は、昇圧電圧がＥ〔Ｖ〕以上か否か判定する（Ｓ６１４）。昇圧電圧がＥ〔Ｖ〕以上でない場合（ステップＳ６１４のＮｏ）、再度、昇圧電圧検出回路５０の出力を検出し、昇圧電圧がＤ〔Ｖ〕以下か否か判定し（Ｓ６１２）、ステップＳ６１３の処理を繰り返す。
昇圧電圧がＥ〔Ｖ〕以上の場合（ステップＳ６１４のＹｅｓ）、ＰＷＭ信号の出力を停止し（Ｓ６１５）、再度、昇圧電圧検出回路５０の出力を検出し、ステップＳ６１２〜６１４の処理を繰り返す。
【０８０９】
昇圧電圧がＤ〔Ｖ〕以下でない場合（ステップＳ６１２のＮｏ）、蓄電装置はＰＷＭ信号の出力を停止し（Ｓ６１６）、外部装置からＰＷＭ信号の出力を停止する信号（昇圧動作の終了を指示する信号）を受信したか否か判定する（Ｓ６１７）。
【０８１０】
ＰＷＭ信号の出力を停止する信号を受信した場合（ステップＳ６１７のＹｅｓ）、本制御フローは終了する。受信しない場合（ステップＳ６１７のＮｏ）、再度、昇圧電圧検出回路５０の出力を検出し、昇圧電圧がＤ〔Ｖ〕以下か否か判定し（Ｓ６１２）、ステップＳ６１６の処理を繰り返す。
【０８１１】
図８０、８１では、昇圧電圧をＤ〔Ｖ〕の一定電圧にする制御フローについて説明したが、続いて、ＯＮデュ−ティを一定にしたＰＷＭ信号を出力する制御について図８２のフローチャート図に基づき説明する。なお、ステップＳ５９１からＳ６０８の処理は、図８０と同じであるので省略する。
【０８１２】
まず、蓄電装置は、外部装置からＰＷＭ信号を出力する信号（昇圧動作の開始を指示する信号）を受信したか否か判定する（Ｓ６２１）。受信した場合（Ｓ６２１のＹｅｓ）、蓄電装置は、予め設定されたＯＮデュ−ティのＰＷＭ信号をスイッチング回路３０のＦＥＴ３０ａに出力する。
【０８１３】
ＰＷＭ信号を出力する信号を受信していない場合（ステップＳ６２１のＮｏ）、後述する図８３のフローチャート図の処理に進む。
【０８１４】
次いで、昇圧電圧がＥ〔Ｖ〕以上か否か判定する（Ｓ６２３）。昇圧電圧がＥ〔Ｖ〕以上でない場合（Ｓ６２３のＮｏ）、予め設定されたＯＮデュ−ティのＰＷＭ信号をスイッチング回路３０のＦＥＴ３０ａに出力する（Ｓ６２２）。
【０８１５】
昇圧電圧がＥ〔Ｖ〕以上の場合（ステップＳ６２３のＹｅｓ）、ＰＷＭ信号の出力を停止し（Ｓ６２４）、再度、昇圧電圧がＥ〔Ｖ〕以上か否か判定する。
【０８１６】
昇圧電圧がＥ〔Ｖ〕以上でない場合（ステップＳ６２３のＮｏ）、再度、予め設定されたＯＮデュ−ティのＰＷＭ信号をスイッチング回路３０のＦＥＴ３０ａに出力し（Ｓ６２２）、ステップＳ６２３，６２４の処理を繰り返す。
【０８１７】
続いて、外部装置の過熱部に電力供給を行う場合、突入電流を軽減する制御について図８３のフローチャート図に基づき説明する。
【０８１８】
外部装置からデュ−ティを徐々に（ソフトスタート）大きくする信号を受信した否か判定する（Ｓ６３１）。デュ−ティを徐々に大きくする信号を受信していない場合（ステップＳ６３１のＮｏ）、ＰＷＭ出力を停止する信号（昇圧動作の終了を指示する信号）があるか否か判定し（Ｓ６３９）、ＰＷＭ出力を停止する信号がある場合、ＰＷＭ信号の出力を停止する（Ｓ６４０）。ＰＷＭ出力を停止する信号が検出されない場合（Ｓ６３９のＮｏ）、処理は終了する。
【０８１９】
デュ−ティを徐々に大きくする信号を受信している場合（ステップＳ６３１のＹｅｓ）、予め設定されたＯＮデュ−ティのＰＷＭ信号を出力する（Ｓ６３２）。
【０８２０】
次いで、蓄電装置はＯＮデュ−ティタイマに設定値を加算したＰＷＭ信号を出力する（Ｓ６３３）。
【０８２１】
次いで、蓄電装置は、昇圧電圧検出回路５０の出力電圧がＣ〔Ｖ〕以上か否か判定する（Ｓ６３４）。Ｃ〔Ｖ〕以上でない場合（ステップＳ６３４のＮｏ）、再度、ＯＮデュティータイマに設定値を加算したＰＷＭ信号を出力する（Ｓ６３３）。
【０８２２】
昇圧電圧検出回路５０の出力電圧がＣ〔Ｖ〕以上の場合（ステップＳ６３４のＹｅｓ）、蓄電装置は昇圧電圧検出回路５０の出力を取得し、昇圧電圧が予め設定されたＤ〔Ｖ〕以下か否か判定する（Ｓ６３５）。
【０８２３】
昇圧電圧がＤ〔Ｖ〕以下の場合（ステップＳ６３５のＹｅｓ）、昇圧電圧に対応したＰＷＭ信号をスイッチング回路３０のＦＥＴ３０ａに出力する（Ｓ６３６）。
【０８２４】
次いで、蓄電装置は、昇圧電圧がＥ〔Ｖ〕以上か否か判定する（Ｓ６３７）。昇圧電圧がＥ〔Ｖ〕以上でない場合（ステップＳ６３７のＮｏ）、再度、昇圧電圧検出回路５０の出力を取得し、昇圧電圧がＤ〔Ｖ〕以下か否か判定する（Ｓ６３５）。昇圧電圧がＤ〔Ｖ〕以下であれば、ステップ６３６、６３７の処理を繰り返す。
【０８２５】
昇圧電圧がＥ〔Ｖ〕以上の場合（ステップＳ６３７のＹｅｓ）、ＰＷＭ信号の出力を停止し（Ｓ６３８）、再度、昇圧電圧検出回路５０の出力を取得し、ステップＳ６３５〜６３８の処理を繰り返す。
【０８２６】
昇圧電圧がＤ〔Ｖ〕以下でない場合（ステップＳ６３５のＮｏ）、ＰＷＭ信号の出力を停止し（Ｓ６４１）、外部装置からＰＷＭ信号の出力を停止する信号（昇圧動作の終了を指示する信号）を受信したか否か判定する（Ｓ６４２）。
【０８２７】
ＰＷＭ信号の出力を停止する信号を受信した場合（ステップＳ６４２のＹｅｓ）、図８３の制御は終了する。受信しない場合（ステップＳ６４２のＮｏ）、再度、昇圧電圧検出回路５０の出力を取得し、昇圧電圧がＤ〔Ｖ〕以下か否か判定し（Ｓ６３５）、ステップ６３５以下の処理を繰り返す。
【０８２８】
なお、昇圧制御の前に充電電圧を確認してもよい。図８４は、昇圧する前に充電電圧を確認して昇圧動作を行う制御のフローチャート図を示す。ステップＳ６３１〜６３４については図８３と同じであるので説明は省略する。
【０８２９】
蓄電装置は、充電電圧がＢ〔Ｖ〕以上か否か判定する（Ｓ６５１）。充電電圧がＢ〔Ｖ〕以下でない場合（ステップＳ６５１のＮｏ）、充電の必要はないので処理は終了する。
【０８３０】
充電電圧がＢ〔Ｖ〕以下の場合（ステップＳ６５１のＹｅｓ）、昇圧制御を実行する（Ｓ６５２〜６５８）。なお、ステップＳ６５２〜６５７については図８３のＳ６３５〜６４２と同じであるので説明は省略する。
【０８３１】
図８５は、スイッチング回路３０に入力されるＰＷＭ信号、絶縁トランス８の１次コイル８ａの入力及び二次コイル８ｂの昇圧電圧の関係を示す。図８５（ａ）はＰＷＭ信号を、図８５（ｂ）はスイッチング電圧を、図８５（ｃ）は１次コイル８ａの駆動電流（昇圧トランス駆動電流）を、図８５（ｄ）は二次コイル８ｂの昇圧電圧（外部端子５２ａ、ｂの電圧）をそれぞれ示す。ＰＷＭ信号のパルス幅に応じて二次コイル８ｂの昇圧電圧が制御されているので、外部装置に制御された電力を供給できる。
【０８３２】
以上、説明したように本実施例の蓄電装置によれば、外部装置に電力が必要な場合、電源生成回路１２の出力を外部装置の電源として使用し、充電動作時に電源生成回路１２を充電器として使用し、充電電圧を昇圧し外部装置に供給することができる。画像形成装置に蓄電装置を搭載することにより、待ち時間の短く充電機能が劣化しにくい画像形成装置を提供できる。
【０８３３】
また、本体負荷２０の動作電圧と同程度に昇圧してからキャパシタバンク９に蓄電し、定着ヒータ２２に電力を供給する必要がある場合に昇圧部８０により昇圧するので、定着ヒータ２２に供給する電圧に昇圧してから蓄電するよりもキャパシタバンク９を小型化でき、また、蓄電時間も短縮できる。また、加熱部の温度が予め設定された温度よりも極端に低い場合も、ＰＷＭのＯＮデュティーを徐々に（ソフトスタート）大きくすることが出来るので、突入電流を防止できる。
【０８３４】
なお、本実施例では、昇圧制御する場合、昇圧部８０に設けられた昇圧電圧検出回路５０により昇圧電圧を検出したが、昇圧電圧検出回路５０がなくてもよい。図８６は、昇圧電圧検出回路５０が設けられていない蓄電装置の昇圧部８０の回路図を示す。図８６では、二次コイル８ｂの出力が外部端子５２ａ、ｂに供給されている。なお、詳細な回路図は昇圧電圧検出回路５０をのぞき図７１と同じであるので説明は省略する。
【０８３５】
昇圧電圧検出回路５０がない場合、蓄電装置は、外部装置の加熱部の温度に応じて昇圧制御してもよいし、外部装置からの制御信号に応じて昇圧制御してもよい。
【実施例１３】
【０８３６】
実施例１２では昇圧部８０に絶縁トランスを用いたが、本実施例では昇圧部８０に昇圧チョークコイルを用いる。図８７は、蓄電装置の回路図を示す。なお、図８７において、図７１と同一構成部分には同一の符号を伏し、その説明は省略する。
【０８３７】
昇圧部８０は、キャパシタバンク９からの入力側に昇圧チョークコイル２７ａを有し、昇圧チョークコイル２７ａからの出力及びスイッチング回路３０からの出力が、整流平滑回路７５及び昇圧電圧検出回路５０を介して外部装置への外部端子５２ａ、ｂに接続される。
【０８３８】
スイッチング回路３０のＦＥＴ３０ａ、並びに、整流平滑回路７５の昇圧整流ダイオードＤ５及び平滑コンデンサＣ４が、それぞれキャパシタバンク９の端子間に並列に接続されている。
【０８３９】
なお、図８７のような構成ではキャパシタバンク９から外部端子５２ａ、ｂから放電する可能性があるため、外部装置にスイッチ素子を備えることが好適となる。図８８（ａ）、（ｂ）は、外部装置に接続された昇圧部８０の一形態を示す。
【０８４０】
図８８（ａ）及び（ｂ）では、外部端子５２ａ、ｂに接続されたＤＣ定着ヒータ２２（外部装置）の出力側にＦＥＴ４７が設けられている。ＦＥＴ４７のゲートには外部装置の制御部が接続されている。
【０８４１】
また、図８８では抵抗により昇圧電圧を検出しているが、図７１の昇圧電圧検出回路のようにフォトカプラＰＣ３により昇圧電圧を検出してもよい。
【０８４２】
定電流／定電力充電電圧発生回路７がＰＷＭ信号をＦＥＴ３０ａに出力すると、キャパシタバンク９に蓄電された電圧により昇圧チョークコイル２７ａに電流が流れエネルギーが蓄積され、続いてＦＥＴ３０ａをオフすると、オン期間に昇圧チョークコイル２７ａに蓄積したエネルギーを入力電圧に重畳して出力し、この電流が昇圧整流ダイオードＤ５を通して、平滑用コンデンサＣ４に貯えられる。この動作が繰り返され昇圧が行われ、昇圧平滑された電圧が外部装置２２に供給される。
【０８４３】
昇圧平滑される電圧（昇圧電圧）は、キャパシタバンク９に蓄電された電圧（入力電圧）と、ＰＷＭ信号のオン期間とオフ期間のデューティ比で決定される。また、昇圧電圧は、抵抗Ｒ１２と抵抗Ｒ１３とが直列に接続された昇圧電圧検出回路５０により定電流／定電力充電電圧発生回路７にフィードバックされる。定電流／定電力充電電圧発生回路７は、昇圧電圧検出回路５０の電圧を監視してＰＷＭ信号のＯＮデューティを変えることにより、昇圧平滑された昇圧電圧が制御される。
【０８４４】
続いて、本実施例の具体的な動作についてフローチャート図に基づき説明する。なお、本実施例では説明ない限り、図８８（ａ）の回路図を用いる。
【０８４５】
図８９は、外部装置の主電源ＯＮ時、又は、動作のために消費電力が増大した場合（以下、省エネモードの解除という）に、外部装置が蓄電装置に昇圧動作に必要な制御情報を出力する制御フローチャートを示す。外部装置は例えば画像形成装置である。なお、制御の内容は図７３と同じであるので説明は省略する。図８９の処理により、蓄電装置が昇圧動作に必要な制御情報を取得できる。
【０８４６】
図９０は、外部装置の動作モードに応じて蓄電装置の開閉回路２６の開閉制御及び充電動作の指示を行う制御のフローチャート図を示す。なお、制御の内容は、図７４と同じであるので説明は省略する。図９０の処理により、外部装置の動作モードに応じて開閉回路２６を開閉制御できる。なお、実施例１２と同様に開閉回路２６を切替回路３７に置き換えてもよい。
【０８４７】
外部装置は、所定動作終了後、一定時間が経過すると省エネモードに入るので、続いて、外部装置が省エネモードに入る。図９１は、外部装置が省エネモードに入る場合の外部装置のフローチャート図を示す。なお、制御の内容は、図７５と同じであるので説明は省略する。
【０８４８】
続いて、蓄電装置に蓄電された電力を用いて外部装置が外部装置の有する加熱部の温度制御をする動作について図９２のフローチャート図に基づき説明する。
【０８４９】
まず、外部装置は、主電源がオン、又は、省エネモードが解除された場合にセットされる立ち上がりフラグがセットされているか否か判定する（Ｓ６６１）。
【０８５０】
立ち上がりフラグがセットされている場合（ステップＳ６６１のＹｅｓ）、加熱部の温度を検出し、加熱部温度が予め設定された温度（例えば１３０度）以上か否か判定する（Ｓ６６２）。
【０８５１】
予め設定された温度以上の場合（ステップＳ６６２のＹｅｓ）、外部装置が所定動作中か否か判定する（Ｓ６６３）。外部装置が、画像形成動作中でない場合（ステップＳ６６４のＹｅｓ）、昇圧部８０から加熱部のヒータに接続される外部端子５２ａ、ｂに電力を供給する必要はないので、制御が終了する。
所定動作中の場合（ステップＳ６６３のＹｅｓ）、加熱部の温度が予め設定された温度以下か否か判定する（ステップＳ６６４）。加熱部の温度落ち込みがなく、予め設定された温度以下でない場合（ステップＳ６６４のＮｏ）、昇圧部８０から外部端子５２ａ、ｂに電力を供給する必要はないので、制御は終了する。
【０８５２】
予め設定された温度（例えば１５５度）以下の場合（ステップＳ６６４のＹｅｓ）、所定動作に不具合が発生する可能性があるので、外部装置は昇圧電圧使用可能フラグがセットされているか否か判定を行う（ステップＳ６６５）。
【０８５３】
昇圧電圧使用可能フラグは、蓄電装置からの全セル満充電信号４５、又は、昇圧電圧使用可能信号によりセットされるフラグである。
【０８５４】
昇圧電圧使用可能フラグがセットされてない場合（ステップＳ６６５のＮｏ）、充電部の充電電圧が蓄電不足であり外部装置に電力を供給できないので、制御は終了する。
【０８５５】
昇圧電圧使用可能フラグがセットされている場合（ステップＳ６６５のＹｅｓ）、外部装置は、加熱部温度が予め設定された温度（例えば２０度）以上か否か判定する（Ｓ６６６）。
【０８５６】
次いで、加熱部温度が予め設定された温度（例えば、１８０度）以下か否か判定する（Ｓ６６７）。加熱部温度が予め設定された温度以下の場合（ステップＳ６６７のＹｅｓ）、外部装置に電力を供給するためＦＥＴ４７をＯＮする信号を、外部装置が出力する（Ｓ６６８）。
【０８５７】
次いで、外部装置は、蓄電装置にＰＷＭ信号を出力する信号を送信する（Ｓ６６９）。蓄電装置はこの信号により、予め設定されたＰＷＭ信号を昇圧スイッチング回路３０のＦＥＴ３０ａに出力する。
次いで、再度、加熱部温度が予め設定された温度以下か否か判定し（Ｓ６６７）、加熱部温度が予め設定された温度以下の場合、再度、外部装置に電力を供給するためＦＥＴ４７をＯＮする信号を出力する（Ｓ６６８）。次いで、蓄電装置にＰＷＭ信号を出力する信号（昇圧動作の開始を指示する信号）を送信し（Ｓ６６９）、再度、加熱部温度が予め設定された温度以下か否か判定し、ステップＳ６６７〜６６９の処理を繰り返す。
【０８５８】
加熱部温度が予め設定された温度以下でない場合（ステップＳ６６６のＮｏ）、昇圧部８０から外部装置の加熱部に電力を供給する必要はないので、ＰＷＭ信号の出力を停止する信号（昇圧動作の終了を指示する信号）を蓄電装置に送信する（Ｓ６７０）。また、ＦＥＴ４７をＯＦＦする信号を出力し（Ｓ６７１）、制御は終了する。
【０８５９】
なお、外部装置への電力供給制御は、立ち上がり時又は加熱部の温度落ち込みの場合の制御であるので、一度所定の温度に復帰した場合は電力供給を停止している。
ステップＳ６６６において、加熱部温度が予め設定された温度以上でない場合（ステップＳ６６６のＮｏ）、極端に加熱部の温度が低い場合に相当するので、突入電流を軽減するため、ＰＷＭのＯＮデュティーを徐々に（ソフトスタート）大きくする動作を行う。
【０８６０】
まず、加熱部温度が１００度以下か否か判定する（Ｓ６７２）。加熱部温度が１００度以下の場合（ステップＳ６７２のＹｅｓ）、外部装置に電力を供給するためＦＥＴ４７をＯＮする信号を出力する（Ｓ６７３）。次いで、蓄電装置にデュ−ティを徐々に大きくしたＰＷＭ信号を出力する指示信号を送信する（Ｓ６７４）。
【０８６１】
次いで、再度、加熱部温度が予め設定された温度以下か否か判定し（Ｓ６７２）、加熱部温度が予め設定された温度以下の場合はステップＳ６７２〜６７４の処理を繰り返す。以上で、外部装置の温度が制御されうる。
【０８６２】
なお、本説明では、立ち上がり時と温度落ち込み時の電力供給を同じ制御により実施したが、立ち上がり時と温度折り込み時とで、加熱部の目標温度を変えて制御してもよい。
【０８６３】
図９３は、図９２のフローチャート図の一形態であって、外部装置が蓄電装置の出力するＰＷＭ信号を、加熱部温度に応じてＯＮ／ＯＦＦして昇圧電圧を制御するフローチャート図を示す。図９３では、蓄電装置は一定デューティのＰＷＭ信号を出力している。なお、ステップＳ６６１〜６６６までは図９２と同じであるので説明は省略する。
【０８６４】
まず、加熱部温度が予め設定された温度（例えば１８０度）以下か否か判定する（Ｓ６８１）。加熱部温度が予め設定された温度以下の場合（ステップＳ６８１のＹｅｓ）、外部装置がＦＥＴ４７をＯＮする信号を出力する（Ｓ６８２）。
【０８６５】
次いで、ＰＷＭ信号をスイッチング回路３０のＦＥＴ３０ａに出力するため、ＡＮＤ回路４６にＯＮ信号を出力する（Ｓ６８３）。
【０８６６】
外部装置は、再度、加熱部温度が予め設定された温度以下か否か判定し（Ｓ６８１）、加熱部温度が予め設定された温度以下の場合はステップＳ６８１の処理を繰り返す。
【０８６７】
加熱部温度が予め設定された温度以下でない場合（ステップＳ６８１のＮｏ）、昇圧部８０から外部端子５２ａ、ｂに電力を供給する必要はないので、ＰＷＭ信号の出力を停止する信号をＡＮＤ回路４６に出力し（Ｓ６８４）、ＦＥＴ４７をＯＦＦする信号を出力する（Ｓ６８５）。
【０８６８】
ところで、外部装置は、蓄電装置が昇圧した電力を使用可能か否か昇圧電圧使用可能信号により判定している。図９４は、外部装置が蓄電装置から送信された信号をチェックする制御のフローチャート図を示す。なお、図９４の制御内容は図７８と同じであるので説明は省略する。
【０８６９】
続いて、キャパシタバンク９への充電制御について説明する。図９５は、蓄電装置が充電電圧に応じて充電を制御する処理のフローチャート図を示す。図９５の制御により、外部装置の動作や充電電圧に応じてキャパシタバンク９に充電できる。
【０８７０】
図９６、９７は、外部装置から送信される信号のチェック及び開閉回路の制御のフローチャート図を示す。なお、図９６、９７の処理は図８０、８１と同じであるのでその説明は省略する。図９６，９７の制御により、外部装置の動作や充電電圧に応じて開閉回路２６を開閉できる。
【０８７１】
図９６、９７では、昇圧電圧をＤ〔Ｖ〕の一定電圧にする制御フローについて説明したが、図９８は、ＯＮデュ−ティを一定にしたＰＷＭ信号を出力する制御のフローチャート図を示す。なお、図９８の処理は図８２と同じなのでその説明は省略する。
【０８７２】
図９９は、外部装置の加熱部に電力供給を行う場合、突入電流を軽減する制御のフローチャート図を示す。図９９処理により、外部装置の加熱部の温度が極端に低い場合でも、突入電流を防止できる。なお、図９９の処理は図８３と同じなのでその説明は省略する。
【０８７３】
図１００は、昇圧する前に充電電圧を確認して昇圧動作を行う制御のフローチャート図を示す。このように昇圧制御の前に充電電圧を確認してもよい。なお、図１００の処理は図９９と同じであるのでその説明は省略する。
【０８７４】
なお、実施例１２と同様に、昇圧電圧検出回路５０がなくてもよい。昇圧電圧検出回路５０がない場合、蓄電装置は、外部装置の加熱部の温度に応じて昇圧制御してもよいし、外部装置からの制御信号に応じて昇圧制御してもよい。
【０８７５】
以上、説明したように本実施例の蓄電装置によれば、外部装置に電力が必要な場合、電源生成回路１２の出力を外部装置の電源として使用し、充電動作時に電源生成回路１２を充電器として使用し、充電電圧を昇圧し外部装置に供給することができる。画像形成装置に蓄電装置を搭載した場合、待ち時間の短く充電機能が劣化しにくい画像形成装置を提供できる。
【０８７６】
また、本体負荷２０の動作電圧と同程度に昇圧してからキャパシタバンク９に蓄電し、定着ヒータ２２に電力を供給する必要がある場合に昇圧部８０により昇圧するので、定着ヒータ２２に供給する電圧に昇圧してから蓄電するよりもキャパシタバンク９を小型化でき、また、蓄電時間も短縮できる。また、定着装置の温度が予め設定された温度よりも極端に低い場合も、ＰＷＭのＯＮデュティーを徐々に（ソフトスタート）大きくすることが出来るので、突入電流を防止できる。
【０８７７】
したがって、実施例９ないし１１記載の画像形成装置、又は、実施例１２又は１３記載の蓄電装置によれば、コストの低減及び装置値の小型化が可能になる。
【図面の簡単な説明】
【０８７８】
【図１】画像形成装置が有する定着装置の概略断面図である。
【図２】定着装置を拡大した図である。
【図３】実施例１の蓄電装置の概略回路図である。
【図４】実施例１の蓄電装置及び画像形成装置の回路図である。
【図５】均等化回路の回路図である。
【図６】エンジン制御部が開閉回路の開閉制御及び充電制御を行う動作のフローチャート図である。
【図７】エンジン制御部が開閉指示信号に基づき開閉回路を制御する処理のフローチャート図である。
【図８】定電流／定電力充電電圧発生回路が充電動作を制御する処理の流れを示すフローチャート図である。
【図９】実施例２の蓄電装置の概略回路図である。
【図１０】実施例２の蓄電装置及び画像形成装置の回路図である。
【図１１】エンジン制御部が充電制御を行う動作のフローチャート図である。
【図１２】定電流／定電力充電電圧発生回路が充電動作を制御する処理の流れを示すフローチャート図である。
【図１３】実施例３の蓄電装置の概略回路図である。
【図１４】実施例３の蓄電装置及び画像形成装置の回路図である。
【図１５】エンジン制御部が開閉回路の開閉制御及び充電制御を行う動作のフローチャート図である。
【図１６】定電流／定電力充電用ＰＷＭ発生回路が充電動作を制御する処理の流れを示すフローチャート図である。
【図１７】実施例４の蓄電装置の概略回路図である。
【図１８】実施例４の蓄電装置及び画像形成装置の回路図である。
【図１９】エンジン制御部が切替回路の開閉制御及び充電制御を行う動作のフローチャート図である。
【図２０】定電流／定電力充電用ＰＷＭ発生回路が充電動作を制御する処理の流れを示すフローチャート図である。
【図２１】実施例５の蓄電装置の概略回路図である。
【図２２】実施例５の蓄電装置及び画像形成装置の回路図である。
【図２３】エンジン制御部が充電制御を行う動作のフローチャート図である。
【図２４】定電流／定電力充電用ＰＷＭ発生回路が充電動作を制御する処理の流れを示すフローチャート図である。
【図２５】実施例６の蓄電装置の概略回路図である。
【図２６】実施例６の蓄電装置及び画像形成装置の回路図である。
【図２７】エンジン制御部が充電制御を行う動作のフローチャート図である。
【図２８】定電流／定電力充電用ＰＷＭ発生回路７が充電動作を制御する処理の流れを示すフローチャート図である。
【図２９】実施例７の蓄電装置の概略回路図である。
【図３０】実施例７の蓄電装置及び画像形成装置の回路図である。
【図３１】蓄電装置の回路図である。
【図３２】蓄電装置の回路図である。
【図３３】実施例１の蓄電装置の概略回路図である。
【図３４】実施例１の蓄電装置が適用された画像形成装置の回路図である。
【図３５】開閉回路を置き換えた切替回路の一例である。
【図３６】昇圧電圧検出回路の別の一形態を示す図である。
【図３７】均等化回路の回路図である。
【図３８】画像形成装置制御部がキャパシタバンクへの充電制御を行う動作のフローチャート図である。
【図３９】電源投入時、省エネ解除時又は画像形成動作時に昇圧部から定着装置の加熱部に電力供給する制御を示すフローチャート図である。
【図４０】ＡＣ加熱部の温度に応じてＯＮデュ−ティのＰＷＭ信号を出力する制御のフローチャート図である。
【図４１】定電流／定電力充電電圧発生回路にＰＷＭ信号を発生する回路を設けた昇圧部の回路図の一例である。
【図４２】ＡＣ加熱部の温度及び昇圧電圧に基づきこのＰＷＭ信号をＯＮ／ＯＦＦ制御を行うことで定着装置のＡＣ加熱部に電力供給する制御フローチャートである。
【図４３】画像形成装置の動作モードに応じて開閉回路を開閉する制御のフローチャート図である。
【図４４】画像形成装置が省エネモードに入る場合の制御のフローチャート図である。
【図４５】画像形成装置の動作モードに応じて切替回路３７の切り替えを制御する処理のフローチャート図である。
【図４６】画像形成装置の動作モードに応じて切替回路３７の切り替えを制御する処理のフローチャート図である。
【図４７】切替回路の場合に、画像形成装置が省エネモードに入る場合の制御のフローチャート図である。
【図４８】実施例２の蓄電装置の概略回路図である。
【図４９】実施例２の昇圧部およびＤＣ定着ヒータの回路図である。
【図５０】画像形成装置制御部が行う充電制御のフローチャート図を示す。
【図５１】電源投入時、省エネ解除時又は画像形成動作時に昇圧部から定着装置の加熱部に電力を供給する制御を示すフローチャート図である。
【図５２】予め設定されたＰＷＭ信号を発生させることで、定着装置の加熱部に電力供給する制御のフローチャート図である。
【図５３】画像形成装置の動作モードに応じて開閉回路の開閉を制御するフローチャート図の一例である。
【図５４】画像形成装置が省エネモードに入る場合の制御を示すフローチャート図である。
【図５５】画像形成装置の動作モードに応じて切替回路の切り替えを制御するフローチャート図を示す。
【図５６】画像形成装置の動作モードに応じて切替回路の切り替えを制御するフローチャート図を示す。
【図５７】切替回路の場合に画像形成装置が省エネモードに入る制御のフローチャート図である。
【図５８】実施例３の蓄電装置が適用された画像形成装置の概略回路図である。
【図５９】実施例３の画像形成装置の回路図である。
【図６０】画像形成装置制御部がキャパシタバンクへの充電制御を行う動作を示すフローチャート図である。
【図６１】電源投入時、省エネ解除時又は画像形成動作時に昇圧部から定着装置の加熱部に電力供給する制御のフローチャート図である。
【図６２】ＡＣ加熱部の温度に応じてＯＮデュ−ティのＰＷＭ信号を出力する制御のフローチャート図である。
【図６３】定電流／定電力充電電圧発生回路にＰＷＭ信号を発生する回路を設け、昇圧部にＰＷＭ信号を入力する回路図である。
【図６４】予め設定されたＰＷＭ信号を発生させ、ＡＣ加熱部の温度及び昇圧電圧に基づきこのＰＷＭ信号をＯＮ／ＯＦＦ制御を行うことで定着装置のＡＣ加熱部に電力供給するフローチャート図である。
【図６５】画像形成装置の動作モードに応じて開閉回路を開閉制御するフローチャート図である。
【図６６】画像形成装置が省エネモードに入る場合の制御を示すフローチャート図である。
【図６７】開閉回路を切替回路に置き換えた回路図の一例である。
【図６８】画像形成装置の動作モードに応じて切替回路の切り替えを制御するフローチャート図である。
【図６９】画像形成装置の動作モードに応じて切替回路の切り替えを制御するフローチャート図である。
【図７０】画像形成装置が省エネモードに入る制御のフローチャート図である。
【図７１】実施例４の蓄電装置の回路図である。
【図７２】開閉回路を切替回路として構成した回路図の一例である。
【図７３】外部装置の主電源ＯＮ時、又は、省エネモードの解除時に昇圧動作に必要な制御情報を外部装置が蓄電装置に出力するフローチャート図である。
【図７４】外部装置の動作モードに応じて蓄電装置の開閉回路の開閉制御及び充電動作の指示を行う制御のフローチャート図である。
【図７５】外部装置が、所定動作終了後に省エネモードに入る制御のフローチャート図を示す。
【図７６】蓄電装置に蓄電された電力を用いて外部装置が外部装置の有する加熱部の温度制御をするフローチャート図を示す。
【図７７】外部装置が蓄電装置の出力するＰＷＭ信号を、加熱部温度に応じてＯＮ／ＯＦＦして昇圧電圧を制御するフローチャート図である。
【図７８】外部装置が蓄電装置から送信された信号をチェックする制御のフローチャート図である。
【図７９】蓄電装置が充電電圧に応じて充電を制御する処理のフローチャート図である。
【図８０】外部装置から送信される信号のチェック及び開閉回路の制御を示すフローチャート図である。
【図８１】外部装置から送信される信号のチェック及び開閉回路の制御を示すフローチャート図である。
【図８２】昇圧電圧のためのＰＷＭ信号のＯＮデュ−ティを一定にして出力する制御のフローチャート図である。
【図８３】外部装置の過熱部に電力供給を行う場合に、突入電流を軽減する制御のフローチャート図を示す。
【図８４】昇圧する前に充電電圧を確認して昇圧動作を行う制御のフローチャート図である。
【図８５】スイッチング回路に入力されるＰＷＭ信号、絶縁トランスの１次コイルの入力及び二次コイル８ｂの昇圧電圧の関係を示す図である。
【図８６】昇圧電圧検出回路が設けられていない蓄電装置の昇圧部の回路図である。
【図８７】実施例５の蓄電装置の回路図である。
【図８８】外部装置に接続された昇圧部の一形態を示す図である。
【図８９】外部装置の主電源ＯＮ時、又は、省エネモードの解除時に、外部装置が蓄電装置に昇圧動作に必要な制御情報を出力する制御フローチャートである。
【図９０】外部装置の動作モードに応じて蓄電装置の開閉回路の開閉制御及び充電動作の指示を行う制御のフローチャート図である。
【図９１】外部装置が省エネモードに入る場合の外部装置のフローチャート図である。
【図９２】蓄電装置に蓄電された電力を用いて外部装置が外部装置の有する加熱部の温度制御をするフローチャート図である。
【図９３】外部装置が蓄電装置の出力するＰＷＭ信号を、加熱部温度に応じてＯＮ／ＯＦＦして昇圧電圧を制御するフローチャート図である。
【図９４】外部装置が蓄電装置から送信された信号をチェックする制御のフローチャート図である。
【図９５】蓄電装置が充電電圧に応じて充電を制御する処理のフローチャート図である。
【図９６】外部装置から送信される信号のチェック及び開閉回路の制御のフローチャート図である。
【図９７】外部装置から送信される信号のチェック及び開閉回路の制御のフローチャート図である。
【図９８】ＯＮデュ−ティを一定にしたＰＷＭ信号を出力する制御のフローチャート図である。
【図９９】外部装置の加熱部に電力供給を行う場合に、突入電流を軽減する制御のフローチャート図である。
【図１００】昇圧する前に充電電圧を確認して昇圧動作を行う制御のフローチャート図である。
【符号の説明】
【０８７９】
１            フィルター
２、３２      全波整流回路
３            高周波トランス
４、２６      開閉回路
６            スイッチング回路
７            定電流／定電力充電電圧発生回路  
８            コントロール部
９            キャパシタバンク
１０          エンジン制御部（画像形成装置制御部）
１１          主電源スイッチ
１２          ＤＣ／ＤＣコンバータ（定電圧生成手段）
１３          スイッチングレギュレータＩＣ
１４、３３    ＤＣ／ＤＣコンバータ
１５          回路
１６          充電電圧検出回路
１７          均等化回路
１８          電圧電流変換回路
１９          放電回路
２０          本体負荷
２１          定電圧検出回路
２２          ＤＣ定着ヒータ
２４          省エネモード解除ＳＷ
２５          リレードライブ回路
２７ａ        チョークコイル
２８ａ        ＤＣ定着ヒータのサーミスタ
２９          オペアンプ
３０          スイッチング回路
３１          充電部
３５，３６    フォトトライアックドライブ回路
３７、７７    切替回路
３９          絶縁トランス
４３          ＡＣヒータ制御回路
４４          単セル満充電信号
４５          全セル満充電信号
４６          アンド回路
４８          電源生成回路
５０          昇圧電圧検出回路
６１、６２    ＡＣ定着ヒータ
６１０、６２０    温度検出回路
６１０ａ、６２０ａ  ＡＣ定着ヒータのサーミスタ
７１           補助巻線
７２          シャントレギュレータＩＣ
７５          整流平滑回路
８０          昇圧部
【図１】
2007104891.tif 000003
【図２】
2007104891.tif 000004
【図３】
2007104891.tif 000005
【図４】
2007104891.tif 000006
【図５】
2007104891.tif 000007
【図６】
2007104891.tif 000008
【図７】
2007104891.tif 000009
【図８】
2007104891.tif 000010
【図９】
2007104891.tif 000011
【図１０】
2007104891.tif 000012
【図１１】
2007104891.tif 000013
【図１２】
2007104891.tif 000014
【図１３】
2007104891.tif 000015
【図１４】
2007104891.tif 000016
【図１５】
2007104891.tif 000017
【図１６】
2007104891.tif 000018
【図１７】
2007104891.tif 000019
【図１８】
2007104891.tif 000020
【図１９】
2007104891.tif 000021
【図２０】
2007104891.tif 000022
【図２１】
2007104891.tif 000023
【図２２】
2007104891.tif 000024
【図２３】
2007104891.tif 000025
【図２４】
2007104891.tif 000026
【図２５】
2007104891.tif 000027
【図２６】
2007104891.tif 000028
【図２７】
2007104891.tif 000029
【図２８】
2007104891.tif 000030
【図２９】
2007104891.tif 000031
【図３０】
2007104891.tif 000032
【図３１】
2007104891.tif 000033
【図３２】
2007104891.tif 000034
【図３３】
2007104891.tif 000035
【図３４】
2007104891.tif 000036
【図３５】
2007104891.tif 000037
【図３６】
2007104891.tif 000038
【図３７】
2007104891.tif 000039
【図３８】
2007104891.tif 000040
【図３９】
2007104891.tif 000041
【図４０】
2007104891.tif 000042
【図４１】
2007104891.tif 000043
【図４２】
2007104891.tif 000044
【図４３】
2007104891.tif 000045
【図４４】
2007104891.tif 000046
【図４５】
2007104891.tif 000047
【図４６】
2007104891.tif 000048
【図４７】
2007104891.tif 000049
【図４８】
2007104891.tif 000050
【図４９】
2007104891.tif 000051
【図５０】
2007104891.tif 000052
【図５１】
2007104891.tif 000053
【図５２】
2007104891.tif 000054
【図５３】
2007104891.tif 000055
【図５４】
2007104891.tif 000056
【図５５】
2007104891.tif 000057
【図５６】
2007104891.tif 000058
【図５７】
2007104891.tif 000059
【図５８】
2007104891.tif 000060
【図５９】
2007104891.tif 000061
【図６０】
2007104891.tif 000062
【図６１】
2007104891.tif 000063
【図６２】
2007104891.tif 000064
【図６３】
2007104891.tif 000065
【図６４】
2007104891.tif 000066
【図６５】
2007104891.tif 000067
【図６６】
2007104891.tif 000068
【図６７】
2007104891.tif 000069
【図６８】
2007104891.tif 000070
【図６９】
2007104891.tif 000071
【図７０】
2007104891.tif 000072
【図７１】
2007104891.tif 000073
【図７２】
2007104891.tif 000074
【図７３】
2007104891.tif 000075
【図７４】
2007104891.tif 000076
【図７５】
2007104891.tif 000077
【図７６】
2007104891.tif 000078
【図７７】
2007104891.tif 000079
【図７８】
2007104891.tif 000080
【図７９】
2007104891.tif 000081
【図８０】
2007104891.tif 000082
【図８１】
2007104891.tif 000083
【図８２】
2007104891.tif 000084
【図８３】
2007104891.tif 000085
【図８４】
2007104891.tif 000086
【図８５】
2007104891.tif 000087
【図８６】
2007104891.tif 000088
【図８７】
2007104891.tif 000089
【図８８】
2007104891.tif 000090
【図８９】
2007104891.tif 000091
【図９０】
2007104891.tif 000092
【図９１】
2007104891.tif 000093
【図９２】
2007104891.tif 000094
【図９３】
2007104891.tif 000095
【図９４】
2007104891.tif 000096
【図９５】
2007104891.tif 000097
【図９６】
2007104891.tif 000098
【図９７】
2007104891.tif 000099
【図９８】
2007104891.tif 000100
【図９９】
2007104891.tif 000101
【図１００】
2007104891.tif 000102